(57)【要約】長期保存が可能な食品と飲料用の各種容器と冷蔵と加熱道具と器械を使用して適温での提供と酸化防止による虫の発生防止と食品鮮度の保ち方と食品の衛生管理を行う為の発明と酸化防止を食品以外にも広げて従来の芸術作品の展示や文化財の保存方法もついても応用した物である。容器によっては器具をつけかえる事で多目的な用途に使用可能にしたり機能性インクによって容器や器具に機能を加えたり形状を変更する事で新しい機能を加えた。【課題】食品や飲料を入れる容器には利点と素材による加熱方法やリサイクル方法に違いがあり従来の規格を変えられない為に進化しない状態が続いている。この規格や規制の範囲の中で今までに完成された製造・流通・輸送・販売・消費・資源回収のサイクルに影響を与えず便利でより安全に使えて販売促進効果を少ない設備の投資と調整で行う必要があった。【解決手段】大きな設備の変更にる設備投資なしに現行のインフラを活用し、より安全で快適に様々な場所で様々な目的で使用される為に作られている容器や道具や器具や器械について可能な範囲内で機能を加える事で目的に合わせた使用が便利に行える様にした。家庭での食品の適温提供と保存方法を中心に道具や器具を発明した。飲食物に限らず大切な物の長期安定保存も可能にした。【選択図】図１
2005138906.tif 000002
【特許請求の範囲】
【請求項１】
素手で持っても熱くないく断熱材を使用した部分を飲料缶詰の缶胴の表面又はラベルの内側に有するか缶胴部分に凹凸を作りラベルを捲着する事で凹部分に空間を作り断熱効果を持たせた保温飲料用のスチール缶の容器
【請求項２】
素手で持つと熱いスチール缶入り飲料に使用する持ち手（取っ手）付きのピンチ式樹脂製保持具
【請求項３】
温蔵庫で加熱できない場合は鍋に入れて熱湯で加熱する場合、缶のフタを開けて破裂防止して温める必要があるが缶を熱湯から安全に取り出す器具が無い為に、ほ乳瓶用のハサミや鉗子状の器具を缶飲料や缶入りミートソースやレトルト食品が掴みやすいレードルと同じ角度を付けて形状とデザインにして熱湯の中で缶を倒したりせず取り出せて更にレトルト食品の内容物を絞り出す為にハサミの柄の部分をレトルト食品の口の大きさに合わせて長くする事で絞り出すシリクスクリーンのスクイージーの構造と機能を有する取り出し器具で飲料缶詰や食品缶詰や缶入りミートソースを鍋に立てた状態で湯せんして取り出せると同時に先端はレトルト食品も掴める形状とデザインにして更にレトルト食品の内容物を絞り出す為の機能を柄の部分に有する取り出し器具
【請求項４】
ペットボトル容器入り飲料のキャップを遊挿させて挿脱、挟持、できて挿脱容易な構造にした形状を有する飲料用容器
【請求項５】
ペットボトルのキャップと同じ大きさの両面粘着シールを張り付けて表面にはクローズドキャンペーンの懸賞応募用シールや広告やベルマークを印刷してシール部分を剥がすと下の粘着部分がキャップの一時、固定場所として両面粘着シールで粘着は数回、剥がしたり張り付けたり出来るタイプの接着剤を使ったラベルシールとペットボトル容器
【請求項６】
飲料の容器の形状を缶を地上から９０度（地上と水平）にして口を付けても鼻の高さの分を斜めにカットする事で鼻に当たらないと同時に缶を潰す時に完全に斜めにすると缶潰し機で潰す時に倒れるなどの支障が出る為、飲み口の部分を一部平らしたにした形状を有する事で缶を潰す時も支障が無いと同時に容器のに冠着する形状を合わせ易くした樹脂又は金属製飲料缶詰の容器
【請求項７】
飲料の容器の形状を缶を地上から９０度（地上と水平）にして口を付けても鼻の高さの分を斜めにカットする事で鼻に当たらないと同時に缶を潰す時に完全に斜めにすると缶潰し機で潰す時に支障が出る為、飲み口の部分を一部平らしたにした形状を有する事で缶を潰す時も支障が無くした。この形状の容器の上に「ベタ付け」に使われるオマケを入れる容器を冠着させると円柱になる形状を有する事で自動販売機にも対応した容器でキャラメルのオマケみたいな機能を有する。食玩（しょくがんと言って玩具に力を入れたお菓子で清涼菓子が多い）に対抗して飲玩（のみがんを入れる。）を入れたり保存、提供温度によって、つまみ用菓子を入れる事も可能であり試食品の宣伝配布用に菓子メーカーと飲料メーカーがタイアップしたキャンペーンによる広告戦略も可能とできる。又、コーヒー飲料のミルクと砂糖を入れる事も可能である。提供温度でポーションで提供するか粉末で提供するか選択する。ゴミは冠着したケースに一時、収納してから捨てるのでテーブルや机の上に灰皿が無くてもゴミを捨てる場所に困らない。飲料缶詰は、金属に直接印刷されていたが熱収縮性ポリエステル系フィルムをラベルとして使用する事で冠着したオマケの入った容器を捲着する為にも使い冠着部分にはガムやキャラメルを開ける時に使われる構造のテープを引っ張って分断可能にする事で飲み口の衛生も保てる樹脂又はスチール又はアルミ製容器
【請求項８】
ストローを埋設して挟着する着座用の成形された溝を外装に有することでストローを付けてもストローが出っ張らないペットボトル容器
【請求項９】
ペットボトルの着座に合わせて形成されたストローで樹脂製の袋に包まれている事で表面が紙で内部がアルミ製のロングライフ牛乳の容器に袋が接着か溶着されている２段のロッドアンテナ式ストローの様に飛び出さず埋設されてスッキリ見える様にジャバラ部分の折曲部を２カ所設けて長さを確保したストロー
（ストローを飲料内に入れて弾性で蓋を開けると出る方式は、衛生上の問題で飲料としての認可が取れない為、封かんと飲料への異物混入とならない為に容器の外部に取り付ける必要がある）
【請求項１０】
ペットボトルや飲料缶詰の内容物（飲料）を表示するポリエステルフィルムをクローズド懸賞のハガキやポイントとして使う事でフィルムを剥がす必要が出来る為に資源の分別をユーザーが行う結果になるシステムをサービスを行う事でフィルムラベルを剥がす習慣を広げる方法
【請求項１１】
ラベルや容器に二次元コードを印刷してゲームが出来るとかＳＰコードでメッセージを聞けたり音楽が聞ける様に音楽会社や芸能プロダクションやゲームソフト会社とタイアップして音楽データや画像情報や隠しイベントや隠れキャラクターを入手出来る様にインターネットのアドレスの入ったＱＲコードにシリアルナンバーを入れる事で管理して不法にダウンロードされない配慮をスクラッチインクや感熱接着フィルムを施してデータ配信サービスを利用する為にラベルを剥がし資源の分別と販売を促進するラベルと樹脂又は金属製の食品と飲料の容器
【請求項１２】
ポリエステルフィルムを剥がす為に切りたい形状にキャラメルやタバコのセロハンを切る為の細いテープと同じ機能を有する糸又はテープ又はコードをフィルム内部に埋設や融着や溶着や圧着してテープ状の部分に刻設した溝（フイルムの切れ具合で溝の深さを調節するが移送時の衝撃と熱収縮時に切れない様に注意して付ける）に併設しミシン目より正確に切断可能にした食品と飲料の容器用のラベル
【請求項１３】
容器の上に「ベタ付け」に使われるオマケを入れる容器を冠着させると円柱になる形状を有する事で自動販売機にも対応した容器でキャラメルのオマケみたいな機能を有する。食玩（しょくがんと言って玩具に力を入れたお菓子で清涼菓子が多い）に対抗して飲玩（のみがんを入れる。）を入れたり保存、提供温度によって、つまみ用菓子を入れる事も可能であり試食品の宣伝配布用に菓子メーカーと飲料メーカーがタイアップしたキャンペーンによる広告戦略も可能とできる。又、コーヒー飲料のミルクと砂糖を入れる事も可能である。提供温度でポーションで提供するか粉末で提供するか選択する。冠着したケースをコップに使用したり冠着したケースにゴミを一時、収納してから捨てるのでテーブルや机の上に灰皿が無くてもゴミを捨てる場所に困らない。缶飲料は、金属に直接印刷されていたが熱収縮性ポリエステル系フィルムをラベルとして使用する事でボトルに冠着したオマケの入った容器を捲着する為にも使い冠着部分にはガムやキャラメルを開ける時に使われる構造のテープを引っ張って分断するかミシン目を付けて分断可能に事で飲み口の衛生も保てるボトル型の樹脂又はスチール又はアルミ製容器でペットボトルのくびれて飲み口に向かう境目に溝を付けて円柱型のキャップを冠着させてコップとして使用出来ると同時にベタ付け用のオマケを入れるケースにする機能を有する容器
【請求項１４】
加熱する必要の無い飲料や食料を入れた容器には、熱湯により剥離するラベルを使用する事で資源の分別を容易にしたペットボトル製容器とアルミ製ボトル型容器と特にプリンやゼリーやティラミスやババロアやフルーツ等のデザート用樹脂製容器のラベルを活かして容器にストローやスプーンやフォークや楊子を埋設する凹部分の溝を作り提供する食品や飲料に合わせて埋設した物を固定出来る容器とフォークや楊子で刺すと崩れスプーンに乗せるより摘んで食べるのに適している食品には樹脂製の使い捨てピンセットや小型トングを埋設したデザード容器
【請求項１５】
現行のガラス瓶入り飲料に栓を抜いた後でビンに懸吊が可能なスチール製のプルトップ機能を加えたビンの口に圧着するさい２１か２３のギザギサが有る従来の王冠と従来から使用されているビンを活用する事を前提として王冠部分をプルオープンで利用可能にすると同時に抜いた栓をビンに懸吊事が可能な王冠とアルミ製の王冠でビンの口に封かん時に密着してギザギサが無い形状の栓を抜いた後はビンに懸吊可能な王冠状の栓
【請求項１６】
紙パックの開封側の矢印の印刷を明確にする為に目立つ配色にするか蓄光インクや樹脂かエンボスにより点字を立体プリントしたり差込式プリペイドカード（テレフォンカード）の前後を識別する窪みを付けるか突起を付けるか開封支援用のフィルムを挟んで目印にする事で開封口を明確にして後ろを間違って開けない様に工夫した紙パック
【請求項１７】
飲食物の保存状態が確認できるように温度の変化した回数や時間に反応して電子的に記録できるＩＣダグを金属製容器やラベルやレトルトパウチ食品の袋とチアパックの袋と保存用食品容器と外箱と缶とボトルと瓶に使用する事で在庫状態から販売実績に加えて保存状態（期間と温度変化）を管理できるＩＣタグとプラスチック・チップにより薄く小さくなったＩＣダグ型またはプラスチックを溶剤に練り込んだ塗料又はインク
【請求項１８】
空のペットボトルを２本用意して砂時計状に螺着させ浄水器やじょうごとして使用する為のジョイントに空気抜き構造の付いたボトルキャップと同じ形状に螺刻した溝を有するサバイバル用ジョイントキャップ
【請求項１９】
空のペットボトルに約３分の１の水を入れて飲み口に空間が残るように横斜めに凍らせる事で後から入れた水やコーヒーを冷やす氷の面積を広くする事で麦茶や稀釈して飲む乳酸飲料や稀釈が必要なウイスキーなどの飲料を素早く冷えた状態に作る方法
【請求項２０】
店（アルコールを提供する風俗営業店）にキープしたボトルにキャップを抱持しボトルに貼設する為に粘着や接着させる事で固着させて使用する保持具
【請求項２１】
素手で持っても熱くない部分としてダンボールを捲着して固定したりパチパチ（プチプチ）シートを捲着して固定したりスポンジの入った立体シール貼着するなどでボトルや缶の表面又はラベルの内側（ラベルの下）か外側（ラベル表面）に有する保温飲料用樹脂製の容器と素手で持っても冷たくない部分を袋の表面又はラベルの内側（ラベル下）か外側（ラベル表面）に有するチアパック容器
【請求項２２】
素手で持っても熱くない部分を瓶の表面又はラベルの内側（ラベルの下）又は外側（ラベル表面）に有する加熱飲料用のセラミック製と耐熱ガラス製と金属製の容器
【請求項２３】
素手で持っても熱くない（チアパックの場合は冷たくない）表面部分に発泡インクか発泡ゴムインキで印刷する事でインク内の空気を断熱材として利用して素手で持ちやすくすると同時にデザインを加えたボトルや缶やレトルトパウチ食品の袋とチアパックの容器と袋
【請求項２４】
ペットボトルの缶胴に該当する部分を二重構造にして構造内部は膨張しない様に多角形か円形の対流防止構造にした空気の層を作る事で空気の層の部分が断熱効果を有する事でホット飲料の入った容器を素手で持っても厚くない構造を有するペットボトル
【請求項２５】
保存状態が確認できるように温度の変化した回数に反応して色が変わるインクを使用した食品や飲料用の金属製容器やラベルやレトルトパウチ食品の袋とチアパックの袋と保存用レトルト食品容器用の外箱と飲料又は食品用（健康食品と健康飲料を含む）缶とボトルと瓶と海苔の佃煮や鮭フレークやジャムやなめ茸や塩辛のツィスト・キャップ瓶の瓶詰めのキャップの封かんを気密状態でキャップを覆い封かんを開け空気に長く触れる事でキャップの色が変化して鮮度を知らせる蓋
【請求項２６】
示温インクなどで色温度計の機能を有する樹脂で形成した匙・レンゲ・スプーン・みそ汁を入れるお椀と内部に色温度計の機能を有し外側から内部の液体温度が確認できる吸い飲みと飲料用介護用容器と食器と育児用飲料を入れてほ乳瓶用の乳首と乳首固定用のナット状の蓋を容器に埋設して飲ませる時に使用可能にした樹脂製ボトル容器
【請求項２７】
片手でも使いやすい飲み口の飲料容器で（スクリューキャップは両手が必要である）親指で手のひらと四本の指で缶胴を握り親指でキャップ（蓋）を押すことでスライドさせるか跳ね上げて蓋を開ける事で封かんも同時に外れる飲料缶詰容器と片手で飲み口の後ろを押し下げると公園のシーソーの様に飲み口側が上がって封かんも同時に切れる金属製・樹脂製容器
【請求項２８】
キッチンタイマーに印字機能を付けて食品を冷蔵庫に入れた日をラベルに印字して食品に張り付けて管理する。賞味期限や消費期限や製造年月日の表示されていない食材を入れたビニール袋やラップや容器に張り付ける事で何日保存していたか明確にでき時計の機能を加えてシールを使う時に、その年月日と時間を印字して食品に貼る事ができて冷蔵庫に磁石で吸着可能にした電池を動力にした印字機能付きキッチンタイマー時計
【請求項２９】
ペットボトルに樹脂製をコップを冠着させる事でボトルに口を付けて直接飲むのではなく飲み物をコップで飲む事を可能とした。友人と飲み物を分け合う事もできる樹脂製のペットボトル専用コップ
【請求項３０】
家庭用の窒素を缶に充填したスプレー缶入り窒素
【請求項３１】
家庭用の窒素で空になったら窒素を充填する為に作られた充填可能な構造を有するスプレー缶又はボンベ
【請求項３２】
家庭用の窒素充填と空気の吸引を行う機能を有する電気式食品保存器具
【請求項３３】
家庭用の窒素充填と空気の吸引を行う機能を有すると家庭用パック食品用器具
【請求項３４】
窒素を充填させる事により食品保存機能を付けた内部を真空にするとドアが開けられなくなるので酸素を含む空気と窒素を入れ替えて室内の気圧と冷蔵庫内部の気圧を同じにする事でドアの開閉を容易にした電気冷凍冷蔵庫と温冷蔵庫（電子冷蔵庫）
【請求項３５】
炭酸飲料のペットボトルに窒素充填して食品を入れたビニール袋に窒素を充填する為に使用可能にした蜂蜜やメイプルシロップの容器のフタのように細くて長い筒状の注入口を特徴として気密状態を保てる構造を持ったボトルキャップ（災害用ペットボトル利用の窒素充填キヤップ）であり炭酸飲料用の空になったペットボトルに窒素を充填して食品保存に役立てる為に使用する窒素充填用キャップ
【請求項３６】
ビニール袋に窒素充填して食品を入れたビニール袋に窒素を移し替える方式で充填する為に使用可能にした蜂蜜やメイプルシロップの容器のフタのように細くて長い筒状の注入口を特徴として気密状態を保てる構造を持ったビニール袋にねじ込む事で気密状態を保てるように固定可能な構造を有する窒素充填用キャップ（外観はチアパックと言うアイスやゼリーの袋を何倍にも大きくした形状になる）
【請求項３７】
水道や安全な井戸といったインフラが整えられていない地域でのペットボトルを利用した浄水器として空のペットボトルを使用して濾過装置として使用する為に二本のペットボトルをネジを利用してジョイントする事が出来て空気抜き構造の付いたペットボトルキヤップと同じ溝のジョイントで砂時計の中心の細くなった部分にあたる箇所にジョイントとして使用する器具であり給水車による水の供給が受けられる時は、便利な「じょうご」としても使用可能で上のペットボトルに一気に水を入れてもらったら受け側にボトルに水が落ちるので
給水を受けたら水の入った下のペットボトルには通常のキャップをする事でこぼさないで持ち帰れるように水をサポートするジョイント器具
【請求項３８】
芸術作品や骨董品や古文書や繊維製品や磁気テープや磁気ディスクを家庭で保存するとガビや虫食いや酸化による劣化を防止するために窒素を充填する容器と器具と保存用樹脂又はジュラルミンなどの金属で気密性と遮光性を有し乾燥剤や酸化防止剤と併用する事ができる保存用の容器
【請求項３９】
博物館や図書館での展示品や所蔵品に窒素充填の技術を加える事でガビや虫食いを防止して酸化防止により腐食を防止強化する保存方法と酸化防止剤を内設して酸化を防止できる額縁
【請求項４０】
衣類と書類と書籍と書簡と絵画とプリントした写真と現像済みフィルムを家庭にある箱やビニール袋に入れて（日焼け防止には遮光出来る物を使う）酸化を防止するために使用する窒素充填用の容器と器具
【請求項４１】
銀行の貸金庫に長期保存する証書や証券や書類や株券から貴金属や宝石の酸化防止機能として窒素充填可能の容器と充填用窒素を提供するサービスと窒素充填機能を備えた貸金庫及び金庫内に入れる気密容器の提供
【請求項４２】
アルコール飲料用（特にカクテル）の容器に新蓄光インクや夜光インクやブラックライトで発光する蛍光インクや不可視インクを使用することでグラスに注いで飲まなくても容器自体に装飾性を加え豪華さを感じさせるスチール製容器とアルミニウム製容器とガラス製容器とチアパックと、これに使用するラベル
【請求項４３】
医療用の酸素濃縮器の排気口から出る酸素を分離した窒素を酸化防止用窒素として使用する事ができる形状を有する酸素濃縮器兼窒素充填装置
【請求項４４】
冷凍冷蔵庫と温冷蔵庫（電子冷蔵庫）に内設して冷蔵庫内の酸素濃度を酸化防止剤（鉄分とアスコルビ酸とカテコール）で下げる事で庫内に保存している食品の酸化を防止する事で鮮度と保存期間を延ばす為の活性炭型消臭剤や空気清浄機の活性炭フィルターの容器部分の形状を有した脱酸素剤を薄く入れた袋を空間を持たせて重ねた構造により鉄分が酸化する時に出る熱を放熱しする構造を有した袋と、その袋を収納する通気性の高い容器
【請求項４５】
米櫃に内設して容器内部に付着するように吸盤や磁石で吸着により固定させたり掛止して固定したり両面テープにより粘着させて固定させたり接着による固定で気密性を有する米櫃内の酸素濃度を酸化防止剤（鉄分とアスコルビ酸とカテコール）で下げる事で米櫃内に保存している食品の酸化を防止すると同時に虫の発生と生存を薬品を使わず窒息させる事で防止できる鮮度と虫の発生と保存期間を延ばす為の活性炭型消臭剤や空気清浄機の活性炭フィルターの容器部分の形状を有した脱酸素剤を薄く入れた袋を空間を持たせて重ねた構造により鉄分が酸化する時に出る熱を放熱しする構造を有した袋と、その袋を収納する通気性の高い容器
【請求項４６】
香水やオードトワレやオーデコロンや化粧品用容器と洗髪用のシャンプー・リンス・トリートメント用容器と新蓄光インクや夜光インクやブラックライトで発光する不可視インクや蛍光塗料を使用することで装飾性を加え豪華さを感じさせる樹脂製容器とスチール製容器とアルミニウム製容器とガラス製容器とチアパック容器そのラベル（樹脂製と紙製）と容器に接着や溶着又は容器を立体的にする事で出来るエンブレム（樹脂製と金属製とガラス製）（透明な容器はアルミ蒸着法による日光による劣化防止機能を付ける事が望ましい。）と以上の容器の中でリターナブル容器として再利用する為に印刷や刻印される識別記号（化粧品容器はデザインが豊富なので識別が難しい為ＱＲコードやバーコードなどの二次元コードで分類する）付容器と蓄光機能を備えた喘息発作用薬剤のアタッチメント（薬剤ボンベに冠着する）と蓄光インクで印刷したテイッシュペーパーの紙箱と蓄光機能を有するテイッシュペーパーのカバーと取り出し口用補助具とテイッシュ紙箱の取り出し口の内側ビニールに蓄光機能を加えた物と蓄光機能を有するゴミ箱と蓄光機能を備えた喫煙用ライターと蓄光インクで印刷したタバコの箱と蓄光機能を有する灰皿
【請求項４７】
アルコール飲料用でワインやブランデーは内容物の酒を呼吸させられないと熟成できない為、樹脂製であり特に生分解性プラスチックを使用して水分を通さずシリコンを配合する事で通気性を有する構造と機能を有する樹脂製コルク栓（天然のコルク杉の木の皮より品質を安定させコストダウンさせる）
【請求項４８】
ペットボトル入り飲料とボトル缶入り飲料と飲料缶詰の容器の形状を現在と同じか若干の変更に留めて容器の缶胴にあたる部分を凹まして「ベタ付け」に使われるオマケを容器に埋設させることで容器の形状に収まるようにして容器の缶胴にあたる部分が四角なら面の中に収まり円柱なら円柱内部に収まる形状を有する事で自動販売機にも対応した容器でベタ付けを工場出荷時に着座内に挟着する事で陳列時の店員の手間を無くす事も出来る。ベタ付けとはオマケの入った袋をペットボトルに懸吊する事でキャラメルのオマケみたいな機能を有する。オマケを入れる部分に、ペットボトルに取り付けられるゴム又はソフト樹脂製のほ乳瓶用の乳首と固定用の袋ナット状の蓋（ペットボトルの溝に螺合できる）を入れて育児用のミルクなどの飲料をコンビニや自動販売機で販売する事も可能であり外出先でミルクが無くて困る事を防止する事で育児を支援し新しい市場も作る事が出来る。飲料缶詰は、金属に直接印刷されていたが熱収縮性ポリエステル系フィルムをラベルとして使用する事で埋設や挟着したオマケの入った小袋を捲着すると同時にオマケを取り出す事でフィルムラベルと容器を再資源として分する事にもつながる機能を有する樹脂又はスチール又はアルミ製容器（凹ました分の容積は調整して規定量まで充填する。場合によっては容積を増やす為に缶胴を広げたり長くしたりで調整する）
【請求項４９】
結婚式の後でハネムーンに向かう新婚の車に空き缶を引きずらせる文化の名残りを残す為に結婚記念の引き出物に使用する缶詰に新蓄光インクや夜光インクやブラックライトで発光する不可視インクや蛍光塗料を使用することで装飾性を加え豪華さを感じさせる樹脂製容器とスチール製容器とアルミニウム製容器であり内容物は食品に限定せず中に入れて保存の効くＣＤやＤＶＤやメモリーカードなどのデータ記憶媒体や印刷物や寄せ書きと言った書類を入れる事で記念にする事が出来る容器で野球なら甲子園の土を入れたりして使う容器と車やバイクもエンジンやモーターを入れる容器であり車も文化と解釈して車の盗難防止に車のボディーやオートバイのボディーに不可視インクで一見、無地の塗装にしか見えない状態に車体番号かナンバープレートの番号をガラスとタイヤのゴム部分以外、全体にプリントする事でブラックライトでのみ目視可能にする事で盗難と不法投棄を防止する加工をした自転車とバイクとクルマのボディー（ガラス部分はレーザーで刻印が実施されているので除く）と不可視インクを新聞紙に社名と発行年月日を刷り込んだ地紋にする事で何処を切り抜いてスクラップにしてもニュースソースを後からブラックライトを照射する事で判別できる新聞紙
【請求項５０】
飲料缶詰や食品缶詰の缶の巻締部分のＷ（長さ）を利用して内側にＣＤやＤＶＤ（不織布と透明の袋に入れる）樹脂やコースター型梱包用固定具で固定保護したメモリーカードをオマケに入れた円柱型樹脂又は金属製容器でコースターを付ける場合に限って缶の底の巻締部分の円と同じ大きさにして内側に入り込まないようにしてどちらも熱収縮性ポリエステルで包み込むか樹脂製の蓋で固定した円柱型樹脂又は金属製容器
【発明の詳細な説明】
【技術分野】
【０００１】
各種の飲料を最適な温度と清潔な状態で快適に飲む事を目的とした容器を提供する。液体用の容器で特に各種飲料ごとに種類別に最適の容器を提供する。
【０００２】
加熱して飲む飲料用としてホットコーヒーやココアや紅茶などにはスチール缶の飲料缶詰の缶胴の手に持つ時に熱い思いをしないで済む専用の耐熱・断熱・防水機能を有する素材をグリップ機能としてスチール缶の手で持つ部分に限定して樹脂やゴムや発砲スチロールで吸着、咬止、固着、載設、展着、周設、付着、溶着、接着によって飲料を飲んでいる時に的確に持着されて飲み終わるとスチール缶と断熱性素材が容易に外れる事でゴミの分別を可能にして資源として再利用される構造にする。
【０００３】
内部にスポンジの入った塩化ビニール製の立体シールを缶胴に張り付ける方法は安易だが目的は果たせる。しかし容器リサイクルを考える必要があり例えば缶を踏みつけて潰した時にスチール缶と断熱性素材が圧壊や圧砕で缶と断熱性素材の分離が容易に可能である事と断熱性素材もパルプを使う発砲スチロールからトウモロコシを主原料とした発砲バラ緩衝材を使用したり燃やす事と生分解性を考慮する点が大切である。長期保存の点から缶入りは優れており特にロングライプ商品の場合は、今まで投じた広告費を活かし市場に混乱を招かない為にもデザインを、あまり変えず機能を加える方が従来の自動販売機などの資産を活かす上でも重要である。自動販売機は２５０ミリリットルと３５０ミリリットル入りのボトル又は缶入り飲料が主流なので容器にベタ付け用の蓋を冠着させた場合は、価格が同じで容量が異なる缶の性質を利用して飲料が２５０ミリリットルでベタ付けされるようなオマケを入れる部分を１００ミリリットルの空間にすると３５０ミリリットルの缶と同じ大きさに出来るので自動販売機の規格を変更する事なく実施できる。
【０００４】
最善策はスチール缶に熱伸縮性のポリエステルフィルムをラベルとして使用して断熱性素材は缶を断熱性素材の形状に嵌合させて捲着か被着させて、一見、いつもと同じデザインと銘柄の飲料を消費者に購入してもらい目立った変化は無いのに持ちやすい構造になっていて手が熱くて味より缶を持つのに気を取られず本来の美味しさを堪能できて飲みやすかったと言う印象を感じてもらいリピーターを商品の愛好者になってもらう事がロングライフ商品の長期的ピジョンには大切である。過去に費やした広告費とブランドイメージを無駄にしないで今後のプラスにするには、大きな変化で冒険するより小さな進化の積み重ねが堅実で重要である。
【０００５】
人間の欲求の第一は、苦痛を避ける事であり熱い鉄に入った飲料を持って飲む状況を改善しないのは、提供する飲料が如何に美味しい物であっても人間の生存本能が持つ苦痛を避ける行動様式から考えると熱いと火傷するから手に持ちたくないが寒いので暖かい飲料を飲んで暖まりたいと言うアメニティー（快適さ）を求める部分が反発して消費行動を鈍らせる。あるカップ入りインスタント麺で味付けは同じで容器が断熱性のある発砲スチロール性と断熱効果の低い紙製（一応は火傷防止に２重構造で空間あり）カップの２種類をダンボール箱に入れて自由に食べて貰ったら最初は同じ減り方だったが後の方では発砲スチロール入りのダンボールが空になったのに紙製カップ入りは、多少持つと手が熱いだけで半分以上が残ってしまった。この実験から加熱して飲む飲料にはコーヒーカップの持ち手にあたる部分やお茶の受け皿にあたる部分の機能をスチール缶に持たせる事で差別化が可能である点が明確になった。
【０００６】
但し加熱する為には温蔵庫や自動販売機による加熱する熱を伝える部分を無くす事は出来ないので缶の表面の手で持つ部分に限定して樹脂やゴムや発砲スチロールで吸着、咬止、固着、載設、展着、周設、付着、溶着、接着などの方法で固定する方法と缶の周囲をペットボトルと同じくラベルを樹脂で巻く構造にして、その中に樹脂やゴムや発砲スチロールを固定する方法があり圧潰した時に素材が分離する方法が良い。
【０００７】
缶コーヒーなどの缶入り飲料をダンボールで購入して鍋にお湯を入れて缶ごと温めて飲む場合は温蔵庫の温度が６５度に対して高温になる危険が高いので育児用のほ乳瓶はさみでお湯から取り出す必要がある。取り出しても今の缶入り飲料の構造では手で持つのも大変である。お湯から取り出したらタオルで缶を拭いて洗濯用の竿を固定する洗濯ハサミに似た構造の保持具を発明したので缶を挟んで持ち手部分を持って飲むタイプも発明した。飲料が熱い時は、啜って飲む事で温度を下げるがカップのアタッチメントが熱くない為にうっかりぬるい状態と勘違いして飲まないように注意してもらう必要がある。
【０００８】
缶コーヒー・紅茶・缶入りのお茶・甘酒・ポタージュスープ・おしるこ等の飲料缶詰で加熱用缶飲料を如何に美味しいとされる適温で飲んで貰えるかが重要である。自動販売機やコンピニで適温状態で購入する消費者には適温で提供されるが、それ以外にスーパーやディスカウントストアでダンボールでまとめ買いしたり買い置きしておく、お客さんも適温で飲めるようにする必要がある。ベーチェット効果で温度を切り替えられる電子冷蔵庫を持っていても小型なので枕元に置いて使う人が多いので温蔵庫と冷蔵庫を切り替えるのは面倒である。
【０００９】
電子冷蔵庫を２台使うか台所の冷凍冷蔵庫に冷たい飲料を入れて冷たい飲料を台所まで取りに行くか冬は、枕元の電子冷蔵庫を温蔵庫として使うか迷ってしまう。まして電子冷蔵庫が無ければ缶を温めるのは手間である。直接、火にかける事も出来ず電子レンジにも入れられず鍋でお湯を沸かしてアルミ容器入りレトルト食品のごとく温める事になる。最近では電子レンジで直接、温められるレトルト食品もある。缶入りミートソースを缶ごと温めて鍋を汚さないでスパゲティーを作ったがミトン手袋型の鍋つかみでは、汚さずに缶を持つのは大変であった。鉗子構造のほ乳瓶用ハサミもナベの縁に柄がぶつかり取りにくい。トングでは、しっかり保持出来ず火傷の危険があり掴み取り出す事すら無理だった。大きな蒸発皿で湯せんするなら、ほ乳瓶でも代用できる。昔の牛乳の湯せんを思い出してほしい。缶入り飲料は破裂の危険があるがガラス製の牛乳ビンは紙製のフタなので気圧でフタが開いて蒸気がぬけた。ガラスは温度変化で割れるので缶入り飲料の余熱で温める事は出来ないなど取り扱いは慎重に行う。
【００１０】
缶コーヒーなどの加熱飲料を飲む時にハンカチやティッシュでくるんで持って飲んでいる人や手袋を填めたまま飲んでいる人がいるが缶を開ける時は素手になる。缶が熱いから脱いだ手袋を又填めてまで缶コーヒーを飲むのは手間である。缶に入った液体が布や紙に付着して使い勝手も悪い。飲料の缶に紙製のダンボール紙を加熱後の飲む直前に水分を取り除いてから周設・捲装して保持具にする方法もある。樹脂製のダンボールの方が水分に強いが湯せんすると水分がダンボール構造の空間に残るので拭く必要がある。耐熱性がある樹脂で作る事も重要である。紙製や樹脂製にしてもせっかくなのでロゴやマークや図案やイラストやキャラクターを印刷して飲料のイメージアップや宣伝を怠らない。缶などに巻いた後の固定は貼接や掛止や嵌入などがある。食品の入った缶詰をレトルト食品と同様の方法で湯せん、つよりボイルして加熱しても取り出すのに便利な器具が無いので破裂防止に缶を開封してからお湯の入った鍋で煮て温めると鍋の熱湯だけ捨てて開封された缶を取り出せずタオルなどの布で缶だけ掴む前に熱湯に入ってしまうので大変である。これについては本、発明の器具を使う事で解決した。レトルトパウチ食品自体も熱湯から取り出して皿に盛りつける時に袋が熱くて内容物を完全に絞り出せないので本、発明の器具を使って絞り出せるようにした。
【００１１】
請求項２の洗濯ばさみ構造の保持具を使うと缶の大きさが多少異なってもしっかり缶を挟んだまま固定出来る。リング状のスプリング方式である。コーヒーカップやティーカップやマグカップの持ち手にあたる部分が缶を挟んでいない時には広がっており缶を挟むと重なり合わさる構造である。これを使うのが面倒であれば請求項１の素手で持っても熱くない機能を有する保温飲料用缶入りスチール容器入りの飲料を購入する。熱湯から取り出す時はいきなり請求項２の保持具で掴むと危険なのでほ乳瓶ばさみと同じ構造の鉗子機能の請求項３の取り出し器具を使う事が良いが無ければ鍋から熱湯を捨てて請求項２の保持具を缶の水分を拭き取ってから挟み付ける。飲料用の缶やボトルやビンには液体が低温で凍って多少なら個体化して膨張割れない為の空間を残している。完全に個体化すると割れるので気圧の変化に対応する程度の空間と言う方が現実的であるが食品を入れる缶詰よりは空間は多い。沸騰したお湯に長時間つけると危険であるが沸騰したお湯の火を止めて余熱で温めると破裂の心配と言う点で安全である。鍋に入れて火にかけたら沸騰したらスグに火を止めてから缶を入れて余熱で温めて容器内部の飲料の温度は６５度〜８５度にすると良いがガラス製容器で行ったら割れる。基本的には缶を開封して湯せんする使用法を徹底させる。その為の取り出し器具である。
【００１２】
素手で持っても熱くない部分を缶の表面又はラベルの内側に有する保温飲料用スチール缶の容器に入った飲料が提供されていなくても現状の缶飲料に保持具は使用可能である。請求項１の機能を有する缶もペットボトルも飲み終わった後でスチールとポリエステルフィルムと断熱性素材の分離をユーザーに求めるとしたらポリエステルフィルム自体がクローズド懸賞の応募ハガキやポイント機能を兼ねていて剥がして使う必然性を作ったり、ラベル裏面がクジになっていて当たりが出ればもう１本貰えるとか１０〜２０枚集めると１本貰えるなどのサービスを行う事で剥がす習慣を作れば良い。
【００１３】
アイスキャンディーのベタベタしたビニールからポイント部分を切り取るよりは缶やペットボトルのフィルムを剥がす方が手が汚れないだけ楽である。自動販売機のルーレットクジより良い。１００枚集めるとノベルティーグッズが貰えるなども良い方法である。フィルムを剥がすと裏面に、占いでも印刷してあるなんて古い方法もあるが、この程度ではユーザーは手間をかけてくれるか疑問である。ベルマークを付けている飲料もあるが少子化社会ではラベルにベルマークを付けても義務教育の子供でも育てていないと切り抜かない。ＰＴＡの役員でもやっていなければベルマーク集めに力が入らない。核家族や独身世帯のニーズを満たす物を付ける必要がある。いっそ二次元コードを印刷してゲームが出来るとか音楽が聞けるぐらいの情報なら効果はある。インターネットのアドレスの入ったＱＲコード（二次元コード）だとシリアルナンバーで管理する必要があるので不法にダウンロードされない配慮も必要である。特願２００４−１２９２０５で言うアミ部分をバーコードデーターにすればラベルの裏の面積でかなりの情報を入れられるがＱＲコードにシリアルナンバーを入れればラベルの裏面に印刷する手間もいらない。但し携帯電話での電子万引き防止の為に二次元コード（ＱＲコード）にシリアルナンバーを入れる場合は二次元コードを隠す必要があるので「感熱接着フィルム」と言う一度剥がすと開封された事が解るようになっている銀行やクレジットカード会社で良く使うハガキに使われている感熱接着フィルムの下に離型樹脂の下に支持層があり、その下に感熱接着フィルムがあるシールを使用する。支持層フィルムはＰＥＴ（ポリエステル）の２軸延伸フィルムで離型フィルムは低密度ポリエチレン、アイオノマーなどで感熱接着樹脂はエチレン―酢酸ビニール共重合体（ＥＶＡ）などのフィルム又は、それらに接着剤を添加した物で押出ラミネーション法と熱ラミネーション法で作る。このシールで二次元コードを隠すか「スクラッチインキ」と言う銀色のアルミペーストと体質顔料とゴム系樹脂と石油系溶剤のインクを使う方法もある。透過性によりデジタルカメラで識別できる場合は裏面印刷をする必要があるが飲料の色や光の屈折や反射で裏面印刷は省略可能である。これが目視可能で記憶できる数字の配列でシリアルナンバーを印字するなら裏面印刷は飲料の色で必要か決める。二次元コードは音声読み上げタイプもあり情報量は多い。ラベル表面に二次元コードを印刷して隠す為の処理が必要でコストがかかるならラベル裏面に二次元コードを印字する方法もある。この場合はラベルを剥がす必然性が出てくるので資源の分別にも結びつく。様々な形状や色で作られている化粧品の容器をリターナブルする為の識別にも二次元コードを利用すると便利である。この場合はビン又はラベルに印字する。
【００１４】
ゲームソフト会社とタイアップして隠しイベントや隠れキャラクターを入手出来る。表面に二次元コードを印刷してゲームが出来るとか音楽が聞けるか音楽会社や芸能プロダクションやゲームソフト会社とタイアップして音楽データや画像情報や隠しイベントや隠れキャラクターを入手出来る様にインターネットのアドレスの入ったＱＲコード（二次元コード）にシリアルナンバーを入れる事で管理して（シリアルナンバー１つに付き１回のダウンロードに限定する等）不法にダウンロードされない配慮を施したデータ配信サービスをすれば良い。裏面に印刷して意味があるのは電子万引き防止の感熱接着フィルムやスクラッチインキのコストや手間がかかる場合か特願２００４−２０４０７４の物なら意味があり意義も大きい。二次元コードを共通としてシリアルナンバーを割り振って入力してもらう方法も同様に感熱接着フィルムを使ったシールやスクラッチインキで番号を隠す必要がある。ＳＰコードという活字（文章）を二次元コード化してパソコンや活字文章読上げ装置で音声で読み上げるコードを利用する方法もある。二次元コード機能は年賀状作成ソフトに機能として付いている物まであり普及している。加熱して提供しないペットボトル入り飲料とボトル缶入り飲料と飲料缶詰の容器の形状を現在と同じか若干の変更に留めて容器の缶胴にあたる部分を凹まして「ベタ付け」に使われるオマケを容器に埋設させることで容器の形状に収まるようにして容器の缶胴にあたる部分が四角なら面の中に収まり円柱なら円柱内部に収まる形状を有する事で自動販売機にも対応した容器でベタ付けを工場出荷時に着座内に挟着する事で陳列時の店員の手間を無くす事も出来る。ベタ付けとはオマケの入った袋をペットボトルに懸吊する事でキャラメルのオマケみたいな機能を有する。飲料缶詰は、金属に直接印刷されていたが熱収縮性ポリエステル系フィルムをラベルとして使用する事で埋設や挟着したオマケの入った小袋を捲着すると同時にオマケを取り出す事でフィルムラベルと容器を再資源として分する事にもつながる。凹ました分の容積は調整して規定量まで充填する。場合によっては容積を増やす為に缶胴を広げたり長くしたりで調整する事ができる。ストローを埋設して挟着する着座用の成形された溝を外装に有することでストローを付けてもストローが出っ張らないペットボトル容器やペットボトルの着座に合わせて形成されたストローで樹脂製の袋に包まれている事で表面が紙で内部がアルミ製のロングライフ牛乳の容器に袋が接着か溶着されている２段のロッドアンテナ式ストローの様に飛び出さず埋設されてスッキリ見える様にジャバラ部分の折曲部を２カ所設けて長さを確保したストロー（ストローを飲料内に入れて弾性で蓋を開けると出る方式は、衛生上の問題で飲料としての認可が取れない為、封かんと飲料への異物混入とならない為に容器の外部に取り付ける必要がある）にも応用できる。紙の容器の場合はストロー用の凹みを付けられないので接着しているが樹脂製容器と金属製容器なら凹みを付けるのも可能である。
【００１５】
ペットボトルのキャップは外すとジャマなので丈夫なボトルの底を利用してキャップを遊嵌させたり挿着させたり挿脱させるキャップの大きさの凹状のみぞを付けてキャップは溝から取りやすい形状に一部修正する。熱いお茶用ボトルはボトル横部分にキャップを抜脱する凸状のキャップ内径の突起を付けるペットボトルの口部分の細くなっている空間を利用してキャップを凸状のキャップ内径の突起を付ける。
【００１６】
１リットル・１，５リットル・２リットルの大瓶の場合はボトルの注ぎ口とボトルの太い部分の差で生まれる空間が十分広い。ドリンクの口部分の細くなっている空間を利用してキャップを抱持状にはめ込む突起を付ける。プレス成形可能なアルミ缶とペットボトル中心にデザインしたが、基本は箸置きの持つ機能と清潔感であり一時的にキャップを固定するなら円形の両面テープを貼るだけで十分である。但しペットボトルは開封して口をつけたら汚れた手から細菌が入り増殖する恐れがある。食中毒の原因となるサルモネラ菌・腸管出血性大腸菌Ｏ１５７・黄色ブドウ球菌・などが繁殖する恐れがあり中の飲料の種類で繁殖するスピードが異なりウーロン茶と緑茶では８時間後に変化しなかったのに対して水ではサルモネラ菌が増加し紅茶ではＯ１５７が増加する傾向がありスポーツドリンクではペーハーが３と低く微生物が生育できないという特徴が見られたが飲料の開封後の温度３２度でのデータであり菌を植えて実験しているので確実に繁殖する菌が混入するとは言えないが開封後、冷やして飲む場合は５〜１０度以下が適温で加熱して飲む場合は約６５〜８０度ぐらいが適温だとして、ぬるくなったり冷めたりする前に飲み終えるのが安全である。開封後、コップに注いで冷蔵庫にスグに戻すなら牛乳以上に保存は可能である。ペーハー７は中性なので細菌の繁殖が起こりやすいので特に注意が必要である。水道水の場合は塩素が入っているので多少は保存が可能である。但し浄水器を通した水は塩素も除去されているので水道水より保存できない。
【００１７】
栓抜き機能を有し外した王冠をビンに掛ける形状と大きさを有する穴を指で引き抜いて開けるプルオープン式の王冠も発明した。王冠のギザギザは３点固定が安定する事から３の倍数の２１のギザギサを有する。特大ビンはギザギサを２４にして炭酸ガスの気圧に耐えている。その為、ブルオープンと王冠の境目部分も王冠の周囲と同様に搾る必要がある。更に指を入れて引っ張ってあける部分の半分程上でビンの口に近い部分に未開封かどうか一目で識別できる様に封かんフィルムを捲着する。フィルム素材はペットボトルのラベルに使用されている熱収縮性ポリエステルやビン入り飲料なら加熱して提供する飲料は入れられていないので熱水剥離可能な接着剤を使用しても良い。王冠（クラウン）のビンの口に締め付けて結合させて栓を封止する時に出来る溝は栓抜き部分にも事前に縮退加減に形成してビンの蓋が完全に閉まるまうにする。引っ張る部分の穴を大きくして栓を抜いた後はビンに懸吊させられるようにする。引いて開ける時に指を切らないように安全なリングプルにする。手のの切れないプルトップ缶の形状も応用する。丸めてカド（バリ）が出ないようにする。
【００１８】
王冠を開けたらビンに掛けておく。クラウンが首飾りとなりビンを飾る。ひと口飲んでテーブルに置くと丁度、
サンドレス・ローブデコルテ（ドレス）・ワンピース・ビスチェを連想させる。ドリンクの色によって服をイメージできる。重たくて減少しているビン入り飲料であるがリサイクルというよりリターナブルビンとしてリユースできるので何回も使ってほしい。王冠部分とリングプル部分はビン口の細い部分から円筒の太い部分の間に収まるように沿わせるように固定する。（輸送時にぶつかって栓が抜ける事が無いためでありパスカルの定理みたいに延長線を引いてバニシングポイント「消尽点」に完全に収まるようにする。その為にリングプル部分はビンの丸みに合わせてアールなりカーブを付ける。
【００１９】
栓抜きが無いと開けるのは至難の技であった。しかも栓抜きで抜いたクラウン（王冠）を、じかにテーブルに置くと栓の裏を上に向けるので不潔感があった。最近では、王冠の付いたドリンクを買う機会が激減しており栓抜きの無い家庭も急増している。入院の時でさえ缶切りと栓抜きを持っている人は最近少ない。ビンは缶ジュースやペットポトルよりリサイクル性が高く現在も飲食業で使われている。高いお金を払って飲食店でソフトドリンクやビールを注文しても王冠をテーブルに直接置くデリカシーの無い店が多い。どんな物でも適切な場所に置けば美しく見える。王冠が栓を開けるとタダのゴミでは、つまらない。そこで勲章やペンダントをイメージ出来るようにプルアップ部分をビンに架けられるようにした。
【００２０】
ソフトドリンクでもビールでも何となく飲み屋とかでウイスキーのマイボトルを飲んでいるようなリッチ＆ゴージャスな気分にもなれる。現在、流通しているビンを、そのまま使える汎用性あるデザインなので長年かけて消費者に浸透したイメージを、そのまま保てるので大きな宣伝なしでも消費者は戸惑わないですむ。
【００２１】
１９１５年にデザインされレイモンド・ローウィーが「何の改良の余地が無い」と言ったコンツァーボトル（ホブルスカートボトル又はメイ・ウエストボトル）にもボトルはそのままで、このクラウン（王冠）を使用できボトルに王冠を掛けるとブローチをしたドレスの女性をより強力に連想させる事ができ機能美と装飾美を一体化させた。
【００２２】
現在は立体の登録商標で永久権になっているコカコーラのビンにも装着可能である。ビンの口が螺子構造のスクリューキャップでコンッアーボトルの形状のビンも作られているが従来のビンと比較するとデザインのバランスが劣る。コカコーラに限らずリボンシトロンやキリンレモンのビンにも同様の雰囲気が出て現代風カジュアル感までをも、かもし出せる。急激に栓抜きの消える２１世紀に環境を守るには作る事を減らして現在、残っている物を使う為に発明した。クラウンの材料も、スチールの空き缶（アルミ缶より安いコスト）で十分である。アルミで作ると強度が落ちる可能性がある。この利用で栓抜き分のアルミ使用量を減らし製造コストもかなり押さえられ空き缶リサイクルのアルミ缶とスチール缶の需要バランスも多少は修正されるだろう。  開けて飲める便利さに慣れて栓抜きを使うドリンクはめったに見かけないが、このデザインで売り上げが確実に上がる。ビンが重いので飲食店での需要アップが望める。銭湯やコンビニの店で購入して外でラッパ飲みしても王冠（クラウン）がジャマにならないようにビンに架けられ片手でラッパ飲みしてもカッコいい。飲み終えたビンは銭湯で牛乳を飲み終えた時のように店頭で返却することでリターナブルビンとしてリユースする環境面での負担が無い所まで一連の動作で伝える。ＣＭ次第で、この飲み方をすると昭和初期のレトロ感も味わえてビンの回収とリンクしたライフスタイルとして流行（はや）らせるのも夢ではない。
【００２３】
ビンにクラウンが架かったまま回収出しても影響なく逆さまにするだけでニュートンの万有引力の法則により懸吊されたリングプル式クラウンとビンの分離が可能である。よってリサイクル性が高く環境に優しい。栓を開けると、ただのゴミだった王冠に素手で開けられる機能性と開けた後もビンに掛ける事で装飾性を持たせて機能美と装飾美が一体化したデザインである。
【００２４】
ペットボトルやソフトドリンクのビンの懸吊できる王冠に限らず高価な酒の入ったガラス製や陶磁器製ボトルに応用する場合は、キャップの型に合わせて保持具を高級感ある木製から豪華な金属製や陶磁器製やプラスチック製などガラスビンに合わせて作ると良い。マイグラスやマイカップを店に預けるのと同じにマイボトルに高級で高価なキャップホルダーを実用を兼ねた装飾品として付けるサービスをしても良い。箸置きのキャップ版である。ワインのコルク栓にも応用できる。アルコール飲料でカクテルも市販されている。カクテルはカクテルグラスで雰囲気も味わうように飲んで満足感が得られる。デザート用の樹脂製容器のように形状や機能を加えて喫茶店やレストランなどの飲食店で食べるイメージに近づけている。アルーコール飲料を入れる容器にも同様の工夫がほしい。そこで従来の缶やビンの形状やデザインを活かして、しかもイメージに夜のネオン街の華やかさを取り入れる発明をした。機能性インクを装飾に使うことで光らせたり発光させたり薄暗くなると光るインクで金属製容器やガラス製容器又は、そのラベルにプリントする。実施例として例えばヘネシーのボトルにＬＶのホログラムがプリントして光を放っていて、おまけに会計の時にルイビトンのサイフから支払いをするとモエ・ヘネシー・ルイビトンがグルーブだと知っている人にウケる。図面では飲料メーカーのトレードマークのホログラムを印刷する事を想定してＴＭか（Ｒ）を使って描いておく。仕立屋は魔法使い並みに童話に出てくる。現在の仕立屋は登録商標の４０類に該当するが裁縫業の中にはオートクチュールも含まれる。化粧品を入れる容器や香水瓶やシャンプーの容器にも利用できる。モードや酒は遊び心が大切である。使用するインクは夜光インクの場合、放射性夜光インクと蓄光性夜光インクの２種類がある。新蓄光インキは長残光性アルミン酸塩蛍光体を顔料として使用したもので現在はシンクスクリーン印刷用がある。顔料は有害物質を含まず安全性が高いが粒子が大きい為オフセットやグラビア印刷に向かない。もともと顔料の色も薄いので従来の缶のデザインに装飾として通常は目立たないように印刷する。不可視インキに近い使い方でデザインする。同時に、通常は肉眼で読めない不可視インクで印刷する事でブラックライトを当てるとデザインした模様や文字が蛍光インクによって浮かび上がる印刷物を提供する。
【００２５】
このインクはパスポートの顔の部分やクラブやディスコの入場料を払うと手に押すスタンプに使われている。耐水性のあるタイプを使う。ライブハウスでは缶入に入ったままのドリンクを提供するので雰囲気を高める装飾とにする。ガラス瓶入り飲料にも応用できる。ビール瓶でもブランデーやバーボン・ウイスキーにスコッチ・ウイスキーなどのスピリッツ（ジン・ウオッカ・ラム・焼酎など水で割って飲んだりカクテルにするベースとなる酒）のビンやベルモットやリキュール酒やワインと言った果実酒の瓶でも良い。酒の中には超高額商品もあるので容器へのコストもかけられる。チアパック入りカクテルの容器にも使用できる。セラミック製のアルコール飲料用容器はフィギュアタイプも多く干支やクリスマスツリーや馬車や汽車や船や飛行機や飛行船お城や人形や動物など様々な形の物があるので機能性インキ（夜光・蓄光・蛍光・不可視・発泡・示温）をパッド印刷により装飾する。クリスマスツリーに光るデコレーションを付けたりバースディー用スパークリングワインに新蓄光インクで装飾するとケーキのローソクを消すときフアンタジックな雰囲気を演出できる。アルコール飲料の容器を光らせると夜間にトラック運転手が運転しながら飲酒している現場を警察官が目視しやすく現行犯での検挙率が上がり交通事故の減少にも貢献できる。最近の容器はジュースなのか酒なのか良く見ないと識別しずらい。子供の非行防止にもなる。不可視インキの場合もパスポート確認用のブラックライトを警察官が携帯し使用すれば発見しやすい。懐中電灯を向ける前にブラックライトを事前に向ける事で相手が酔っぱらいか酔っていないか判断材料に出来る。
【００２６】
酒瓶用キヤップホルダーはアルコール飲料のボトルに粘着テープで張り付ける事で使用可能である。特に酒ビンはガラス製が多く酔っぱらった時にキャップを落とさず特に便利である。バーやクラブにキープしているボトルのキャップを酔っぱらって床に落として拾って使うのようでは、折角のリッチな気分が壊れてしまう。マイボトルのキャップもテーブルに机に置いて酒を注がれるのは気が散る。もし側に喫煙者でもいて灰皿のそばにキャップがあり吸い殻でも落とされないか気になってしまう。特に飲み屋のガラス製酒ビンのキャップは軽く何かの弾みで床に落とす事も多かった。拾うには椅子から立って、かがんだりと特に酔っていたりすると拾うのも大変であった。そこでガラスビンの形を変えず金属・鼈甲・象牙・珊瑚・木材・ガラス・樹脂などの装飾品や日用品に使われる様々な素材を使って酒ビンに合わせて接着固定が可能なキャップホルダーを作り提供する。酒ビンはガラス製が多く酔っぱらった時にビンの蓋を落とさずに便利である。スクリューキヤップなら何とか我慢もできるがコルク栓では洗わないといけない。アルコール飲料用の中には気密性容器では内容物の酒を呼吸させられないと熟成できない物がありガラス瓶にコルク樫の皮のコルク栓を使っているがコルクの臭いが酒に混ざると味を落とすコルキー現象が起こる欠点があったのでゴアテックスと言う繊維のように生分解性プラスチックで水分を通さず通気性を有する機能を有する栓を使う事で天然の樫の木から作るコルク栓のコストを下げ栓の品質を一定にする事もできる。しかも無臭であり酒に臭いをうつさない利点もある。
【００２７】
バーやクラブにキープしているボトルのキャップを酔っぱらって床に落として拾って使うのようでは、せっかくのリッチな気分が壊れてしまう事が無いように本、発明で問題を解決する。しかも使用後のリサイクルについても配慮する。「新しい酒は新しい皮袋に盛れ」と言うから「新しい酒は新しい容器に入れる」遊び心ある容器のデザインも必要である。ビンのラベルは紙製と樹脂製のフィルム状が殆どで一部に封印用の蝋に紋章を模した樹脂製の飾りが付いている物もあるが皮製のラベルは無い。皮製のラベルを使うと高級感が上がる。酒造り自体が想像を絶する程の食材の無駄と膨大な時間を費やして作られた飲み物である。ジュースの濃縮還元の比では無い。日本酒なら米でありビールなら麦である。特にワインは膨大な葡萄から僅かしか取れない。赤ワインは神との契約の血と言う宗教もあるが膨大な材料と手間の結晶からしたたり落ちる部分が美酒となる。ブランデーは天使の分け前で二割減る。医療費負担は本人負担が二割から三割負担になった。胡麻と労働者の場合は搾れば搾る程に油が取れると言うが酒の場合は無駄を覚悟でないと作れない。酒を楽しむ人も経済的・時間的・空間的・精神的ゆとりと安定した繁栄があって楽しめる飲み物である。条件が揃わないと破滅に向かう危険を伴う。飲む打つ買うが揃うと波乱が待っている。公害ほど広範囲で無いにしても環境問題以上にアルコールは依存症になると家族や周囲の人間から他人まで迷惑をかける危険があるので生活の中で習慣化しないように適量を守る。酒は酔うので危険への遭遇度は高い。
【００２８】
容器包装リサイクル法による分別収集量と再商品化量については、１９９９年の資料によると「無色ガラスビン＝約３２５０００トン」「茶色ガラスビン＝約３０００００トン」「その他ガラスビン＝約１５００００トン」「ペットボトル＝約８００００トン」「スチール缶＝約４８００００トン」「アルミ缶＝約１４００００トン」「紙パック＝約１００００トン」で分別収集量より再商品化量はそれぞれの分類において約３％程少ないが再商品化とは一反は原材料に戻してリメイクするため不純物を取り除く作業などで約３％程のロスが出る事や原料に戻す工程を考えると必ずしも原材料から作るよりコストが安く出来るとは言えない。環境負荷もコストであると言う信念を持たないと新しい原材料を買って加工した方が再商品化するより安い場合もありえる。
【００２９】
ソフトドリンクの容器別の生産量を見るとスチール缶の減少が目立ちペットボトルの生産量は大幅に増加している。スチール缶のデメリットをメリットに代えるには加熱飲料を提供した時に持ちやすい機能を加える事で需要のバランスを取る意味でも本、発明は意味を持つ物である。スチール缶は、消費されたのち資源ゴミとして分別して捨てられてから分別収集される。磁気を使った磁選機選別が可能なので他の容器より分別しやすいと言う点でリサイクルしやすい素材で出来ている。これを鉄スクラップにして製鉄所で溶かして薄膜を加工・印刷して空缶（くうかん）を作る場合と鋼材になる場合がある。
【００３０】
スチール缶はシェアの減少が起こっているので加熱飲料を入れても持ちやすい事や形状を変えて鼻に当たらなくしたりオマケを冠着して新しい需要を作る必要がある。ポリエステルフィルムを使用すれば薄膜を加工する時に印刷を省略して後でラベルを捲着させて熱伸縮させる事で缶とラベルを密着させて製造する。アルミ缶は、炭酸入り飲料に多く使用されており冷たく冷やした状態で提供される飲料に使用される。特にビールや発砲酒に使われている。
【００３１】
良くアルミは電気の固まりと例えられるが実際にアルミの製造工程では、原料となるボーキサイトからアルミの地金を作らなければならず、この工程で大量の電力を使う事から電気料金の高い日本国内では、アルミ地金になり加工されて使用後に捨てられたアルミ製品をリサイクルの為に６６０度以上の熱でアルミ缶を溶かして再生地金（アルミの固まり）にしてからアルミ缶製造用の薄い板を作り、アルミ缶を作り飲料を入れて店頭で売られます。その為、再生地金を作るにはボーキサイトから作るより少ない電力で済み省エネルギー率が高い事から環境負荷は軽い。
【００３２】
アルミ缶は炭酸飲料が多いのでアルミ製のボトル型も増えており従来の缶型の様に鼻にぶつからず飲み残したら蓋が出来るので炭酸をあまり逃がさない利点もある。本、発明では、このボトルに円柱状の蓋を冠着させる為の溝を横設して咬合状態で固定され使用時に抜脱できる円柱状の蓋の中にベタ付けされるオマケを入れる事で自動販売機でもベタ付けのオマケを付ける機能を付けて玩具や、つまみ（乾き物）や宣伝用試供品を入れたり蓋をコップの代用にも使用出来る発明もした。アルミ缶への直接印刷とフィルムラベルに印刷した場合のリサイクル時の手間とコストを押さえる事が出来れば熱水剥離可能なラベルの使用も考慮して良いが現在の工程ではラベルを剥がす設備投資が必要があれば従来通りに直接印刷する方法を続ける。
【００３３】
ラベルを付けたままで再生地金を製造する為に溶かして良い材質のフィルムラベルであり捲回や捲着の時に接着材が必要であれば同様に再生地金の材質が劣化しない事が最低条件である。使用する接着アルミ缶のリサイクル率は１９９９年のデータで７８，５％で販売量が１７０億缶で回収量が１３３億缶であったが増加傾向である。
【００３４】
飲料用の容器として一番、普及、浸透しているのがペットボトルである。素材は樹脂製で透明度が高い。最も透明なのは、プラスチックオプティカルファイバーでＰＯＦという光ファイバー用の素材で空気より透明度が高い。
【００３５】
自動車排ガスによる大気汚染で白い服を着て歩くと数時間で薄汚れる外気とは比較にならない。ディゼルエンジンの内燃機関は潤滑油を使用するのでＳＰＭ（浮遊状粒子物質）は粘着性を有す為、糊の付いた砂の様に粘着する。白い紙に乾いた砂を降りかけても砂は紙に粘着しない。紙に水を付けると一時的に砂は紙に付着するが乾くと取れる。これを油で行うと油と共に紙に染み込んで付着したまま取れない。吸い込んで肺に達すると中に粘着して呼吸機能に障害を残す。肺が紙でＳＰＭは糊の付いた砂だと置き換えて想像すれば理解しやすい。プラスチックオプティカルファイバーでＰＯＦという光ファイバー用の素材は固体なので、この様な空気を含まないので透明度が高い。電気信号の２００倍の速度であり光通信の普及も早く、以前、運営していたＢＢＳにおいてＮＴＴによるナンバーディスプレイサービス開始前からＩＳＤＮ同士の回線は、番号が表示されておりＩＳＤＮを使った発信先の電話番号を着信時にターミナルアダプタに記憶させて付属のソフトで読み出してホストプログラムのログファイルのＩＤ番号と照合させて本人の認識を行う方式を１９９４年からすでに実施していた。ＢＢＳは１９９１年から運営し当時のＩＤ発行時から電話番号の登録も行っていたので現在の特許庁のオンライン出願の本人認証システムの先駆けである。しかしＩＳＤＮでは現在のオンラインゲームでは通信速度が遅すぎてゲーム環境を作れない程に光ファイバーによる通信は普及した。電気信号は０と１に対して光ファイバーは光の波長を色として伝える事も可能で色も０と１で伝える事が可能なので２００倍の速度に加えて情報量も多い。光の波長は赤は６００〜７００ｎｍ・緑は５００〜６００ｎｍ・青は４００〜５００ｎｍである。
【００３６】
石英ガラスも同様に透明度が高いので光ファイバーに使われている。透明度が高い為にペットボトルはリサイクルマークが１でＰＥＴである。ペットボトルはプラスチックの一種であるポリエチレンテレフタレート樹脂であり繊維原料やペットボトルへ再利用される。ペットボトルとしてリサイクルする場合は、不純物の影響が大きく金属缶を溶解して再生地金にするよりも不純物の影響を受けます。特に、ペットボトル同様に透明な塩化ビニールとの識別は難しくＸ線で塩ビボトルを探知して除去してから着色ボトルは分離して繊維製品は制服やワイシャツやフリースやカーペットに加工したり洗剤用ボトルや化粧品容器や文房具の容器や保持具部分など飲料用容器以外になる事が多く他の異物の除去をして透明ボトルのみを８ｍｍの四角に粉砕した後でＰＥＴのフレーク状になったのでアルカリ性洗浄液でフレーク洗浄して液体を使って比重分離により金属・ポリエチリン・ポリプロピレン・ＰＥＴを分離して脱水、乾燥させて風選分離という下から一定の風圧をかけて重い物は低く軽い物は高く吹き上げられる性質を利用してラベルや微粉末を除去する。さらに比重分離や風選分離でも残ったアルミニウムや金属の分離を静電気を使って行い溶解してペレットにします。この様に手間とコストがかかる為、ガラス瓶の様にリターナブル（再使用）することも検討されています。最も環境にやさしいと言う点では再使用となります、ガラスは昔からリターナブルされており溶かして原料にするエネルギーを使わずガラスを洗浄してビン詰め工場で中身を充填して商品化できるからである。リターナブル出来ないビンはワンウェイ瓶としてカレット（原料）に加工されている。
【００３７】
現在の飲料用容器のリサイクやリターナブルに加熱飲料のボトルや缶に使用する断熱性素材であるが本、発明では保温性を重視する必要が無い。保温性を高めると密封状態で加熱する時に缶やボトルに熱が伝導する事を妨げてしまう。湯せんや温蔵庫での加熱提供を主としている為、持ち手の機能を添付着させる事であり展着状に載設や敷置や嵌入や嵌合や埋設してから接着やラベルによる捲着や捲回により容器の円柱部に周設し付着させて固定させる事を目的とする。これにより断熱部分を素手で掴持しても熱い思いから解放される。
【００３８】
ハンカチやテイッシュで把持したり抱持したりしないで気軽に手で掴んで飲める。ゴムやコルクや衝撃吸収用のビニールに沢山の数の円を溶着と圧着して表面は円柱状に空気を入れて膨らませて裏面は平らな構造を有する梱包材（お菓子や電気製品の梱包に使われ暇潰しにプチプチ潰す事からプチプチシートとも言う）を平らな面に印刷する事で缶に印刷する効果と同じにして接着や粘着させたり発砲スチロール（スチレンペーパー）の硬さを利用して嵌合させたり嵌着させて持着させて固定できたら発砲スチロール事前に印刷したり文字やマークを立体的に成形しておく事も可能である。これはゴムやコルクや樹脂にも行える。缶入り飲料や缶詰やレトルトパウチ食品を熱湯から取り出したり加熱したまま飲んだりする為に発泡スチーロールや発泡インクや発泡ゴムインクを使って断熱効果によって熱い状態を改善する。
【００３９】
樹脂の場合は飲料と容器の外側で手で持つ部分に空気を入れて断熱部分を作る。ガラスのコップに入ったホットレモネードのグラスをはめ込む持ち手の付いた金属製グラスホルダーの役割を使い捨てにされる缶詰や缶入り飲料やペットボトルやアルミボトル製飲料にリサイクル容易なように加える。紙コップにコーヒーを注いでダンボール紙をカップに巻いて持つ時に手が熱くないカップホルダーの代用品ではお湯で加熱する事の多い缶飲料では紙製のダンボール紙では使い物にならない。特に保存可能の飲料には保存の温度変化によって大気中の飽和水蒸気により濡れる事もある。樹脂製のダンボール紙構造の場合は使用可能である。発泡スチロールは、ポリエチレンというプラスチック樹脂をブタンなどの発泡剤ガスを用いて膨張させた物である。発泡スチロールは大きく分けて、魚箱や緩衝材に使われるビーズ法発泡スチロールと食品トレイに使われる「ポリスチレンペーパー（発泡トレイ）」と断熱建材に使われる「押し出しボート」に分類される。発泡スチロールは気体を含んでおり体積が増している為、熱や溶剤で溶かして体積を減らします。中には微粉砕する事もあります。発泡スチロールの溶剤にはオレンジ廃物利用として柑橘系果実の皮に含まれるレモネンが使われます。リモネンと発泡スチロールの混合液を分離して再利用処理して再生ペレットからポリスチレンとなり発泡スチロールとして加工される。
【００４０】
家電の使用済みプラスチックと使用済み発泡スチロールを再利用して大型液晶テレビの包装材やテレビの裏面のパネルや冷蔵庫のドアや壁部分に入れる断熱材や事務機器や玩具用としての発泡スチロールもリサイクルされている。これと比較すると食品トレイは、皿を洗う手間を省略するために使われる事が多く食べ終わるとトレイに食べ残しが付着して生ゴミとして捨てる人が多い。食品トレイを洗ってリサイクルで再利用するには食器を洗う以上の手間を伴う。食品の入った缶詰も同様に手間がかかる。レトルト食品のパックは生ゴミとして捨てられている。この問題を解決するには食べカスの付着した状態で部屋に置かないで良い様に頻繁にゴミを収集する必要がある。特に都市部では住宅環境が悪く厚生労働省の住居の最低基準である寝室と食事の場所すら分ける事が出来ないワンルーム（７０年半ばにマルコーと言うマンション管理会社が取得した特許であり早稲田の学生用だったが独り暮らしの世帯もすんでいる。旧厚生省の示していた住居の基準として寝食不分離が最低の住居の条件であるがと都内では満たされていない為か少子化の一因の可能性を感じる）に住む人もいる。家庭とは家に庭が付いていて家庭と書く。庭付き一戸建てよりマンションに住む人が多い都市部では庭にゴミを一時的に置く事も出来ないので食品トレイと缶詰のリサイクルは困難である。
【００４１】
缶詰とレトルトパウチ食品の中身が同じであればゴミとして捨てやすいのはレトルトパウチ食品となる。牛乳やジュースなど飲料も同様である。紙パックにも種類がある。牛乳パックは紙に薄くポリエチレンをコートとしてる。ジュースは紙に樹脂製フィルムをコートしている。お酒のパックは紙にアルミニウムフィルムを貼り樹脂でコートしている。液体の浸透力と保存期間で紙パックは容器の強度を変えているが燃えるゴミに出せる利点は大きい。分別が必要だが再資源可能なゴミは、焼却可能なゴミより収集回数が２分の１から３分の１しかない為であるが資源ゴミの収集回数を増やすと再資源化のコストが跳ね上がる。
【００４２】
レトルト食品の場合は、アルミ箔入り容器の場合は外気側にポリエステルやナイロンのフィルムを使い間にアルミ箔やアルミシートをポリエチレンかポリプロピレンで挟む。内容物（加工食品）に触れるのはポリエチレンかポリプロピレン部分となる。ヒートシール方法で熱を加えた状態で圧着される。遮光タイプのレトルト食品は、更に厚紙の箱に入れることで袋にキズが付いてピンホールを防止している。小さい穴が開いて腐敗が起こる事を防止する目的である。透明タイプの場合は光と酸素を通すので短期間の保存しか出来ない。ただし中身が見えるので販売しやすいメリットがある。袋の材質は、内層がポリエチレンかポリプロピレンで外層がポリアミドが一般的である。さらに外層にポリエステルを貼合わせたものもある。ポリエステルの内側にガラス成分である酸化ケイ素の膜をつくる事で酸素の進入を２０分の１に減らし二酸化炭素の放出を４分の１に押さえる加工もできる。紫外線はＵＶコーティングすれば良い。プレスコートやビニール引きやＰＰフィルム貼りといったコーティング加工を行えば良い。アルミの蒸着加工と言う方法もある。ＵＶインクを塗装したり全面に印刷しても紫外線の防止は可能でありインクの種類も沢山ある。用途に応じて加工すれば良いがコストを考えると透明タイプに紫外線防止加工するよりアルミ箔入り容器を使用する方がコストは押さえられる。但し湯せん（ボイル）による加熱でなく電子レンジでの加熱を目的にすると透明容器にアルミなどの金属を蒸着させたり金属を含むインクを使用する事も出来ない。厚手のポリプロピレンやポリカーボネイトの袋と言うよりトレイに入った電子レンジ化のレトルト食品が必要になる。これでも冷凍保存が必要な物もある。
【００４３】
お総菜用の食品用トレイを発泡スチロールでも生分解性を有する樹脂にする方法もある。生分解性プラスチック（Ｂｉｏｄｅｇｒａｄａｂｌｅ ｐｌａｓｓｔｉｃｓ）の種類は、（１）微生物産生型（例＝ＰＨＢおよびその誘導体）（２）天然高分子型（例＝酢酸セルロース、ニトロセルロース）（３）合成高分子型（例＝ポリエステル・ナイロン共重合体）（４）天然合成高分子複合型（例＝アミロース・ポリエステル共重合体）と生物崩壊性プラスチック（Ｂｉｏｄｉｓｉｎｔｅｇｒａｂｌｅ ｐｌａｓｔｉｃｓ）（５）でん粉／ＰＥ  ブレンド体（６）脂肪族ポリエステル／汎用プラスチック  ブレンド体がある。じゃがいもを原料にした皿やトウモロコシを使った発泡スチロールもあるので食品に合わせて最適な物を選ぶ。資源ゴミに出す時にペットボトルの容器は蓋をしておけば部屋に置いておいても臭わないし飲料なので食品が中にこびりついていないので洗わないでも資源として分別して出せる。本当は洗わないとならないが手間をかけられる人は少ないと思われる。缶入り飲料も同様であるがプルオンタイプの蓋を開けると長く放置は出来ない。缶の中が乾燥して臭わない事が多いからリサイクル率が良いとも思える。
【００４４】
食品の缶詰は臭いが強いので部屋に洗わないと置いておけないので捨てやすいレトルトや紙パックが便利である。保存を考慮しないで良い、お惣菜は紙パック入りもあれば昔ながらの木の薄皮に包んで新聞紙で包みビニール袋に入れるタイプも残っている。これだと食器を使う事にはなるが梱包は燃えるゴミとして出せる。これに比較すると家電の使用済みプラスチックや梱包用の発泡スチロールはリサイクルが容易である。但し食品に直接触れる食品トレイに使うのは安全性で疑問が残る。ＰＣＢは使われていないかハンダの鉛の影響は無いかなどである。安全性があれば缶入り飲料の持ち手の断熱部分に使える可能性もある。直接、口には触れないが湯せんでの加熱時に有害物質が溶け出さないかや温度変化による大気中の水分が飽和水蒸気となって容器を濡らした場合に影響が無いかと言う点である。
【００４５】
本、発明では保温より手で持つ部分の断熱に使用する事が前提であり設置場所は容器の表面なので缶の内容物が例えオレンジでも影響は受けません。オレンジジュースを加熱して飲料にするとビタミンＣが減少するのと美味しいか疑問なのでお奨めできませんが例として説明しました。ビーズ法発泡スチロールよりスチレンペーパー（発泡トレイ）に加工された物の方が薄く丈夫で耐水性に優れているので本、発明を実施するにあたり適正である。
【００４６】
ペットボトルの場合なら透明ポリエステルに空気を封じ込めた梱包材構造部分をボトル自体に作る方法もある。ボトルを作る時にブロー成形して作る時に金型に事前に内設した空気を封じ込めた断熱材を所定位置に敷設しておいてブロー成形時の圧力でブローされて風船みたいに膨らむ程に溶かされている樹脂に溶着させる方法である。この製法ならリサイクルも容易である。スチール缶に付ける断熱材の候補の一つである塩化ビニールで立体シールを作って貼る必要も無い。但しポリエステルの素材自体が金属と比較して熱伝導が低いから可能であり金属には適さない方法である。又、ペットボトルで加熱飲料を提供されてもハンカチやテイッシュでくるまないと持てない程に現状でも熱くない。ポリエステル表面の温度が外気で下がるから中の飲料との温度に差が出来るからである。
【００４７】
ほ乳瓶の内部に温度により色が変わるサーモクロミズム機能を有する樹脂が付属している物も市販されている。但し６５度以上の高温で洗うと機能が低下する為に煮沸消毒は出来ないのが難点であるがほ乳瓶の外側と内側の温度差が出る為に内部の温度が外部より高い為に手でほ乳瓶の外側を持っても適温かどうか判断出来ず火傷の危険もあった事から付けられている機能である。
それほど内部の飲料と外部のボトルの温度は異なる点からもペットボトルも同様の状態となり手で持てない程にボトル表面は熱くならないがコストを抑えられれば機能を持ったデザインや商品のイメージ戦略に使える。
【００４８】
インスタントラーメンの生タマゴが綺麗に収納されるポケットも機能がタマゴを美しく具材として乗せる事で盛りつけを美しくする点である。飲料もボトルや缶のデザインが食材の盛りつけに当たる部分でありブランデーやウイスキーなどの高価な酒の瓶はデザインに機能性に装飾性も取り入れられているが経済性の部分は化粧品の容器のようにコストをかけて上質な物を作っている。道具のデザインの場合は基本的に実用性・審美性・独創性・操作性・経済性・秩序性を重視する。発明の進歩性もこれらに裏付けされないと製品どころか図面にも出来ない。確実性がなければ購入者や利用者の期待を裏切る為に商品にも出来ない。特に体内に入る物には注意が必要である。消費者が特に気にするのは産地より消費期限である。特に匂いで安全性を確認するのは合成香料を添加されていれば判断は難しい。五感で判断する力が落ちているとか安全な物だけ食べているので自信が持てない事も考えられるのでデジタル的感覚で判断できる表示方法が望まれる。中にはジャンクフードばかり食べて五官の舌、大気汚染で鼻、騒音で耳が鈍くなっている人もいる。これでお腹を壊したら困るので消費期限に加えて保存状態まで知り安心したいニーズは強い。
【００４９】
安全性が無ければＰＬ法で責任を問われる。中には購入者や利用者以外の無関係な人に害をなす物もある。特に自動車に多く、社会が当たり前の様に容認している。交通事故は事故だから起こるのが当然で排気ガスも構造上出るのが当然という状態である。ＳＰＭ（浮遊上粒子物質）のＰＭ２，５はナノメートルの世界であり空気清浄機のヘパフィルターより小さい有様である。ウルパフィルターでやっと濾し取れる。東京土産にペットボトルにＳＰＭを入れて市販しているらしいが本、発明は飲料用容器としてのペットボトルの機能の発明である。商品を購入しないでも被害を受ける事もあり第３者は証拠となる商品も持っておらず危険への遭遇を選択した訳でも無いので逆に因果関係が立証出来ない状況になる。商品の基本は、安全性と確実性であり最低条件である。安定した素材で再生地金や樹脂のペレットを作ったりガラス瓶を再利用する事が基本である。
【００５０】
飲料は液体であり安定した容器が必要である。外部から有毒な物が混入しないように封かんをして開封したかどうか明確にする必要もある。容器の材料から有害物質が溶け出さない素材を選ぶ必要もある。賞味期間の保存状態が確認できるように温度の変化した回数に反応して色が変わるインクも実用化されたので金属製容器やラベルやレトルトパウチ食品の袋や容器や外箱の印刷に使用する事で温蔵庫
で加熱されていたが冷蔵庫に移されて保管された物なのか常温保存により著しい温度変化の影響を受ける事なく保存されていた物なのかを見分ける事も可能となる示温インクを業務用にのみ使うのでなく家庭で保存する場合の一つ一つに付ける。示温インクは保存状態を記憶する不可逆性の物を使用している状態で安心である。示温インクみたい物で感熱インクもありレシートやＦＡＸには感熱紙が使われている。
【００５１】
熱により黒く変わるのは二層構造にした状態で色素をカプセルに封じ込めて熱によってカプセルが破れて無色染料と色を出すための顕色剤が解け合い発色する方式である。ノーカーボン紙の場合は筆圧でカプセルを潰して発色させる仕組みである。両面に印刷できる感熱紙やフルカラーの感熱紙も実用化されている。示温インクも、この原理に近いインクである。コンビニ弁当をレンジにで加熱すると値段の表示されている部分が黒くなるのは、この影響である。この機能を有するインクを容器や袋に加えるには感熱紙より低い温度で変色する物を使えば良い。温蔵庫は６５度なので低い温度で色を変えれば良い。示温インクは無機系・有機系の両方が市販されており温度別にマイナス４５度から２００度まで用途に応じて揃っている。
【００５２】
有名な物で商品名ダイサーモとサーマルカラーＯＩ（不可逆性タイプ）とサーマルカラーＯＲ（可逆性タイプ）などがある。温度を測定するには古くは水銀温度計・アルコール温度計・磁気センサー・半導体サーミスター等を使った温度測定技術が日常生活にも工業技術として利用されている。示温インキは、温度の変化を色彩の変化で表す方法で正確な測定器具より精度は劣るがメンテナンスしないで良く可逆性示温インクは色温度計は壊れず値段は安く温度計の機能を加える事ができる。インキを塗るだけで良いのだから印刷インキとして使うだけで機能を加えられる。初期の頃はテルモカラーというヨウ化銀塩を使用した物だった。戦後は塗料用展色材の開発で品質も向上し耐久性のある示温塗料としてサーモペイントとして市販され現在に至っている。
【００５３】
１９６０年代から液晶が海外から導入されて、その中で温度変化する液晶のコレステリック化合物として普及して色温度計と呼ばれている。現在では、天然物、化学合成物とも国産が多く利用されている。１９６０年頃から感圧色素として利用されていたロイコ体染料を感熱記録材料に利用する開発も行われ、この素材に温度的に制御可能な第三物質を添加する事により、好みの温度で変色させられる示温インクが開発されて応用範囲も広くなった。これらの示温インキは、温度の昇降により変色する事から環境条件が暖かい、寒い、熱い、冷たいを色の変化で表現する事で応用される事が多い。
【００５４】
示温インキの種類は大きく分けて不可逆性タイプという温度の昇降により変色したら、再び温度の昇降があっても変色することが無いタイプがあり食品の保存されていた環境が温度変化のあった状態であればインキの色が変化したまま表示されるので一度、加熱されたのかや冷凍されたのか温度に合わせたインキを使って印刷すれば食品の管理ができる。レトルトパウチ食品とその箱やパッケージに使える。可逆性タイプは温度の昇降により何度でも変色と復色が行われるので色温度計としてメンテナンスしないで使える。スプーンやレンゲやサジや吸い飲みに印刷して適温を色で見る事ができる。樹脂に混入や混練や混合させる塗着以外の方法もある。加熱用飲料の容器の破裂防止に８５度で示温インクの色を変えて余熱で中の飲料に熱が伝わる時間を常温２５度と冷蔵１０度から加熱した場合の時間を表示してあると便利である。沸騰させるお湯の量も関係するし一度に入れる本数で影響が出るが目安は無いより有った方が良い。
【００５５】
示温度インクの変色機能は多種多様である。（１）固相間反応（２）熱分解（３）結晶移転（４）ＰＨ変化（５）結晶構造の変化（６）電子の授受（７）結晶水の脱水・吸水などがある。示温インキの不可逆タイプには無機系として金属塩類ＮｉＣＯ３＋ＣｂＳとＣＯＳｉＦ６、ＣｂＣｏ３（３と６は小さい化学記号の小さい数字）有機系として感熱記録方式はロイコ染料、フェノール、化合物の分散体がある。温度−時間の函数タイプにも無機系と有機系がある。準可逆性タイプＣＯＣｉ２（化学記号で２は小さい数字）、２Ｃ６Ｈ１２Ｎ４（化学記号で２Ｃの後の１・２・４は小さい数字）、１ＯＨ２Ｏ（化学記号で２は小さい数字）可逆性タイプも無機系−金属錯塩類Ａｇ２Ｈｇｌ４（化学記号で２と４は小さい数字）Ｃｕ２Ｈｇｌ４（化学記号で２と４は小さい数字）Ｈｇｌ２（化学記号で２は小さい数字）と有機系には縮合芳香環置換＝スピロピラン類、エチレン誘導体はアントロンがある。液晶はコレステリック液晶がある。サーマルカラーはロイコ染色体、酸性物質（顕色材）、溶剤（高級アルコール）（高級脂肪酸エステル）（りん酸エステル）の種類がある。機能性インクにはフォトロジック機能を有する感光材料として使用されている物が多いが光による反応を空気に触れる事で酸化すると色が変化する顔料を使ったインクを印刷する事で賞味期限や消費期限を過ぎるとパッケージや容器に印刷したインクの色が変化して食べられるか捨てるかの判断の目安にする方法もある。
【００５６】
最近の表現では、チップに機能性インクを閉じこめたと言うがチップとカプセルは同じ構造である。シリコンに対して樹脂製チップならクリンルームで繊細な素材や危険な化学物質を使う率を減らせる。プラスチック・チップであれば素材表面に印刷するだけで良くコンピューターのＣＰＵに使うシリコンチップをプラスチックに変える事も技術的に可能である。機能性インキを例にするとニスタイプ香料インクとカプセルタイプ香料インクがある。ＩＣダグやコンピューターには分子の規則性が揃っているシリコン・チップが現在使用されているが分子の規則性の問題が解決されたらプラスチック・チップはコストが安く薄く小さくできるのでＩＣチップの内部に使われたり機能性インクに練り込まれて使用される。
【００５７】
示温インクでの印刷や色温度計を熱い状態で提供されるみそ汁やスープやお茶などを、すすって飲めない人の介助で機能を果たせる。熱い飲み物を飲む場合は、すすって飲む事で空気と熱い液体を混合させて液体の温度を下げる事で火傷しない。外国のスープの適温と日本の汁の適温は異なる。金属製のスプーンを使う外国ではスプーンが熱くなるので日本のスープには適さない。日本の場合は木製の匙や陶磁器のレンゲを使用するのでレンゲや匙に熱い汁が入っていても、すすって飲む事ができる。同じ用途の道具でも素材が異なると口に流し込んでも火傷しないスープのマナーは音を立てない文化となり日本は木製の匙とお椀と瀬戸物の文化なので音を立てても飲みながら冷ますと言う根拠があるので作法に反しない。
【００５８】
自分で匙を持てる状態ならスープや汁の温度をスプーンや匙の上で調節して口に運べるが出来なくなると適温で無い状態で口に食べ物や飲み物が運ばれる。丁度、ほ乳瓶の内部に使用されている温度に反応して色が変わる樹脂でスプーンやレンゲや匙を作って安全な温度か確認して食べさせる必要も出てくる。特に自分で匙を持てない程なら呼吸にも影響が出て、レンゲや匙に熱い汁が入っていても、すすって飲む事で空気と熱い液体を混合させて液体の温度を下げる事が出来ない。いきなり口に流し込まれたら火傷をしないで済んでも味どころでは無い。溶液（スープ）と舌の温度の差が少ない体温付近の溶液温度が最も味を感じると言う仮説がありジュースの場合は、ぬるくなると甘ったるく感じる。アイスクリームの場合も溶けると甘ったるく感じる。口腔内の温点は１平方センチメートル１あるか無いのに対して皮膚に１平方センチメートル１〜４個あり、すするとスープを冷却する効果に加えて温点に当たらない可能性もあるが口に流し込む場合は口腔内の温点にスープが触れる可能性が高くなる。スープの主成分はグルタミン酸のうま味と塩味で６０〜７０度が適温である。これより温度を下げるとうま味が減少して塩味を強く感じるが介助が必要な人の食事は塩分が控えめなので体温に近い温度で提供されて塩加減も丁度良く感じる。舌では味覚に加えて痛覚・触覚・圧覚・温度感覚を感じる。味覚は舌や軟口蓋など特定部位でしか感じない感覚を特殊感覚と言い温度の様に身体の表面なら何処でも感じる体性感覚がある。
【００５９】
好きな食事ですら美味しい物から熱くて辛い物へと変わる。匙を持つ方は赤ちゃんのほ乳瓶に色温度計が内設されていなくても自分の口で温度を確認して与えたが病人や高齢者の介護では肉親や配偶者でも自分の口で温度を確認しない。その為、食事がスムーズに行えず匙を投げたくなるような過酷な状態が続いている。ほ乳瓶に色温度計は付いているが育児と異なり他人が介助に使う事になる匙にもスプーンにもレンゲにも色温度計の機能を付けた物は存在しないし介護者が自分の口で温度確認できない。入浴の場合は手で確認できるが食事は無理である。実用新案登録第３１０５１８０号を考案し実用新案技術評価請求を行い評価通知を受け取り確認しているから先願があれば検索されている筈である。そこでコレステリック型液晶構造を色温度計のフィルム状から樹脂状にするには練り込むように中に取り入れるかマイクロカプセルに入れたインクを使ってプリントすれば色温度計が出来る。
【００６０】
ほ乳瓶用のポリプロピレン性の空気孔に使用されている色の変わるヒートセンサーをポリプロピレン樹脂に入れた物も市販されている。ＵＳＡのＰＡＴ＃５．５７０７９６＃５．７７９．０７１の構造のほ乳瓶に使われている。温度が３８度位まで色がパープルで熱すぎる位だとピンクに変わる。ポリプロピレンの樹脂表面近くに機能性顔料を練り込んでも良い。
【００６１】
これを育児用から介護用品の材料として色温度計の機能を有する匙・レンゲ・スプーンと吸い飲みを発明した。当然、みそ汁を入れるお椀にも同様の機能を付ける。熱に反応して色が変化する樹脂で作られた匙・レンゲ・スプーンと飲み物を入れる容器の内部に熱に反応して色が変化する樹脂を使い透明容器で内部の樹脂の色が確認できる吸い飲みである。他にもフィルム状やテープ状の温度変化により色が変わる素材もあるので全体に使用しないでスプーンや匙やレンゲのスープや汁に触れる部分に接着や溶着や粘着させて使用する。又は嵌着や嵌装させたりして固定して使用可能にする。インクであればスープや汁に触れるスプーンやレンゲや匙の凹側に塗着や塗布や塗装しても良い。吸い飲みもスープや汁に触れる部分であり外から見える部分に塗着しても良い。
【００６２】
この場合の器具は自分の口に運ぶ為でなく、運んで貰う為の物なので自助具では無いので介助者が使いやすい形状とする。自助具の箸やスプーンが使える間は自分の好みのタイミングで口に運べるので色温度計は無くても良い。杖は自助用で自走式車椅子も自助具であるし電動車椅子でも自分で操作出来れば自助具である。車椅子を押してもらう程なら介助用車椅子となり自助具と異なる。自助出来る部分と介助必要な部分を明確に捉える事が大切である。この発明により身体機能の低下による飲料やスープの適温の変化に対応する。
【００６３】
食事介助される人の場合は、歯や歯茎が弱って熱い物と同時に冷たい物が滲みる状態である事も考慮しないといけない。通常の場合、水は１０度が適温で冷蔵庫の温度も１０度以下である。虫歯があれば冷蔵庫で冷やした水でも歯に滲みる。これらの好みを意志を伝達できる状態なら良いが会話が出来ない状態なら表情を観察するしか方法が無かった。色温度計を付ける事で温度が表示されたり目安の色によって人肌の温度で提供する事が出来れば安全である。咀嚼機能が衰えても液体で口から流し込む事で適温となる温度で飲料や流動食を提供できる。口から栄養が取れるうちは、口から取る事が出来る。
【００６４】
これにより鼻から経管栄養やＩＶＨによる栄養の供給という事態へ進行して体が弱ってしまう事が早く来ないよう予防する事も出来る。育児用のミルクなどの飲料をペットボトルに吸い口を取り付けて提供する。粉ミルクの濃度や温度を適温で提供する事は今まで行われていない。濃い乳酸飲料を家庭で水で薄めて作るのと最適に作られている物が市販されているので粉ミルクも同様の発想で提供する。乳首状の吸い口はゴムかソフトな樹脂で作り容器に埋設したり冠着して飲む時に取り付けて使えるようにする。この場合は飲み口を固定する蓋に示温インクを使用して温度を確認できるようにすると便利である。世界には１２億人もの安全な水を飲む事が出来ない人がいて粉ミルクを援助されても有効に活用出来ない地域があるのでペットボトルに粉ミルクなどを直接飲める状態で封かんして飲むときにボトルに埋設してある、ほ乳瓶用のアタッチメントを取り出して乳首をナット状の蓋で螺合して固定して使用すると乳幼児に安全な栄養と水分を与える事ができる。
【００６５】
キッチンタイマーに印字機能を付けて食品を冷蔵庫に入れた日をラベルに印字して食品に張り付けて管理する。賞味期限や消費期限や製造年月日の表示されていない食材を入れたビニール袋やラップや容器に張り付ける事で何日保存していたか明確にできる。技術的にはポケットに入る電卓に計算をレシート状に印字する道具が２５年前に市販されていたがこれに時計の機能を加えてシールを使う時に、その年月日と時間を印字して食品に貼る事が出来るマグネットで冷蔵庫に吸着させられるキッチンタイマーも発明した。時計のムーブメントや印字装置も昔と比較して小型高性能化して価格も安くなったので昔の電卓より低コストで提供できる。台所では水仕事をするので腕時計を外す。寝室やリビングに時計を付けている家庭は多いが台所に時計を付けていなかったり台所から時計が見えなかったりする。キッチンタイマーに時計機能が付いていれば、それだけでも便利である。出来る人間は時間に正確である。時計は正確な方が良い。テレビドラマの始まる時間に仕事を終わらせるとリアルタイムでドラマも見られる。家事をしていてもビデオやＤＶＤレコーダー並みに正確な時間を知る必要がある。ＢＳやＣＳにケーブルテレビと地上波以外にも選択肢が増えている。この為、火を点けたまま台所を離れる時にキッチンタイマーに頼り設定を忘れる危険があるので時計機能を活用して台所を離れる時は火を止めてタイマーは台所にいて目が届く時に活用する為、時計機能を付けた。
【００６６】
１００円ショップでクオーツのムーブメントや時計が市販されている程である。電波時計も１０００円で購入できる程である。その元である原子時計も指先に乗る大きさで試作された。電池駆動が可能で３００年に１秒の誤差しか無い程の精度で水晶発振子の千倍の精度である。作動原理は電波時計の元となる大型の原子時計（精度は１０００万年に１秒の狂いしかない）と同じだが小型化の為にセシウム蒸気を閉じこめる容器を縦横１、５ｍｍで高さ４ｍｍのほぼ米粒大に制御回路を含んで１立方センチメートルである。卓上コピー機の大きさの原子時計なら市販品まである。従来のキッチンタイマーは３分や５分で煮物でも約９０分の調理時間を計り知らせる為のアラームが付いただけであり通常の時計の機能が付いていない物も多かった。時間を合わせる設定を省略して操作を簡単にする為であるが時計は時間合わせ不要の電波時計にして電池を入れると使えるようにすれば初期設定の手もを省略できる。
【００６７】
時計の００：００の「：」の部分を点滅させるサブマリン特許の期間は秒を表示してクレームを避ける事で電池の有無を確認するか白色ダイオードをバックライトにしてバックライトボタンを押して光ると電池の残量を確認する方法も取られるだろう。ラベル用シールは取り替えやすい構造にするなど操作は極力、容易にする。デザイン的にバランスが良ければ点滅特許の実施を交渉して決めれば良い。クレームを避けるだけが発明ではない。別の発明を組み合わせて活用する事も大切である。蒸気機関車にピストンが特許権の関係で使えないので遊星歯車を使用するみたいに不便にならない事が理想的である。
【００６８】
キッチンタイマーは食品の保存の為の道具では無く加熱調理の為の食品管理の道具である。冷蔵庫に付けて使う事が多く冷蔵庫の食品保存と調理時間を知らせるだけの機能のキッチンタイマーに時計機能と印字機能を加えて食品の保存や保存食でツイスト・オフ・キャップびんやサイドシール・キャップびんに入った海苔の佃煮やなめたけや鮭フレークや塩からやピクルスなどの開封日の表示にマジックペンで日時を書かなくても本、発明の機能を有するタイマーのシールをビンに貼る事で開封したまま冷蔵庫に忘れて食べられなくなっている事を減らす。冷蔵庫の入庫日の年月日や時間とビン入り保存食の開封日時の印字の色で識別したり入庫と開封と印字するなどで識別できると便利である。ラベルの大きさは値札大でも良いしキッチンタイマーの大きさと重さは現在、市販されている物と同じに出来ると違和感が無く使える。印字機能付きキッチンタイマーが大きくならない程度の大きさのラベルで高齢者が見える大きさで印字できると良い。数字の配列は５を基準（電話同様に視力障害者用の突起を付ける）として電話機と同じ数字の配列も良い。液晶パネルにバックライトを付けると見やすい。（視力障害と言ってもメガネを使用している人がメガネを外している状態が矯正視力の状態が多い。）この様に食品を管理し保存する為の道具とした。
【００６９】
乾燥している食品にもレトルトパウチ食品の技術が使われている。レトルトパウチ食品は内容物だけを袋状の容器に真空状態に封じ込めて酸化防止するがスナック菓子の場合は、袋に入っている空気も衝撃緩和に使用する為に酸化しないように窒素を充填して容器を膨らませている。高水分食品用（生もちや生麺など）と低水分食品（ナッツや米菓子）の中には酸化防止剤（鉄分とアスコルビ酸とカテコール）を入れている煎餅などの食品もある。この技術を一般の家庭で食品で酸化させない事で保存期間が長く出来る物に応用する。ビニールに入れた餅に使用するとカビの防止になる。餅を水に浸してカビと酸化を防止する保存法もあるが水と食品自体に酸素を含んでいる為、保存期間が若干伸びる程度である。真空パックなら空気に触れず食品自体が含む酸素による腐食だけとなり保存期間が伸びる。食品自体が持つ酸素もパック内で酸化防止剤を入れると減少させられるので保存期間を延ばせる。食品自体は加熱殺菌して空気に触れないようにすれば長期保存が可能となる。そこで家庭でも窒素を使えれば窒素で膨らませたビニールなどの袋を絞る感じでエアを抜きながら縛ったりゴムで結んだり。電気のコードを結線して束ねる針金の入った平たいビニールをネジって止めれば良い。食パンに付いている水色のプラスチックの四角い留め具でも良い。
【００７０】
食品を入れた袋の酸素濃度が下がり酸化と細菌の呼吸を止める事で常温保存の効く食品には更に保存期間を延ばす事が出来て特に便利である。但し食品内部にも酸素を持っているので日持ちが良くなる程度である。食品の保存の為に家庭用の注射器状の構造の真空ポンプを使って空気を抜く事で酸化を防止する方法もあるが器具を使って空気を抜くにも限度がある。特にポテトチップを例として、これに使用すると食品の形状が保てず割れてしまう。そこで形状を保てる程度に空気を抜いて窒素を充填して袋を閉じる時に充填して膨らんだ窒素を抜くことで酸素濃度を下げる方法が家庭で手軽に出来る窒素缶を発明した。簡易式の消火器にも使用可能である。冷蔵庫や温冷蔵庫に通気性の高い容器に入れる事で庫内の酸素濃度を下げて鮮度を保ち保存日数を延ばす効果がある。気密性のある米櫃に入れて内部の酸素濃度を下げる事で虫の発生の防止と酸化防止による保存日数を常温でも延ばす事も出来る。個々の食品に酸化防止剤が入っていると電子レンジによる加熱が出来ないが冷蔵庫や米櫃に使用するなら脱酸素剤は効果が無くなるまで使用できる。脱酸素剤の容器内に薄く袋に入れた脱酸素剤の入った袋を何枚も空間を作って（鉄と酸素が反応して酸化時の発熱を分散して高温になるのを防止する。脱酸素剤を固まりで入れるとカイロみたいに発熱する為である。）重ねたり空気清浄機の濾過フィルターの様にジャバラ状や細かい屏風状に折曲させて面積を増やした構造の袋を通気性の高い容器に収納して冷蔵庫や米櫃に内設する。扉や蓋の開閉が少なくして気密状態を増やせば効果的で脱酸素剤の使用可能期間も伸びる。窒素充填方法との併用が理想的である。米は長期間の常温保存により黄変米になる。黄変米をついて白くすると胚芽が取れたクズ米になるので低温保存が理想であるが冷蔵庫に米を保管すると日本国内では電気代が高くつく。ボーキサイトからアルミ地金を作ると輸入アルミより高くなる程、電気代は高い。その為、窒素の充填で黄変米にならないようにする。
【００７１】
缶入り酸素や酸素とヘリウムを混ぜて声を変えるパーティーグッズが市販されている。酸素を補給する缶もスポーツ用として市販されている。医療用の酸素ポンベは気圧が高いので保険適用で在宅医療として家庭での取り扱いが認められたのは約２０年程前である。現在は、酸素バーと言うビジネスまで存在する。家電品として濃度の低い物は市販されている。エアコンや空気清浄機の機能として付いている物もある。その従来技術を食品保存用の窒素スプレーに置き換えた。実用新案公開平５−３９６３４の携帯簡易空気分離器では、普及にコストが高くなる。スプレー缶方式なら片手で噴出口を押して窒素充填できるのでビニール袋を一人で密閉できる。分離器はポンプ式なので一人で密封出来ない。一人がポンプを動かして窒素を作り同時に、もう一人が食品に窒素を入れて密閉する必要がある。二人かがりの作業になるので単身者は使えず不便である。コンプレッサーで窒素缶に充填してもらって使うだけのほうが手軽である。バケツに水を一人で入れようとするとホースが水圧でバケツから出る事がある。保持具をバケツに付けてホースを固定すれば済む問題である。食品容器に窒素を充填する時に一人で行えるように延長用チューブと保持具も発明した。
【００７２】
充填の値段は安く抑えられる。その為、実用新案公開平５−３９６３４の分離技術を使用して電力で空気を送り分離した窒素の充填と空気の吸引が出来る装置を発明した。冷蔵庫や電子レンジや食器洗い器のように食品の鮮度を保つ機械として普及させたい。同時に冷蔵庫の内部に窒素を充填させて空気を抜く事で食品の酸化を防止する冷蔵庫も発明した。冷蔵庫を真空にするとドアが開けられなくなるので酸素を含む空気と窒素を入れ替えて室内の気圧と冷蔵庫内部の気圧を同じにする事でドアの開閉を容易にする。分離した酸素は部屋に戻す。酸素濃縮器は部屋の酸素を使うので部屋自体の酸素濃度が高くなる訳ではない。酸素は狭い部屋に人が大勢いて換気と吸気で空気の入れ替えがされないと濃度は下がり危険である。室内でストーブを使い部屋の酸素を燃やすと一酸化炭素中毒になる事もある。
【００７３】
市販のスナック菓子には、保存期間を長くする為に窒素を充填する技術が使われている。実用新案登録第３０９０６７６号の合単位米パックも家庭で米や小麦や小豆と言った穀物をビニール袋に入れる事で転用可能である。砂糖の場合は元々が糖蔵用の保存に使えるが蟻が入る事が稀にあるので窒素を充填で虫の侵入を防止する使い方も出来る。家庭で主婦などが小分けにして家族で食べる為の保存なので実用新案登録第３０９０６７６号のクレームには該当しない。これは米を入れて販売する袋と米の組み合わせの事なので販売目的ではない世帯単位での実施は業として行う事ではないので特許権などの権利侵害に該当しない。ましてミシン目の入った専用の袋を使う事もない。元々、食品が入っていたビニールを密封するとして輪ゴムを捲回して閉じたり紐や結線用の細い針金を内設しているビニールで捲回して閉じる方法もある。真空パックの家庭用の器械があれば窒素を充填してから空気を抜けば食品内部の酸素が残るだけとなりより酸素濃度を下げられるので効果は高まる。
【００７４】
袋によっては開封後もビニールファスナーで容器を、こうし（金へんに交わると書き止・チャックで物体を止める）出来る構造の袋も使われている事がある。家庭用食品保存用パックと溶着や圧着する器具も市販されている。スナック菓子にしても窒素充填や酸化防止剤を使用して酸化を防いでいる食品は開封すると同時に酸化がはじまってしまう。開封後はスグに食べなければならない。食べきれず残した食べ物を棄てるには精神的にもったいないと言う意識が働いて棄てられない人も多い。無理して食べて肥満になると棄てるよりコストがかかると知っていても吹っ切れない。食べたい量だけ食べて残りを保存すると酸化に限らず湿度も加わり傷んでしまう事が多かった。湿度についてはシリカゲルなどの乾燥剤を入れればシケってしまう防止が出来る。
【００７５】
本や書類ですら長年、空気にさらすと酸化してしまう。中性紙の表面の色が変色するのはこの為である。米に虫がわく環境ならビニール袋に米を小分けにして窒素充填して虫が混入しても窒息死させられる。米の酸化も防止できる。米用の低温保冷庫に入れる必要が無く電気代も節約できる。酸化（オゾン）によって傷む紙や写真にも窒素充填による保存は便利である。但し、紫外線によって色彩が劣化するので写真の額縁に充填するにはＵＶコートされたガラスを使用している市販品が良い。ミュージアムガラスなら光の反射を防止して額の中も良く見える。額縁の場合は、メガネのコーティング技術を使ったガラスを使用する事で紫外線による色の劣化を防止する。印刷物はイエロー（黄）・シアン（青）・マゼンタ（赤）の原色からなりブラック（黒）で文字とコントラストとしている。印刷物で気に入ったポスターを日当たりの良い場所に額に入れて飾るとまずイエローが退色し次にマゼンタが退色する。街頭で見かける青っぽいポスターは、この現象による。その事から美術品を入れる額のガラスは紫外線防止する。
【００７６】
昔は写真の時にレンズやガラスのコーティングの技術が無くメガネのレンズの反射で写した写真が台無しになった。額縁のガラスは、写真のストロボの反射も紫外線同様に抑える現在のメガネレンズのコーティング加工がされると見やすく保存性も高まるミュージアムガラスとして実用化されている。
【００７７】
この状態に窒素を充填すれば絵や写真とガラスが密着を防止する額の中に入れるトリミング効果もある厚紙のマット部分の空間に残った酸素を除去し窒素に取り替えられる。酸素がなければ紙を虫に喰われない。虫食いの古文書化の防止になる。気密性の高い衣装箱にも窒素充填して無臭でしかも無毒で酸化と虫食いを防止できる。但し湿度は窒素充填では取り除けないので衣料用乾燥剤を入れると安心である。
【００７８】
博物館の金属の出土品を保存する場合に温度２０度で湿度５５％に保つ事で金属を乾燥させすぎて崩さないように１０％の水分が内部に残る状態で保存している。現在は酸化による腐食を防止する為の窒素充填は、行われていない。展示ケースや保存容器内の酸素濃度を０％に近づけると錆の防止が出来る。液体や食品や物体自体が酸素を含んでいるので０％にはできないが近づける事は可能である。木や紙や布などの素材で出来た文化財は虫食いやカビに弱く防虫剤などの薬品を使うより酸素を０％に近づけて虫やカビの被害と酸化を防止する。燻蒸や薬品による殺虫と言う従来の方法の場合は文化財を痛める危険がある。
【００７９】
家庭用のムースの缶やプッシュ式シャンプーの形状をベースにしたボンベに窒素を充填する。後は、開封した食べかけのスナック菓子や酸化させたら傷む食品をビニール袋に入れて窒素ガスを充填する。酸化すると傷む本（印刷物）や写真に書類なども同様である。スナック菓子の食べる量を保存が出来るようになるとセルフコントロールできる。ダイエットが容易になる。窒素の使用コストと食品の値段のバランスが難しいが
食べ物を大切に出来たと言う精神的満足度も考慮できる。
【００８０】
保存期間を長くする事で食品の無駄が減る。食品が傷みずらいので何もしないよりは風味を損なわない。菓子によっては酸化防止剤や乾燥剤が入っているので開封後に即、窒素充填する事で効果は高くなる。通常の保管方法で酸化して傷む物は、気密性の高いビニール袋や容器に入れると長く保管しても傷まない。使いやすい大きさと機能のスプレー缶に入れて市販する。食品の中には汁を含む物もあるので窒素充填口は容易に洗えるかフレキシブルストロー状のディスポーザーを容易のアタッチメントにすると便利かつ衛生的になる。効果はスナック菓子の実施例もあり一般にかなり周知している。
【００８１】
スプレー缶や小型ボンベで窒素を充填しやすい形状の食品保存用の袋や気密性容器があれば最良だが、有り合わせのビニール袋でも十分に活かす事ができる。気密性の高い容器の場合エア抜きで真空に近くして保存するタイプに窒素を充填すると酸素濃度が下がりより長持ちする。袋も出来るだけ空気を抜いて窒素充填して少ない窒素使用量で酸素濃度を下げて食品を長持ちさせる。
【００８２】
スプレー缶は、使い捨てでなくリターナブル可能と言うより水筒みたいに何回も補給充填して使う。ボンベの小さい物みたい感じで充填式ガスライターの巨大な感じのイメージもので空になったら窒素だけ充填して使えば使いきったヘアスプレー缶みたいにゴミにならない。リピーターを確保するため顧客と店舗のインタラクティブ商法としてスーパーの店頭に「浄水スタンド」を設置し顧客は水の専用容器を買ってアルカリイオン水・マイナスイオン水・ピュアウオーターを顧客に無料提供して来店回数を増やす努力をしているが、このサービスは、すでに一般化したので新しいジャンルとして「窒素充填サービス」を行う。有料か無料化は普及度や顧客来店回数でバランスを取れば良い。現在は、業務用や医療用としてすでに大きな壺みたいボンベで実施されている。これを子供でも片手で持てる大きさと重さにして家庭で手軽に使えるようにしたのが本、発明の新規性である。
【００８３】
現在は家庭での窒素充填の実施例はない。類似したサービスを探したら家電量販店の自転車置き場に自転車用の空気入れが固定されて設置されており自由にタイヤに空気を入れられるサービスをしている所があったが食品保存や窒素には関係ない。
【００８４】
家庭で食品の保存期間を伸ばすには冷蔵庫に入れると言う大規模な設備が必要だったが本発明で、食品の酸化防止を手軽に行えるスプレー缶なのでヘアスプレーより中身が窒素なので安い価格で市販可能である。食品保存と無害の防虫効果も期待できる。一般に普及して家庭での食品の保存期間が延びれば飢餓の問題も改善方向に向かう。電気冷蔵庫が使えない状態での食品保存方法は、（１）塩蔵（２）糖蔵（３）酸蔵（４）燻煙によって酸化や腐敗を防ぐ方法での常温保存になります。塩蔵は野菜、食肉、魚介類の保存に使われています。食品に濃度の高い食塩が混じると、食品の浸透圧が低くなり水分が外に出ていくので細菌の発育が困難になり食塩溶液には酸素を好む細菌（好気性細菌）の増殖が困難になる。嫌気性細菌は空気による感染が出来ないので食品自体が感染していなければ増殖出来ません。更に食塩が水に溶けて出来る塩素イオンには殺菌効果があり自己消化を引き起こす酵素の働きも妨害するなどの食塩の作用が総合的に働いて食品の変質・腐敗の防止ができる。特に塩蔵して冷蔵や冷凍すると長期保存が可能となり電気が無ければ食品の水分を塩をまぶして浸透圧で吸い出して乾燥させ干物にすると長持ちする。
【００８５】
砂糖も同様に食品を保存させる働きがある。羊羹・甘納豆・ジャム・マロングラッセなどは糖蔵により保存されている。食塩と同様に浸透圧を利用して食品中の水分を少なくして微生物の体内水分を吸い取り死滅させる。しょ糖の濃度が５０％を超えると多くの細菌の増殖は困難となる。但し糖蔵の食品は水分を多く含むジャムなどもあり酵母やカビは高濃度でも育成可能な為、加熱して気密保存は出来ても開封したら常温保存できない物が多い。糖蔵で干物状になっていれば有る程度は常温保存が可能である。窒素を充填しれば表面から酸化される事が防止できる。食品内部は乾燥によって水分が少なければ酸素も少なく腐食防止になる。酸蔵による保存方法は酢酸による酢に漬ける方法である。殆どの微生物はペーハーが中性のｐｈ７で最も生育する。これよりｐｈが上がったり下がったりすると発育が困難となり死滅する場合もある。ｐｈ５以下で殆どの細菌は生育出来なくなりｐｈ３以下になると酵母やカビも生育が困難となる。ラッキョウやキュウリの酢漬けやアジ、タイ、イワシの酢漬けが有名である。ビネガー味は国外でも普及している。燻煙は薫製を作る技術で煙で食品を薫し、脱水と乾燥を同時に行い煙の成分を食品に染み込ませて保存性を高める。天然の木材を燃やす事が大切である。煙に化学物質が混入すると人体に害を及ぼすので自然界にある天然のもく煙材を使う。合成保存料や天然保存料を使う保存方法については、本、発明の窒素による酸化防止と併用すると効果は高まる。
【００８６】
本、発明の乳幼児用の粉ミルクなどの栄養と水分の確保が出来るように乳首と固定用ナット状蓋をボトル容器に埋設や冠着した状態で支援物資として難民キャンプに提供する場合と手動ポンプ式窒素充填の器具とペットボトル用の蓋を改造した水を濾過するジョイントや窒素をペットボトルに入れて使うアタッチメントと繰り返し使えるスプレー缶については、ＷＴＯの「国家的緊急事態には命にかかわる薬についてはパテントを無視して良い。」のルール適用に準じて、貧困と飢餓が起こっている地域で軍事より国民の社会保障を中心に復興を目指している侵略の為の武力を持たない国のみ本、発明者の名前と技術思想を尊重すれば実施料を免除する。湿度が高く食品の傷みやすい地域や虫が発生しやすい地域での需要が期待できる。電気の無い地域では、冷蔵庫は役にたたない。実用新案公開平５−３９６３４の携帯用簡易空気分離器が安値で提供されれば、いったん窒素を気密性の袋や容器に通常気圧で溜めてから自転車の空気入れの構造のポンプで炭酸飲料ボトルに安全な気圧で充填する。スプレー缶は吸い込み口から窒素の入った袋から窒素だけを充填することで高気圧（ペットボトルより圧力に耐えられる）でスプレー缶に保存する。実用新案公開平５−３９６３４を井戸に置き換えて考えてもらい窒素を一度溜める袋を井戸の縄で吊るされた桶の役割と置き換えて理解してほしい。
【００８７】
窒素缶は家庭用バケツだと思ってほしい。バケツで水を入れて家に持ち帰ると重く辛い。本、発明は片手で使う事を前提にした軽いスプレー缶である。この方法なら難民キャンプでの食品保存に役立つ。スプレー缶の普及が困難な程の貧困地域へは、清涼飲料のペットボトルに窒素充填して使える窒素充填に使える太さと長さの筒状の形状を窒素充填口と蜂蜜やメイプルシロップの容器のフタみたいな細くて長い筒状の注入口の構造を持ったボトルキャップを提供する。ペットボトルに窒素を充填する場合は軽く潰してから窒素充填して又ペットボトルを軽く潰して酸素を抜いて濃度を下げて窒素を充填することで窒素濃度を上げないと効果が弱まる。その点も考慮してビニール袋に取り付けられる構造にも窒素充填口のキャップを対応させた。
【００８８】
この場合は、ビニール袋から空気は、ほぼ全部出せるので窒素充填が一度で済む。スーパーマーケットが行っている「浄水スタンド」のサービスは専用容器を使う為に冷蔵庫で冷やすにはペットボトルに移す手間が必要である。そこでペットボトルのキャップを使い上のペットボトルの底に穴をあけてエア抜きパイプを備えた「じょうご」を発明した。上のボトルに入れた水が砂時計のように落ちる。これなら水汲みが楽になる。この発明は水道や安全な井戸といったインフラが整えられていない地域でのペットボトルを利用した浄水器としても使用可能である。水の供給が無く泥水しか無い状況になれば簡易式の濾過装置として使用する事で不純物を取り除きく事が出来るようにも使える。世界には１２億人もが安全な水を飲めない為、脱脂粉乳などの物資に使う水にも不自由している為、改善が必要である。
【００８９】
水を濾過する方法は、基本的には最初に小石を入れて次ぎに木炭をいれる。その上に砂利を入れて上に枯れ葉を乗せた地層の断層面状の濾過装置を作るが小石の下に綿のシャツかタオル地を敷いた方が良い。濾過した水は沈でんさせて上澄みをナベか代用になる缶に入れて加熱して冷めたら飲める。但し、科学物質などの影響で酸性やアルカリ性になっていたら毒性は残るので注意する。浄水用のカートリッジを作って中空糸や活性炭入りカートリッジを提供出来るのが理想だがコスト的に無理である。手軽に浄水する方法をキヤップにマニュアルとして添えると啓蒙にもなる。壊れたハードディスクに入っている磁石をジョイントに向かい合わせに磁極を合わせて固定すると活水にする事もできる。濾過するペットボトルのジョイントにも空気抜き構造の付いたボトルキヤップと同じ溝のジョイントを発明した。二つのペットボトルを接続して砂時計状となる中心の細くなった部分にあたる箇所にジョイントとして使用する。
【００９０】
給水車による水の供給が受けられる時は、便利な「じょうご」になる。上のペットボトルに一気に水を入れてもらったら受け側にボトルに水が落ちるまでの間に次の人が給水を受ければ水を手にした人が列から外れるので効率的な作業が出来る。一度に運べるのは一人４本で一本２リットルで８リットルとして８ｋｇだろう。なんとか１日分の飲料水と調理用の水にはなる。汚染された空気についてはインフラの整っていない地域では空気清浄機を使う事できないし防毒マスクを使用する事態はジュネーブ条約違反である。水は選べるが空気は選べないし濾過する余裕も無い。兵器から有害物質が出て拡散する事態は毒ガスの使用に準じて禁止すべきである。劣化ウラン弾の使用は言語同断である。そのような国にはＷＴＯの「国家的緊急事態には命にかかわる薬についてはパテントを無視して良い。」と言う薬に関する措置は、本、発明では認めない。窒素を使って酸化防止は文房具として書類や美術品に写真の保存にも使える。家庭用品として衣類の無毒の防虫剤としても利用できる。食品保存用なら家庭での大量消費が期待できる。
【００９１】
文房具では使用量と使用機会も少なく個人所有の文化財の保存状態の向上になる。古墳の様に保存場所を博物館に出来ない場合は窒素を充填して酸化とカビを防止して保存する必要がある。復旧や補修作業は酸素を作業者の気密服に供給して古墳内部の空間は窒素を充填して酸素を、かなり薄くしてカビの繁殖防止と酸化防止可能にして保存する。家庭用の衣類の場合も、呼吸させないと劣化する毛皮・革・ウールがあるので定期的に風通しを良くする方が良い。通常は機密性容器に窒素充填して入れて虫喰いを防止と酸化防止状態で保存する。湿度を取る薬剤も同梱する。都心の大気汚染地域の場合は汚れた空気や浮遊状粒子物質による汚れを守る事ができる。掃除機の布団に利用されている真空パック保存は収納スペース拡大にはなるが型崩れや湿度の事は念頭に置かれていない。繊維製品の中にはポテトチップを保存するみたいにデリケートに扱うべき高額高級品や文化的価値のある着物まで色々ある。大気汚染による呼吸器疾患で医療用の酸素濃縮器の需要は増加している。ドラム吸着型が主流である。この器械の排気口から出る酸素を分離した窒素を酸化防止用窒素として使用する事ができる形状を有する酸素濃縮器兼窒素充填装置も発明した。空気取り入れ口から屋内の空気を吸い込み内部で酸素を電気的にドラムに吸着させて取り出す構造であり分離後の空気は酸素を除いて室内を循環する。この窒素を排気口にチューブを付けて窒素充填可能にした。
【００９２】
水と空気と安全で空気が一番高いので窒素もムダにしない。人類の生存に必要最低限の生き延びる為の水から食品の保存により飢餓の改善と飲料の適温で安全に飲む事を中心に「文化・芸術」の伝承や継承の為に適切な保存方法と展示方法と提供方法及び容器と各種道具や器具を本、発明で提供する。保存食や飲料も２１世紀には皿に盛りつけないで販売用トレイのまま食べて飲料はガラスのコップやグラスを使わず熱い飲料も陶磁器のカップを使わず宇宙食みたいゼリーの入ったチアパックや缶やボトルに直接、口を付けて飲むのも生活様式の変化による新しい文化として受け入れる時代である。デザートは容器に盛りつけられていて容器から皿に移して食べることなどは想定しないデザインである。そのまま食べる事を前提に容器のデザインに力を入れると同時にストローやコップを使う選択肢も提供している。マナーや倫理観は場所や環境や社会システムに影響される。
【００９３】
自動車やバイクの盗難も巧妙化して部品を盗む事件も増加している。不法投棄される事も有り得る。そこで持ち主を明確にして、見た目を損なわせない為に不可視インクでナンバーと車体番号を車やバイクの各部品に印刷して通常は無地に見えるがブラックライトでのみ浮き上がる状態にして盗難後に犯人に塗装を剥がしたり塗り直したりする手間を与える事で盗んでも手間がかかり摘発されるリスクを高める事で防犯効果を加える。又、交通事故の時に誰も見ていないからバレないと、ひき逃げや当て逃げと言う凶悪犯罪をしても塗料や部品が現場に残り持ち主を特定できる印刷がされているのでドライバーは出来心でひき逃げや当て逃げしないで良識ある適切な対応を被害者に対して期待できる。不可視インクを新聞紙に社名と発行年月日を刷り込んだ地紋にする事で何処を切り抜いてスクラップにしてもニュースソースを後からブラックライトを照射する事で判別できる新聞紙も発明した。このように大切なモラルや保存すべき文化や作品は適切に保存して後世に残し時代が望む物は適量を適価で優れたテクノロジーを駆使して適正に提供する。
【背景技術】
【００９４】
缶入り飲料や食料缶詰や果実飲料缶詰やアルコール入り飲料などは、ブリキにスズメッキした物からティン・フリー・スチール（ＴＦＳ）とアルミニウムになり内径と高さで規格が決まっており円型缶５４種類、異型缶（角型、だ円型など）がある。容器の形として、従来の缶胴に蓋・底を巻き締めるスリーピース缶に代わって、缶胴に蓋だけ巻き締めるツーピース缶（打抜缶）と飲料用としてＤＩ缶と言うツー・ピース缶も使われている。金属素材をカップ状に絞り出し（ＤＲＡＷＩＮＧ）缶側壁を素材の厚さ以下に薄くしごき伸ばして（ＩＲＯＮＩＮＧ）成形した缶の事である。缶切りを使わないイージーオープン缶には一部を開くパーシャル・オープン・エンドと蓋全体を開くフルオープン・エンドがある。
【００９５】
ネック・イン缶と呼ばれる缶胴の天地をつぼめた、缶ぶたが缶胴より一回り小さい容器も作られている。本発明は加熱提供される缶飲料の缶胴部分に断熱性素材を付ける事で持ちやすくする事であり缶胴部分に断熱性素材をはめ込む窪みを付けたり発泡インクによる飛び出す部分に窪みを付けて輸送時に缶と缶がスレて断熱性素材に傷がついたり発泡インクの剥がれを防止する事なので技術的に缶胴に模様を付ける事と大差ないように従来技術と設備を活かして実施可能にした。資源の回収も従来の流れで設備投資の必要が無いように留意している。各種の機能性特殊インクも従来のマテリアル印刷技術で実施可能である。缶を現状のまま適温で飲む為の熱いスチール缶入り飲料に使用する持ち手型のピンチ式保持具は形状と大きさは異なるが洗濯ばさみの製造工程と同じである。樹脂を金型に射出形成して型を作り部品を組立て線加工品の円型スプリングで固定する。
【００９６】
ペットボトルのキャップを嵌入させる溝はブロー成形の金型の一部変更で可能である。鍋に入れて熱湯で加熱する為に缶を安全に取り出す為に使用するほ乳瓶用のハサミや鉗子状の器具を缶飲料や缶入りミートソースやレトルト食品が掴みやすい形状とデザインにして更にレトルト食品の内容物を絞り出す為の機能を有する取り出し器具は耐熱性の高い樹脂としてポリプロピレンやメラニン樹脂で耐熱１２０度の物を金型で射出成形して組み立てる。缶の滑り止めやレトルトの袋をしぼり出す部分はゴムかＴＰＥ樹脂を使う。本体と嵌合させ嵌入して咬止して固定させる。後はプラスチックのハサミを組み立てるような感じである。ペットボトルのキャップと同じ大きさの両面粘着シールを張り付けてシール部分を剥がすと下の粘着部分がキャップの一時、固定場所として両面粘着シールで粘着は数回、剥がしたり張り付けたり出来るペットボトル容器は現在の容器に貼るだけの手軽さである。
【００９７】
飲料の容器の形状を缶を地上から９０度（地上と水平）にして口を付けても鼻の高さの分を斜めにカットする事で鼻に当たらないと同時に缶を潰す時に完全に斜めにすると缶潰し機で潰す時に支障が出る為、飲み口の部分を一部平らしたにした形状を有する事で缶を潰す時も支障が無いと同時に容器のに冠着する形状を合わせ易くした金属製容器は従来の缶より斜めの部分が巻締部分になる為、缶胴のフランジと缶蓋のカールをかみ合わせて下方に折り曲げ、缶胴に圧着させる第一巻締の次に第二巻締で圧着させる５層の板が重なる状態を缶の斜めカットした缶胴に合わせてアールを作る必要がある。シーリング・コンパウンドの塗布の必要である。特に密封不良には注意が必要である。コップやカップで飲料を飲むと容器に蓋が付いていないので飲み干す時にも鼻は容器の空間に収まりジャマにならなかった。飲料缶詰は蓋の部分は付いたままなので角度を付けた。
【００９８】
樹脂の場合はブロー形成の金型で作れるので容易である。この形状の容器の上に「ベタ付け」に使われるオマケを入れる容器を冠着させると円柱になる形状を有する事で自動販売機にも対応した容器でキャラメルのオマケみたいな機能を有する。ゴミは冠着したケースに一時、収納してから捨てるのでテーブルや机の上に灰皿が無くてもゴミを捨てる場所に困らない。缶飲料は、金属に直接印刷されていたが熱収縮性ポリエステル系フィルムをラベルとして使用する事で冠着したオマケの入った容器を捲着する為にも使い冠着部分にはガムやキャラメルを開ける時に使われる構造のテープを引っ張って分断可能にする事で飲み口の衛生も保てる。ペットボトルの表面にストローを埋設して挟着する着座用の成形された溝を外装に有することでストローを付けてもストローが出っ張らないようにするのもペットボトルのブロー形成時に金型にストローを収納する溝を凸状に作れば良い。後はストローをはめ込む作業を機械化できるかである。
【００９９】
ペットボトルや缶入り飲料のポリエステルフィルムをクローズド懸賞（商品購入者を対象とした懸賞で購入金額により景品の金額に規制がある。オープン懸賞は購入している人でなくても応募可能であり懸賞法によりオープンは高額商品が認められる）のハガキやポイントとして使う事でフィルムを剥がす必要が出来る為に資源の分別をユーザーが行う結果になるシステムをサービスを行う事でフィルムラベルを剥がす習慣を広げる方法は従来の設備と工程をそのまま使って実施可能である。
【０１００】
オマケを入れる容器を冠着させると円柱になる形状を有する事で自動販売機にも対応した容器でキャラメルのオマケみたいな機能を有し冠着したケースをコップに使用したり冠着したケースにゴミを一時、収納してから捨てるのでテーブルや机の上に灰皿（タバコを吸わない人には便利なゴミ箱である）が無くても小さなゴミを捨てる場所に困らない。
【０１０１】
缶飲料は、金属に直接印刷されていたが熱収縮性ポリエステル系フィルムをラベルとして使用する事でボトルに冠着したオマケの入った容器を捲着する為にも使い冠着部分にはキャラメルを開ける時に使われる構造のテープを引っ張って分断するかミシン目を付けて分断可能に事で飲み口の衛生も保てるボトル型の樹脂又はスチール又はアルミ製容器でペットボトルのくびれて飲み口に向かう境目に溝を付けて円柱型のキャップを冠着させてコップとして使用出来ると同時にベタ付け用のオマケを入れるケースにする機能を有する容器は缶胴とボトルの口に向かう絞り部分に冠着して固定可能なネックイン缶みたい感じの溝を作る工程と冠着する容器を作りオマケを入れる工程とラベルフイルムを貼る工程が必要となる。従来技術で可能であるが手順と工程が約二つ増える。
【０１０２】
加熱する必要の無い飲料を入れた容器にのみ、熱湯により剥離するラベルを使用する事で資源の分別を容易にする機能を有する本、発明の形状を使用した容器に使用できる。特許公開２００４―１３１４０のラベルなら便利である。デザートを入れる色々な形状の樹脂製容器を集めて発明の見本づくりの材料にする時にお湯でラベルが剥がれるのは助かる。ラベルが剥がれると接着や溶着がしやすい。飲料の場合は熱収縮するラベルが主流なので粘着させる必要が無いが熱湯による剥離はガラス瓶入り飲料やデザート用の容器に使用すると便利である。現在の粘着剤ではお湯に浸しても剥がれないし水に浸しても剥がれない。
【０１０３】
現行のガラス瓶入り飲料に栓を抜いた後でビンに懸吊が可能なプルトップ機能を加えた王冠を使用した飲料は王冠を付ける従来技術と大きなリングプルをスチールで折り曲げて作る技術とバリを研磨する技術が必要である。封かん用のポリエステルラベルで大きなリングプルを捲着により固定する必要もある。書籍で読んだ「ものづくりの時代」に掲載されている（有）谷啓製作所のプルトップ缶の金型技術があれば容易だと思われる。炭酸飲料の場合は二酸化炭素を飲料に溶かすには圧力をかけて容器に詰めるのでペットボトルは厚く丈夫だがアルミ容器の場合は気圧で容器を膨らませているので薄くしてコストを下げている。炭酸飲料のガラス瓶は破裂防止で容量の小さいサイダーの瓶から大きくてシャンパンやスパークリングワインの瓶の大きさである。
【０１０４】
紙パックの容器は開封側の矢印の印刷を明確にする為に色を付けるか点字を立体プリントしたりテレホンカードの前後を識別する窪みを付けたり開封支援用のフィルムを挟んで印にする事で開封口を明確にして後ろを間違って開けない様にするには熱による圧着の時に牛乳ならポリエチレン製フィルムでジュースなら容器内部をコーティングしているポリマーと同一素材を挟む。酒もアルミコーティングの上に更に内部をコーティングしているポリマーと同一素材を挟む。印刷や窪みによるノッチは従来技術で可能である。
【０１０５】
炭酸飲料用の空になったペットボトルに窒素を充填して食品保存に役立てる為に使用する窒素充填用キャップは射出形成で金型を使えば可能である。ペットボトルをプランターの土に刺して水を与える器具みたい型に気密性の高いねじ込み式の蓋を付ける。空のペットボトルを２本用意して砂時計状に螺着させ浄水器やじょうごとして使用する為のジョイントに空気抜き構造の付いたボトルキャップと同じ形状に螺刻した溝を有するサバイバル用ジョイントキャップも金型で射出形成で一体形成にできる。キヤップを二つ接着してドリルで穴をあけてストローを嵌通させて接着剤で固定して見本を作って実験できた。
【０１０６】
空のペットボトルに約３分の１の水を入れて飲み口に空間が残るように横斜めに凍らせる事で後から入れた水やコーヒーを冷やす氷の面積を広くする事で麦茶や稀釈して飲む乳酸飲料や稀釈が必要なウイスキーなどの飲料を素早く冷えた状態に作る方法は自分でアイスコーヒーを作る時に濃いめにドリップして、じょうごで充填して飲んでいる。夏に外に出かける時は水を入れていくと２時間ほど氷が持つ。冷凍庫と空のペットボトルがあれば水を入れるだけで出来る。
【０１０７】
店（アルコールを提供する風俗営業店）にキープしたボトルにキャップを抱持しボトルに粘着や接着させる事で固着させて使用する保持具を作るのは金型に金属や樹脂を流し込んだりルーターで木や象牙を削ったりすれば良い。酒瓶のキャップは大きさが異なるので保持部分に弾性ある樹脂やシリコンゴムやＴＰＥ樹脂を付けられる構造が良い。
【０１０８】
素手で持っても熱くない部分をボトルや缶の表面又はラベルの内側に有する保温飲料用樹脂製の容器は
熱収縮性のあるポリエステルフィルムをラベルに使用する時に容器の外側に断熱素材のスチロールなどを付けて（一時的で良い）フイルムを巻く事で固定させる。既製のラペルで十分可能だが材料の値段によっては特許公開２００３―２６６５３７を使ってみるのも良い。素手で持っても熱くない部分を瓶の表面又はラベルの内側に有する保温飲料用ガラス製の容器も熱収縮性のあるポリエステルフィルムをラベルに使用する時に容器の外側に断熱素材のスチロールなどを付けて（一時的で良い）フイルムを巻く事で固定させる。既製のラペルで十分可能だが材料の値段によっては特許公開２００３―２６６５３７を使ってみるのも良い。
【０１０９】
素手で持っても熱くない表面部分に発砲インクで印刷する事でインク内の空気を断熱材として利用して素手で持ちやすくすると同時にデザインを加えたボトルや缶やレトルトパウチ食品の容器と袋は発泡ゴムインクや発泡インクをレトルトはシルクスクリーンで印刷する。マテリアル印刷として考えれば容易であるが大量生産となるとボトルや缶はパッド印刷システム（タコ印刷）を使った自動化によるシルクスクリーン印刷になる。平圧式パッド印刷で出来る。素手で持っても熱くない表面部分に発砲ゴムインクで印刷する事でインク内の空気を断熱材として利用して素手で持ちやすくすると同時に装飾的なデザインを加えたボトルや缶やレトルトパウチ食品の容器と袋もシルクスクリーン印刷で可能である。素手で快適に持つ事を考慮した飲料容器を発明したら片手で使いやすい飲料容器も発明する必要を感じ発明した。健康な人で病気の時に点滴で片手が使えずペットボトルのキャップがスクリューキャップで開けるのに難儀した経験があると思われる。ライターは戦争で片手を失った兵士でも使えるように片手で操作できる。自動車事故や機械に巻き込まれて片手を失う事もありえる。最近の兵器はわざと手足を奪い身体障害者で死ぬまで苦しめる地雷が使われる。しかも被害に合うのは子供が多い。子供はタバコは吸わないがジュースは飲みたい。片手で操作できる飲料容器は便利だからと運転しながら飲まれたら本末転倒であるが親指で手のひらと四本の指で缶胴を握り親指で蓋を押すことでスライドさせるか跳ね上げて蓋を開ける事で封かんも同時に外れる金属製・樹脂製容器を提供する。
【０１１０】
保存状態が確認できるように温度の変化した回数に反応して色が変わるインクを使用した金属製容器やラベルやレトルトパウチ食品の袋と保存用食品容器と外箱と缶とボトルと瓶は通常の容器の印刷で可能である。チョコレートは一度溶けて固まると表面が白い粉をかけたようなファットブルームになる。示温インクを使用するのは印刷工程で色数が一つ増えたと思えば良い。出来なければシルクスクリーンやパッド印刷をすれば良い。レトルトパウチ食品容器に吸い口の付いたアイスクリームやゼリーやカクテルを入れるチアパックの場合には微細氷技術が使われているのでマイナス８〜１２度で保存する為、冷蔵や常温だと融けてしまう。それを冷凍させても中身が見えず味が落ちてしまう。示温インクで保存状態を表示して持ち手部分に発泡インクで断熱部分を作り素手で持っても冷たくないようにする。容器全体を断熱性素材で覆うと冷凍時間が長く必要となるので手に持つ部分で良い。但し一度融かしたら変質するので工場での容器への充填時に固体状であれば全体を断熱素材をフィルム層に加えても良い。容器の強度も高くなる。色温度計の機能を有する樹脂で形成した匙・レンゲ・スプーン・みそ汁を入れるお椀と内部に色温度計の機能を有し外側から内部の液体温度が確認できる吸い飲みは容器を射出形成で作る時にポリプロピレンやメラミンの一部に示温インクを練り込むとか射出形成で出来た製品にパッド印刷かシルクスクリーン印刷する。空気に触れると変質が始まる薬剤との併用でより正確な保存状態を表示できる。ＤＶＤに使用されるパッケージを開封して４８時間で薬剤が変化してデータを読み取れなくした時限ＤＶＤのインクを食品パッケージに転用すればよい。海苔の佃煮や鮭フレークやジャムやなめ茸や塩辛のツィスト・キャップ瓶の瓶詰めのキャップの封かんを気密状態でキャップを覆い封かんを開けるとキャップの色が変化して鮮度を知らせる様にもできる。
【０１１１】
温蔵庫で加熱できない場合は鍋に入れて熱湯で加熱する為に缶を安全に取り出す為に使用するほ乳瓶用のハサミや鉗子状の器具を缶飲料や缶入りミートソースやレトルト食品が掴みやすい形状とデザインにして更にレトルト食品の内容物を絞り出す為にハサミの柄の部分をレトルト食品の口の大きさに合わせて長くする事で絞り出すシリクスクリーンのスクイージーの構造を有する取り出し器具は缶を安全に取り出す為に使用するほ乳瓶用のハサミや鉗子状の器具を缶飲料や缶入りミートソースやレトルト食品が掴みやすい形状とデザインにして更にレトルト食品の内容物を絞り出す為の機能を有する取り出し器具は耐熱性の高い樹脂としてポリプロピレンやメラニン樹脂で耐熱１２０度の物を金型で射出成形して組み立てる。缶の滑り止めやレトルトの袋をしぼり出す部分はゴムかＴＰＥ樹脂を使う。本体と嵌合させ嵌入して咬止して固定させる。
【０１１２】
キッチンタイマーに印字機能を付けて食品を冷蔵庫に入れた日をラベルに印字して食品に張り付けて管理する。賞味期限や消費期限や製造年月日の表示されていない食材を入れたビニール袋やラップや容器に張り付ける事で何日保存していたか明確にでき時計の機能を加えてシールを使う時に、その年月日と時間を印字して食品に貼る事ができて冷蔵庫に磁石で吸着可能にした電池を動力にした印字機能付きキッチンタイマー時計はタイムカードを押す時計を小さくしてラベル印字可能にすれば良い。現在の時計のムーブメントの技術と印字器の技術でキッチンタイマーの大きさが大きくなる事は無いが感熱紙方式なら確実だろう。インクジェットなら水分に弱く滲む可能性がある。感熱紙は酸化に弱いが食品に貼って日付が読めない程に時間が経過したら廃棄して捨てる時期を過ぎている。電卓に似た形状を、ほぼ維持できる。
【０１１３】
従来から使用されているビンを活用する事を前提として王冠部分をプルオープンで利用可能にすると同時に抜いた栓をビンに懸吊事が可能な王冠は書籍で読んだ「ものづくりの時代」に掲載されている（有）谷啓製作所のプルトップ缶の金型技術があれば容易である。オロナミンＣと言う飲料の指をかける樹脂の部分をアルミニウムで作りクラウン部分もアルミ製プルトップにしてピンの口に密着する構造にして指を掛ける部分をボトル（ガラス瓶）に懸吊出来る大きさにしてフィルムラベルで巻いて固定すれば良い。（アルミで瓶の口を封かんするとピッタリと密着出来て昔の王冠みたいに周りがギザギサにならない）スチールの場合は従来の王冠の周囲のようにアコーディオン状のギザギサが出来るのと指で引っ張り上げるプルトップの部分もスチールにする。（アルミと樹脂を使うと資源の分別がしずらいので加工の手間と消費者の分別の手間を考慮する）
【０１１４】
家庭用の窒素を缶に充填したスプレー缶入り窒素はヘリウムと酸素を混ぜた声の変わるパーティーグッズの缶を作る技術で作れる。しかも入れるのが窒素なのでヘリウムみたいに高い気体でない。
家庭用の窒素で空になったら窒素を充填する為に作られた充填可能な構造を有するスプレー缶又はボンベ
は自転車のタイヤ並みの気圧には軽く耐えられる物が良い。窒素充填用の注入口はタイヤの虫ゴム方式かライターの充填方式か使い勝手の良い方にする。
【０１１５】
家庭用の窒素充填と空気の吸引を行う機能を有する電気式食品保存器具は実用新案公開平５―３９６３４の携帯用空気分離器を手動でなく電動式にして加圧送風器又はコンプレッサーを使い充電方式のコードレスにするか家庭用電源を使用する。家庭用の窒素充填と空気の吸引を行う機能を有すると家庭用パック食品用器具はパックを熱で圧着する器械に窒素充填と空気の吸引を行う機能を有する電気式食品保存器具は実用新案公開平５―３９６３４の携帯用空気分離器を手動でなく電動式にして内設し加圧送風器かコンプレッサーを使い電気コード方式にして充電用の二次電池のコストを節約する。
【０１１６】
窒素を充填させる事により食品保存機能を付けた内部を真空にするとドアが開けられなくなるので酸素を含む空気と窒素を入れ替えて室内の気圧と冷蔵庫内部の気圧を同じにする事でドアの開閉を容易にした電気冷凍冷蔵庫と温冷蔵庫（電子冷蔵庫）は従来の冷蔵庫に窒素充填と空気の吸引を行う機能を有する電気式食品保存器具は実用新案公開平５―３９６３４の携帯用空気分離器を手動でなく電動式にして内設し加圧送風器かコンプレッサーを使い気圧計で空気弁の開閉を制御する。自動製氷器のカビ防止にもなる。
【０１１７】
炭酸飲料のペットボトルに窒素充填して食品を入れたビニール袋に窒素を充填する為に使用可能にした蜂蜜やメイプルシロップの容器のフタのように細くて長い筒状の注入口を特徴として気密状態を保てる構造を持ったボトルキャップ（災害用ペットボトル利用の窒素充填キヤップ）は金型を作り射出形成すれば作れる。
ビニール袋に窒素充填して食品を入れたビニール袋に窒素を移し替える方式で充填する為に使用可能にした蜂蜜やメイプルシロップの容器のフタのように細くて長い筒状の注入口を特徴として気密状態を保てる構造を持ったビニール袋にねじ込む事で気密状態を保てるように固定可能な構造を有する窒素充填用キャップ（外観は栄養補給用ゼリー食品の袋を何倍にも大きくした形状になる）雄と雌のキャップを二つ作りねじ込む時にビニールを挟んで気密容器として使う構造である。樹脂製で射出形成で作れる。
【０１１８】
水道や安全な井戸といったインフラが整えられていない地域でのペットボトルを利用した浄水器として空のペットボトルを使用して濾過装置として使用する為に二本のペットボトルをネジを利用してジョイントする事が出来て空気抜き構造の付いたペットボトルキヤップと同じ溝のジョイントで砂時計の中心の細くなった部分にあたる箇所にジョイントとして使用する器具であり給水車による水の供給が受けられる時は、便利な「じょうご」としても使用可能で上のペットボトルに一気に水を入れてもらったら受け側にボトルに水が落ちるので
給水を受けたら水の入った下のペットボトルには通常のキャップをする事でこぼさないで持ち帰れるように水をサポートするジョンント器具も射出形成で作る。
【０１１９】
芸術作品や骨董品や古文書や繊維製品や磁気テープや磁気ディスクを家庭で保存すると虫食いや酸化による劣化を防止するために窒素を充填する容器と器具と保存用樹脂又はジュラルミンなどの金属で気密性と遮光性を有し乾燥剤や酸化防止剤と併用する事ができる保存用の容器は従来の技術で気密性を有するように作る。タッパー方式で気密出来なければゴムパッキンが必要であると大げさになるので。食品と異なり多少の酸素では変質しないので容器の中の気体を窒素にするだけでも保存期間は飛躍的に伸びるから気密性が高い容器を使う。衣装箱に窒素を充填すると薬品を使わない防虫保存ができる。但し湿気を取る薬剤は入れておくと衣類内部から出た湿気に含まれる酸素を湿気取りに封じ込められる。博物館や図書館での展示品や所蔵品に窒素充填の技術を加える事で酸化防止を強化し腐食を防止する保存方法は湿度管理の説明から温度管理まで明細に書いたので、それを守って窒素を充填して酸素濃度を下げれば良い。
【０１２０】
衣類と書類と書籍と書簡と絵画とプリントした写真と現像済みフィルムを家庭にある箱やビニール袋に入れて（日焼け防止には遮光出来る物を使う）酸化を防止するために使用する窒素充填用の容器と器具は食品用を転用する。銀行の貸金庫に長期保存する証書や証券や書類や株券から貴金属や宝石の酸化防止機能として窒素充填可能の容器と充填用窒素を提供するサービスと窒素充填機能を備えた貸金庫及び金庫内に入れる気密容器の提供は容器が小さいので窒素注入口と空気を抜く弁を付けて入れ換えられる構造にする。
【０１２１】
アルコール飲料用（特にカクテル）の容器に新蓄光インクや夜光インクやブラックライトで発光する不可視インクを使用することでグラスに注いで飲まなくても装飾性を加え豪華さを感じさせるスチール製容器とアルミニウム製容器とガラス製容器とそのラベルはシンクスクリーンやパッド印刷で可能である。不可視インクを新聞紙に社名と発行年月日を刷り込んだ地紋にする事で何処を切り抜いてスクラップにしてもニュースソースを後からブラックライトを照射する事で判別できる新聞紙も発明した。インクのコストが下がれば特許公開２００４−２６８５９の資料用切抜き（スクラップ）支援機能付きメディア（情報媒体）を背景技術として新聞のスクラップ保存の時に新聞社名と日付を記入する手間を省ける為、保存や分類が便利になる。
【０１２２】
大気汚染による呼吸器疾患で医療用の酸素濃縮器の需要は増加している。ドラム吸着型が主流である。この器械の排気口から出る酸素を分離した窒素を酸化防止用窒素として使用する事ができる形状を有する酸素濃縮器兼窒素充填装置も発明した。空気取り入れ口から屋内の空気を吸い込み内部で酸素を電気的にドラムに吸着させて取り出す構造であり分離後の空気は酸素を除いて室内を循環する。この窒素を排気口にチューブを付けて窒素充填可能にした。水と空気と安全で空気が一番高いので窒素もムダにしない。健康器具としての酸素濃縮器も市販されている。空気清浄機に酸素濃縮器の付いている物も市販されている。窒素充填機能を付けて酸化防止出来る物は無い。技術的には容易である。掃除機の排気口と異なり酸素と分離された窒素と言う酸化防止剤が出ているのに捨てているのはもったいない。台所の食品を入れる米櫃などに充填すれば食品保存に使える。
【発明の開示】
【発明が解決しようとする課題】
【０１２３】
現在の缶入り飲料では熱い飲み物が入っていると缶に熱が伝わり手で持ちにくいままである。缶入りの加熱して自動販売機やコンビニエンスストアで提供される缶入り飲料以外は、喫茶店やコーヒースタンドやファーストフードチャーンにて紙コップをグリップの着いたカップホルターと言う樹脂製容器に紙コップを入れて提供したり断熱性の高い発砲スチロールに飲料を入れて提供している。しかも輸送時に、こぼさない為の蓋を冠着する事に加えて倒れない為の揺動防止のパッケージに入れる徹底ぶりである。
【０１２４】
これに対して缶入り飲料は保存性と輸送性では優れている。唯一の問題は、缶を加熱して飲む場合にスチール全体が熱くなる為、持ちにくい点である。缶飲料をまとめ買いした場合に加熱するのに手間がかかり便利な保持具が売られていない点である。また家庭で加熱するには手間がかかり機材や器具も無い点である。ペットボトル容器の場合は、キャップを一時、置くのに机やテーブルに置いて転がったりして置く場所に困る点である。資源リサイクル時にペットボトルとポリエステルフィルム製ラベルを剥がす手間がかかる点と缶入り飲料にポリエステルフィルムを使用した場合も同様に剥がす手間がかかる点である。ボトル型容器に入った飲料では鼻にボトルがぶつからないが缶入り飲料は現在の形状だと鼻にぶつかる事があり安易に斜めの形状にすると空き缶を潰すのに支障が生じるのと缶の形状を変えると現在使用されている自動販売機でそのまま販売出来ないたため大がかりな設備投資を余儀なくされる。
【０１２５】
ボトルキャップがボトルに一時、止め付けや収納出来るとデスクワーク時、書類にキャップが紛れる事も無く会議で安心してメモが取れる。従来の自動販売機にそのまま  追加補給できる。従来の商品と外見も殆ど変えず機能アップさせられる。コンビニ・自販機・スーパーと従来の販売方法・輸送方法といったインフラをそのまま活用出来る。現行のガラス瓶にもビンの形を変えず応用可能である。よって資本力の無い企業でも現行品から新製品への移行もスムーズである。しかも宣伝力次第で販促効果も強く前記の通り従来の商品イメージに加えて強力なインパクトも与えられる。若者・サラリーマン・主婦・高齢者といったあらゆる職業と世代のニーズとライフスタイルにマッチしているユニバーサルなバリエーション展開が可能である。
【０１２６】
ストローを飲料容器の中に入れてストローの弾性で飲み口より長くするのは衛生面の問題で出来ない。ボトル型容器に行われているベタ付けによるオマケの提供は店の商品陳列の負担となっている。その為、キャンペーンなどの場合に同時開始が難しい。品出しの手間も大きい。ガラスビンで飲料を提供する店は激減しているがリターナブルビンとして再利用できるので環境付加が低いので購入して持ち帰る必要の無い場所で付加価値を付けた提供を維持すべきである。紙パックに付いては開ける方向を間違える事があるり特に台所が薄暗い時に開けずらい。
【０１２７】
家庭で飲み終えたペッットボトルは一日に数本にもなるはリサイクルと再利用に加えて別の用途へ転用する事も必要である。店にキープしている酒ビンの蓋は、大切に扱うべきである。缶詰もレトルトパウチ食品並みに湯せんで安全に加熱したい。破裂防止に開封したら取り出せない。レトルトパウチ食品の具を無駄なく取り出す事もできない。
【０１２８】
すする事が出来ない程に身体機能が低下したらスプーンで流し込む必要があるが育児と違い適温の目安に介助者が試す事が出来ない。冷蔵庫に入れる食品は賞味期限や消費期限の書かれていない「食材」がある。ビン入り保存食の開封日まで覚えていられない。食品は開封すると空気に触れて酸化が始まる。開封後も手軽に長持ちさせたい。虫がわくのも防止したい。食品以外の貴重品も酸化防止させて長期保存したい。金属に紙や布やフィルムやゴムも酸化によって腐食する。美術品や証書や証券や株券と言った書類も長期間の保存で酸化する。自動車やオートバイや自転車の盗難や不法投棄の防止も所有物を適切に保管する観点から含み以上の問題を本、発明によって解決する。
【課題を解決するための手段】
【０１２９】
各種の飲料を最適な温度と清潔な状態で快適に飲む事を目的とした容器を提供する。液体用の容器で特に各種飲料ごとに種類別に最適の容器を提供する。
【０１３０】
加熱して飲む飲料用はスチール缶の手に持つ部分に耐熱・断熱・防水機能を有する素材をグリップ機能としてスチール缶の手で持つ部分に限定して樹脂やゴムや発砲スチロールで吸着、咬止、固着、載設、展着、周設、付着、溶着、接着によって飲料を飲んでいる時に的確に持着されて飲み終わるとスチール缶と断熱性素材が容易に外れる事でゴミの分別を可能にして資源として再利用される構造にする。
【０１３１】
容器リサイクルを考える必要があり例えば缶を踏みつけて潰した時にスチール缶と断熱性素材が圧壊や圧砕で缶と断熱性素材の分離が容易に可能である事と断熱性素材も発砲バラ緩衝材を使用したり燃やす事と生分解性を考慮する点が大切である。市場に混乱を招かない為にもデザインを、あまり変えず機能を加える方が従来の自動販売機などの資産を活かす。
【０１３２】
最善策はスチール缶に熱伸縮性のポリエステルフィルムをラベルとして使用して断熱性素材は缶を断熱性素材の形状に嵌合させて捲着か被着させて、一見、いつもと同じデザインと銘柄の飲料を消費者に購入してもらい目立った変化は無いのに持ちやすい構造になっていて手が熱くて味より缶を持つのに気を取られず本来の美味しさを堪能できて飲みやすかったと言う印象を感じてもらいリピーターを商品の愛好者になってもらう事がロングライフ商品の長期的ピジョンには大切である。過去に費やした広告費とブランドイメージを無駄にしない。
【０１３３】
人間の欲求の第一は、苦痛を避ける事である。娯楽や快楽より生命維持を優先させる行動をとる。提供する飲料が如何に美味しい物であっても人間の生存本能が持つ苦痛を避ける行動様式から考えると熱いと火傷するから手に持ちたくないが寒いので暖かい飲料を飲んで暖まりたいと言うアメニティー（快適さ）を求める部分が反発して消費行動を鈍らせる。加熱して飲む飲料にはコーヒーカップの持ち手にあたる部分やお茶の受け皿にあたる部分の機能をスチール缶に持たせる事で差別化が可能である点が明確になった。
【０１３４】
但し加熱する為には温蔵庫や自動販売機による加熱する熱を伝える部分を無くす事は出来ないので缶の表面の手で持つ部分に限定して樹脂やゴムや発砲スチロールで吸着、咬止、固着、載設、展着、周設、付着、溶着、接着などの方法で固定する方法と缶の周囲をペットボトルと同じくラベルを樹脂で巻く構造にして、その中に樹脂やゴムや発砲スチロールを固定する方法があり圧潰した時に素材が分離する方法が良い。
【０１３５】
缶コーヒーなどの缶入り飲料をダンボールで購入して鍋にお湯を入れて缶ごと温めて飲む場合は温蔵庫の温度が６５度に対して高温になる危険が高いので育児用のほ乳瓶はさみでお湯から取り出す必要がある。取り出しても今の缶入り飲料の構造では手で持つのも大変である。お湯から取り出したらタオルで缶を拭いて洗濯用の竿を固定する洗濯ハサミに似た構造の保持具を発明したので缶を挟んで持ち手部分を持って飲むタイプも発明した。飲料が熱い時は、啜って飲む事で温度を下げるがカップのアタッチメントが熱くない為にうっかりぬるい状態と勘違いして飲まないように注意してもらう必要がある。
【０１３６】
加熱用缶飲料を如何に美味しいとされる適温で飲んで貰えるかが重要である。自動販売機やコンピニで適温状態で購入する消費者には適温で提供されるが、それ以外にスーパーやディスカウントストアでダンボールでまとめ買いしたり買い置きしておく、お客さんも適温で飲めるようにする必要がある。ベーチェット効果で温度を切り替えられる電子冷蔵庫を持っていても小型なので枕元に置いて使う人が多いので温蔵庫と冷蔵庫を切り替えるのは方法もある。
【０１３７】
電子冷蔵庫が無ければ缶を温めるのは手間である。直接、火にかける事も出来ず電子レンジにも入れられず鍋でお湯を沸かしてアルミ容器入りレトルト食品のごとく温める事になる。最近では電子レンジで直接、温められるレトルト食品もある。鉗子構造のほ乳瓶用ハサミがあれば良い。但しレードルのような角度を有する器具の方が各種缶詰を湯せんした鍋から取り出す時に鍋の縁がじゃまにならない。
【０１３８】
飲料の缶に紙製のダンボール紙を加熱後の飲む直前に水分を取り除いてから周設・捲装して保持具にする方法もある。樹脂製のダンボールの方が水分に強いが湯せんすると水分がダンボール構造の空間に残るので拭く必要がある。耐熱性がある樹脂で作る事も重要である。紙製や樹脂製にしてもせっかくなのでロゴやマークや図案やイラストやキャラクターを印刷して飲料のイメージアップや宣伝を怠らない。缶などに巻いた後の固定は貼接や掛止や嵌入などがある。食品の入った缶詰をレトルト食品と同様の方法で湯せん、つよりボイルして加熱しても取り出すのに便利な器具が無いので破裂防止に缶を開封してからお湯の入った鍋で煮て温めると鍋の熱湯だけ捨てて開封された缶を取り出せずタオルなどの布で缶だけ掴む前に熱湯に入ってしまうので大変である。これについては本、発明の器具を使う事で解決した。レトルトパウチ食品自体も熱湯から取り出して皿に盛りつける時に袋が熱くて内容物を完全に絞り出せないので本、発明の器具を使って絞り出せるようにした。
【０１３９】
請求項２の洗濯ばさみ構造の保持具を使うと缶の大きさが多少異なってもしっかり缶を挟んだまま固定出来る。リング状のスプリング方式である。コーヒーカップやティーカップやマグカップの持ち手にあたる部分が缶を挟んでいない時には広がっており缶を挟むと重なり合わさる構造である。これを使うのが面倒であれば請求項１の素手で持っても熱くない機能を有する保温飲料用缶入りスチール容器入りの飲料を購入する。熱湯から取り出す時はいきなり請求項２の保持具で掴むと危険なのでほ乳瓶ばさみと同じ構造の鉗子機能の請求項３の取り出し器具を使う事が良いが無ければ鍋から熱湯を捨てて請求項２の保持具を缶の水分を拭き取ってから挟み付ける。飲料用の缶やボトルやビンには液体が低温で凍って多少なら個体化して膨張割れない為の空間を残している。完全に個体化すると割れるので気圧の変化に対応する程度の空間と言う方が現実的であるが食品を入れる缶詰よりは空間は多い。沸騰したお湯に長時間つけると危険であるが沸騰したお湯の火を止めて余熱で温めると破裂の心配と言う点で安全である。鍋に入れて火にかけたら沸騰したらスグに火を止めて余熱で温めて容器内部の飲料の温度は６５度〜８５度にすると良い。
【０１４０】
素手で持っても熱くない部分を缶の表面又はラベルの内側に有する保温飲料用スチール缶の容器に入った飲料が提供されていなくても現状の缶飲料に保持具は使用可能である。請求項１の機能を有する缶もペットボトルも飲み終わった後でスチールとポリエステルフィルムと断熱性素材の分離をユーザーに求めるとしたらポリエステルフィルム自体がクローズド懸賞の応募ハガキやポイント機能を兼ねていて剥がして使う必然性を作ったり、ラベル裏面がクジになっていて当たりが出ればもう１本貰えるとか１０〜２０枚集めると１本貰えるなどのサービスを行う事で剥がす習慣を作れば良い。
【０１４１】
アイスキャンディーのベタベタしたビニール袋からポイント部分を切り取るよりは缶やペットボトルのフィルムを剥がす方が手が汚れないだけ楽である。自動販売機のルーレットクジより良い。１００枚集めるとノベルティーグッズが貰えるなども良い方法である。フィルムを剥がすと裏面に、占いでも印刷してあるなんて古い方法もあるが、この程度ではユーザーは手間をかけてくれるか疑問である。いっそ二次元コードを印刷してゲームが出来るとか音楽が聞けるぐらいの情報なら効果はある。インターネットのアドレスの入ったＱＲコードだとシリアルナンバーで管理する必要があるので不法にダウンロードされない配慮も必要である。特願２００４−１２９２０５で言うアミ部分をバーコードデーターにすればラベルの裏の面積でかなりの情報を入れられるがＱＲコードにシリアルナンバーを入れればラベルの裏面に印刷する手間もいらない。
【０１４２】
ゲームソフト会社とタイアップして隠しイベントや隠れキャラクターを入手出来る。表面に二次元コードを印刷してゲームが出来るとか音楽が聞けるか音楽会社や芸能プロダクションやゲームソフト会社とタイアップして音楽データや画像情報や隠しイベントや隠れキャラクターを入手出来る様にインターネットのアドレスの入ったＱＲコード（二次元コード）にシリアルナンバーを入れる事で管理して不法にダウンロードされない配慮を施したデータ配信サービスをすれば良い。裏面に印刷して意味があるのは特願２００４−２０４０７４の物なら意味があり意義も大きい。
【０１４３】
ペットボトルのキャップは外すとジャマなので丈夫なボトルの底を利用してキャップを遊嵌させたり挿着させたり挿脱させるキャップの大きさの凹状のみぞを付けてキャップは溝から取りやすい形状に一部修正する。熱いお茶用ボトルはボトル横部分にキャップを抜脱する凸状のキャップ内径の突起を付けるペットボトルの口部分の細くなっている空間を利用してキャップを凸状のキャップ内径の突起を付ける。
【０１４４】
大瓶の場合はボトルの注ぎ口とボトルの太い部分の差で生まれる空間が十分広い。ドリンクの口部分の細くなっている空間を利用してキャップを抱持状にはめ込む突起を付ける。プレス成形可能なアルミ缶とペットボトル中心にデザインしたが、基本は箸置きの持つ機能と清潔感であり一時的にキャップを固定するなら円形の両面テープを貼るだけで十分である。但しペットボトルは開封して口をつけたら汚れた手から細菌が入り増殖する恐れがある。食中毒の原因となるサルモネラ菌・腸管出血性大腸菌Ｏ１５７・黄色ブドウ球菌・などが繁殖する恐れがあり中の飲料の種類で繁殖するスピードが異なりウーロン茶と緑茶では８時間後に変化しなかったのに対して水ではサルモネラ菌が増加し紅茶ではＯ１５７が増加する傾向がありスポーツドリンクではペーハーが３と低く微生物が生育できないという特徴が見られたが飲料の開封後の温度３２度でのデータであり菌を植えて実験しているので確実に繁殖する菌が混入するとは言えないが開封後、冷やして飲む場合は５〜１０度以下が適温で加熱して飲む場合は約６５〜８０度ぐらいが適温だとして、ぬるくなったり冷めたりする前に飲み終えるのが安全である。開封後、コップに注いで冷蔵庫にスグに戻すなら牛乳以上に保存は可能である。ペーハー７は中性なので細菌の繁殖が起こりやすいので特に注意が必要である。水道水の場合は塩素が入っているので多少は保存が可能である。但し浄水器を通した水は塩素も除去されているので水道水より保存できない。
【０１４５】
ガラス製のビンについては従来のビンよりガラスを薄くしてセラミックコーティングにより強度を保ちしかも軽量化された物も実用化されている。炭酸飲料ビンに樹脂コーティングした物が使われていたが今後はガラス自体を強度の高い物にする等でリターナブル可能なビンは今後も供給される。そこで栓抜き機能を有し外した王冠をビンに掛ける形状と大きさを有する穴を指で引き抜いて開けるプルオープン式の王冠も発明した。指を入れて引っ張ってあける部分の半分程上でビンの口に近い部分に未開封かどうか一目で識別できる様に封かんフィルムを捲着する。フィルム素材はペットボトルのラベルに使用されている熱収縮性ポリエステルやビン入り飲料なら加熱して提供する飲料は入れられていないので熱水剥離可能な接着剤を使用しても良い。王冠（クラウン）のビンの口に締め付けて結合させて栓を封止する時に出来る溝は栓抜き部分にも事前に縮退加減に形成してビンの蓋が完全に閉まるまうにする。テコの原理を利用できない分、引っ張る部分の穴を大きくして栓を抜いた後はビンに懸吊させられるようにする。引いて開ける時に指を切らないように安全なリングプルにする。手のの切れないプルトップ缶の形状も応用する。丸めてカド（バリ）が出ないようにする。
【０１４６】
王冠を開けたらビンに掛けておく。クラウンが首飾りとなりビンを飾る。ひと口飲んでテーブルに置くと丁度、
サンドレス・ローブデコルテ（ドレス）・ワンピース・ビスチェを連想させる。ドリンクの色によって服をイメージできる。重たくて減少しているビン入り飲料であるがリサイクルというよりリターナブルビンとしてリユースできるので何回も使ってほしい。王冠部分とリングプル部分はビン口の細い部分から円筒の太い部分の間に収まるように沿わせるように固定する。（輸送時にぶつかって栓が抜ける事が無いためでありパスカルの定理みたいに延長線を引いてバニシングポイント「消尽点」に完全に収まるようにする。その為にリングプル部分はビンの丸みに合わせてアールなりカーブを付ける。
【０１４７】
栓抜きが無いと開けるのは至難の技であった。しかも栓抜きで抜いたクラウン（王冠）を、じかにテーブルに置くと栓の裏を上に向けるので不潔感があった。最近では、王冠の付いたドリンクを買う機会が激減しており栓抜きの無い家庭も急増している。入院の時でさえ缶切りと栓抜きを持っている人は最近少ない。ビンは缶ジュースやペットポトルよりリサイクル性が高く現在も飲食業で使われている。高いお金を払って飲食店でソフトドリンクやビールを注文しても王冠をテーブルに直接置くデリカシーの無い店が多い。どんな物でも適切な場所に置けば美しく見える。王冠が栓を開けるとタダのゴミでは、つまらない。そこで勲章やペンダントをイメージ出来るようにプルアップ部分をビンに架けられるようにした。
【０１４８】
ソフトドリンクでもビールでも何となく飲み屋とかでウイスキーのマイボトルを飲んでいるようなリッチ＆ゴージャスな気分にもなれる。現在、流通しているビンを、そのまま使える宣伝なしでも消費者は戸惑わないですむ。
【０１４９】
急激に栓抜きの消える２１世紀に環境を守るには作る事を減らして現在、残っている物を使う為に発明した。クラウンの材料も、スチールの空き缶（アルミ缶より安いコスト）で十分である。アルミで作ると強度が落ちる可能性がある。この利用で栓抜き分のアルミ使用量を減らし製造コストもかなり押さえられ空き缶リサイクルのアルミ缶とスチール缶の需要バランスも多少は修正される。飲み終えたビンは銭湯で牛乳を飲み終えた時のように店頭で返却することでリターナブルビンとしてリユースする環境面での負担が無い所まで一連の動作で伝える。ＣＭ次第で、この飲み方をすると昭和初期のレトロ感も味わえてビンの回収とリンクする。
【０１５０】
ビンにクラウンが架かったまま回収出しても影響なく逆さまにするだけでニュートンの万有引力の法則により懸吊されたリングプル式クラウンとビンの分離が可能である。よってリサイクル性が高く環境に優しい。栓を開けると、ただのゴミだった王冠に素手で開けられる機能性と開けた後もビンに掛ける事で装飾性を持たせて機能美と装飾美が一体化したデザインである。
【０１５１】
ペットボトルやソフトドリンクのビンの懸吊できる王冠に限らず高価な酒の入ったガラス製や陶磁器製ボトルに応用する場合は、キャップの型に合わせて保持具を高級感ある木製から豪華な金属製や陶磁器製やプラスチック製などガラスビンに合わせて作ると良い。マイグラスやマイカップを店に預けるのと同じにマイボトルに高級で高価なキャップホルダーを実用を兼ねた装飾品として付けるサービスをしても良い。箸置きのキャップ版である。ワインのコルク栓にも応用できる。アルコール飲料でカクテルも市販されている。カクテルはカクテルグラスで雰囲気も味わうように飲んで満足感が得られる。デザート用の樹脂製容器のように形状や機能を加えて喫茶店やレストランなどの飲食店で食べるイメージに近づけている。アルーコール飲料を入れる容器にも同様の工夫がほしい。そこで従来の缶やビンの形状やデザインを活かして、しかもイメージに夜のネオン街の華やかさを取り入れる発明をした。機能性インクを装飾に使うことで光らせたり発光させたり薄暗くなると光るインクで金属製容器やガラス製容器又は、そのラベルにプリントする。ライブハウスでは缶入りでドリンクを提供するので雰囲気を高める装飾とする。新蓄光インクや素材はプラスチック・樹脂・金属・ガラス・紙にシルクスクリーン印刷によってマテリアル印刷することが可能でありパッド印刷（たこつぼ印刷）で曲線や凹凸のある面にも印刷が可能である。
【０１５２】
夜間光ると日常生活が便利になる物も発明した。喘息用に使用する気管支拡張剤の金属製ボンベの薬剤容器にかぶせる事により噴霧機能口を兼ねた樹脂製アタッチメントに一晩じゅう暗闇でも光続ける機能を加える事を考案した。喘息用エアゾールタイプの吸入薬の気管支拡張剤は樹脂製のアタッチメントタイプの噴霧機能を兼ねたカバー部分がプラスチック樹脂である。自動車排ガスによる大気汚染公害被害が都市部で面的汚染を引き起こしている現状や粉肺（労災）にかかり喘息や慢性気管支炎から肺気腫となった重症患者に処方されている発作時に頓服として使うアトマイザー型の気管支拡張剤に現行の薬剤の型を極端に変える事なく夜間の電気を消した暗闇でも従来の夜行塗料から１０倍光る溜光素材が実用化されているので薬剤のプラスチックの噴霧機能の為のカバーの部分に光る部分を付けて場所がスグに分かるようにする機能を考案した。薬剤はボンベ部分に入っている。後は噴出口機能を持ったプラスチックカバー状のアタッチメントにセットして口にくわえて噴霧を吸入する構造である。口に加える部分には汚れ防止のキャップが付いている。気管支拡張剤はエアゾル状態の薬剤の入った金属製ボンベが薬の容器部分である。喘息と言う疾病は、深夜と明け方に発作で呼吸困難となり気管支拡張剤を吸入して発作を止める機会が多い特徴がある。いちいち電気をつけて家族の睡眠を妨げず吸入出来れば周囲の負担も軽減できる。自分で置場所を決めていても手探りでは不安である。そこで明け方まで光りが持続する夜行塗料を光る機能としてつけた。喘息患者の希望の光としたい。カバー部分に穴をあけて蓄光素材のストラップを付けても暗闇で場所を知る目的は達成できる。現在、蓄光ロープが市販されている。蓄光ストラップ（光るビニール紐）は安値で作れる。喘息発作時に咳をしてタンを出す時にティッシュペーパーを使う。気管支拡張剤の場所が分かる利点は、ティッシュペーパーも同じである。そこでティッシュペーパーの取り出し口の部分を蓄光素材で印刷する事で暗闇での利用を便利にした。印刷インクのコストを考え同時に蓄光素材は高価なのでテイッシュの箱の口の部分に光るアタッチメントを付けて箱が空になったら新しい箱に付け替えるアタッチメントも同時に発明した。深夜に暗闇で使ったテイッシュをゴミを捨てるにはゴミ箱の口の部分に蓄光素材を使い光るようにする。家庭でも暗闇で光ると便利な機能を付けたゴミ箱である。ゴミ箱の口か口の近くが光るとゴミを入れる位置がわかる。とくに入院中の患者の中にはＭＲＳＡ（抗生物質が効かない感染症）にかかってしまう人がいる。深夜の巡回で看護士が素手でゴミ箱の外に落ちているゴミを拾ってゴミ箱の中に入れて手を消毒しなかったら危険度は高くなる。看護士は懐中電灯をもって巡回するので片手がふさがってしまい。手の消毒が不便である。ビヒスコール液Ａと言うハンドソープ型の容器に入った噴霧式消毒剤に懐中電灯を置くスペースを作れば使い勝手が良くなり消毒忘れが減る。病院用のゴミ箱は、蓄光機能のものを使うと患者がゴミ箱の中にゴミを投入できる確率が上がりＭＲＳＡの感染確率は下がる。喘息患者を想定した発明であるが、タバコとライターと灰皿にも同様の考えを応用できる。
【０１５３】
運動に使うボールも暗い所に飛ぶと探すのが大変である。明るい所では蛍光性のボールと異なり外見上は変化が無いが暗い所で蓄積した光を放つので発見が容易となる。ボール拾いで発見しやすくなる。今までは、気管支拡張剤に光る機能を付けている製薬メーカーは無いが夜行テープや溜光テープに特願０００−５４７００９のルミノマーカー（蓄光）も市販されている。従来技術をテープを貼ったりフタかケースに印刷したりフタやケースの素材自体を発光素材で作る事は簡単である。現在は毒性の問題でグリーンとブルーの２色しか無いのが残念であるが無機化合物に蓄光させるので今後、色数は増えると思われる。特にマゼンタ（赤）とイエロー（黄）が増えるとバリエーションが増える。プロセス印刷は無理でも孔版技術を使った版画調の多色刷りが可能となるので期待している。プラスチック容器の先願の明細にはプラスチック容器（固形薬剤用と液体薬剤用）であり気体のエアゾールの噴霧口を兼ねたプラスチックカバーは想定されていない。本考案は喘息用の専用エアゾル容器を想定しており製薬メーカーレベルの導入を前提としている。デザインで蓄光素材の使用量の調整ができるので材料コストの調整もできる。公知技術で色の調整も可能である。本発明者は個人で蓄光マーカーで薬剤の名前を書いたり印を付ける事は、すでに実施して使用している。光るロープも市販されているので、カバーに穴をあけて蓄光素材の紐を通すことも可能である。携帯電話のストラップの細目の物みたい形状でも良い。金魚を入れるビニール袋の口を締めるビニール紐状のものを蓄光素材で作り付ける事でも暗闇で場所を把握する事が出来る。特開平１１−３２１８７３の技術でフタやケースにクスリの名前を印字する時に蓄光タイプのインクを使える。特開平１１−１６７３４５の技術でシールに蓄光のインクや素材を使うなどコストも方法で調整可能である。現在の技術でシールやテープもプリントと可能である。プリントは使い捨てライターに広告を入れる技術で十分である。シールやテープも従来技術にインクを変える程度である。又は蓄光素材を練り込んだ樹脂製かビニール製のヒモを付ける。ティッシュペーパーの厚紙で出来た箱を蓄光インクで印刷すると暗闇で場所が分かり便利である。印刷顔料を節約するには、テイッシュ箱の取り出し口を示すように蓄光インクで印刷をする。これは従来のオフセット印刷の技術で可能である。印刷機械もそのまま使える。インクの色を変える程度の手間である。グラフィックデザインとの関係でバリエーシュンは色々できる。本発明の目的は、暗闇で電気を付けずティッシュの容器の場所を把握し使えるようにする。テイッシュペーパーを使った後は、ゴミ箱に捨てる。暗闇の場合はゴミ箱（樹脂製ゴミ用容器）に入らないのでゴミ箱の口に蓄光インクや蓄光テープやシールラベルで光を放つようにする。光の中に投げ込めばゴミ箱の中にゴミを入れる事ができる。ゴミ箱の口に付ける蓄光性を持った樹脂性アタッチメントをはめ込む方法もある。
【０１５４】
暗闇で使う可能性のある物のセットの展開案として、喫煙者はタバコの箱（紙製タバコ容器）とライター（着火機能付きガス容器）と灰皿（タバコの吸い殻の消火と一時保存用容器）が蓄光機能を持っていれば同様に便利である。まずタバコの箱に蓄光印刷してあれば暗闇でタバコを取り出せる。タバコケースに蓄光機能を付けるのも便利であるがタバコの箱に蓄光インクで購入時から印刷されていればケースに移したりせず便利である。タバコケースは蓄光機能をつけて更にテイッシュケースやカバーと同様の発想でライターを入れるスペースを付けたりライターポケットを付けると便利である。暗闇でライターで火をつける。使い捨てライターのプラスチック部分が蓄光素材で出来ているかプラスチック部分に蓄光インクでマテリアル印刷してあれば便利である。広告の入ったライターなら宣伝効果は通常の印刷より蓄光機能で文字を読むことになり格段に高まる。ライターは使い捨てでなくても良い蓄光機能を蓄光シールや蓄光テープで加えたりプラスチック部品を蓄光にすれば良い。タバコを吸うと灰皿を使う。灰皿の場合は、蓄光素材が熱で熔けないないようにガラス製ならガラスの中に注入して形成する。灰皿の周囲の縁に蓄光インクでプリントすれば便利であるが耐熱性に疑問があるので周囲の縁部分に火を付けないように注意書きをする。灰皿は火を使うので正確で確実に灰を皿に落とさなければ火事になる。蓄光機能によって灰皿の適正な場所に灰を落とせる。
【０１５５】
ボトルに粘着テープで張り付ける事で使用可能である。そばにキャップがあり吸い殻でも落とされないか気になってしまう。特に飲み屋のガラス製酒ビンのキャップは軽く何かの弾みで床に落とす事も多かった。拾うには椅子から立って、かがんだりと特に酔っていたりすると拾うのも大変であった。そこでガラスビンの形を変えず金属・鼈甲・象牙・珊瑚・木材・ガラス・樹脂などの装飾品や日用品に使われる様々な素材を使って酒ビンに合わせて接着固定が可能なキャップホルダーを作り提供する。酒ビンはガラス製が多く酔っぱらった時にビンの蓋を落とさずに便利である。
【０１５６】
リサイクル品が必ずしも原材料から作るよりコストが安く出来るとは言えない。環境負荷もコストであると言う信念を持たないと新しい原材料を買って加工した方が再商品化するより安い場合もありえる。
【０１５７】
ソフトドリンクの容器別の生産量を見るとスチール缶の減少が目立ちペットボトルの生産量は大幅に増加している。スチール缶のデメリットをメリットに代えるには加熱飲料を提供した時に持ちやすい機能を加える事で需要のバランスを取る。
【０１５８】
スチール缶はシェアの減少が起こっているので加熱飲料を入れても持ちやすい事や形状を変えて鼻に当たらなくしたりオマケを冠着して新しい需要を作る必要がある。ポリエステルフィルムを使用すれば薄膜を加工する時に印刷を省略して後でラベルを捲着させて熱伸縮させる事で缶とラベルを密着させて製造する。アルミ缶は、炭酸入り飲料に多く使用されており冷たく冷やした状態で提供される飲料に使用される。特にビールや発砲酒に使われている。
【０１５９】
良くアルミは電気の固まりと例えられるが実際にアルミの製造工程では、原料となるボーキサイトからアルミの地金を作らなければならず、この工程で大量の電力を使う事から電気料金の高い日本国内では、アルミ地金になり加工されて使用後に捨てられたアルミ製品をリサイクルの為に６６０度以上の熱でアルミ缶を溶かして再生地金（アルミの固まり）にしてからアルミ缶製造用の薄い板を作り、アルミ缶を作り飲料を入れて店頭で売られます。その為、再生地金を作るにはボーキサイトから作るより少ない電力で済み省エネルギー率が高い事から環境負荷は軽い。
【０１６０】
アルミ缶は炭酸飲料が多いのでアルミ製のボトル型も増えており従来の缶型の様に鼻にぶつからず飲み残したら蓋が出来るので炭酸をあまり逃がさない利点もある。本、発明では、このボトルに円柱状の蓋を冠着させる為の溝を横設して咬合状態で固定され使用時に抜脱できる円柱状の蓋の中にベタ付けされるオマケを入れる事で自動販売機でもベタ付けのオマケを付ける機能を付けて玩具や、つまみ（乾き物）や宣伝用試供品を入れたり蓋をコップの代用にも使用出来る発明もした。アルミ缶への直接印刷とフィルムラベルに印刷した場合のリサイクル時の手間とコストを押さえる事が出来れば熱水剥離可能なラベルの使用も考慮して良いが現在の工程ではラベルを剥がす設備投資が必要があれば従来通りに直接印刷する方法を続ける。
【０１６１】
ラベルを付けたままで再生地金を製造する為に溶かして良い材質のフィルムラベルであり捲回や捲着の時に接着材が必要であれば同様に再生地金の材質が劣化しない事が最低条件である。使用する接着アルミ缶のリサイクル率は１９９９年のデータで７８，５％で販売量が１７０億缶で回収量が１３３億缶であったが増加傾向である。
【０１６２】
飲料用の容器として一番、普及、浸透しているのがペットボトルである。素材は樹脂製で透明度が高い。最も透明なのは、プラスチックオプティカルファイバーでＰＯＦという光ファイバー用の素材で空気より透明度が高い。
【０１６３】
ＩＳＤＮでは現在のオンラインゲームでは通信速度が遅すぎてゲーム環境を作れない程に光ファイバーによる通信は普及した。電気信号は０と１に対して光ファイバーは光の波長を色として伝える事も可能で色も０と１で伝える事が可能なので２００倍の速度に加えて情報量も多い。光の波長は赤は６００〜７００ｎｍ・緑は５００〜６００ｎｍ・青は４００〜５００ｎｍである。
【０１６４】
透明度が高い為にペットボトルはリサイクルマークが１でＰＥＴである。ペットボトルはプラスチックの一種であるポリエチレンテレフタレート樹脂であり繊維原料やペットボトルへ再利用される。ペットボトルとしてリサイクルする場合は、不純物の影響が大きく金属缶を溶解して再生地金にするよりも不純物の影響を受けます。特に、ペットボトル同様に透明な塩化ビニールとの識別は難しくＸ線で塩ビボトルを探知して除去してから着色ボトルは分離して繊維製品は制服やワイシャツやフリースやカーペットに加工したり洗剤用ボトルや化粧品容器や文房具の容器や保持具部分など飲料用容器以外になる事が多く他の異物の除去をして透明ボトルのみを８ｍｍの四角に粉砕した後でＰＥＴのフレーク状になったのでアルカリ性洗浄液でフレーク洗浄して液体を使って比重分離により金属・ポリエチリン・ポリプロピレン・ＰＥＴを分離して脱水、乾燥させて風選分離という下から一定の風圧をかけて重い物は低く軽い物は高く吹き上げられる性質を利用してラベルや微粉末を除去する。さらに比重分離や風選分離でも残ったアルミニウムや金属の分離を静電気を使って行い溶解してペレットにします。この様に手間とコストがかかる為、ガラス瓶の様にリターナブル（再使用）することも検討されています。最も環境にやさしいと言う点では再使用となります、ガラスは昔からリターナブルされており溶かして原料にするエネルギーを使わずガラスを洗浄してビン詰め工場で中身を充填して商品化できるからである。軽量タイプのビンも実用化されている。リターナブルの耐久可能な回数はビン１本で年３回使用され８年で２４回も使用できる。リターナブル出来なくなったビンはワンウェイ瓶としてカレット（原料）に加工されている。化粧品の容器はデザインや用途が多く捨てられていたが容器のコストを考えると飲料のビンより高い。空になった容器を化粧品を販売した店（同一のメーカーを扱っている店の店頭）で回収して持ち込んだ顧客にサービスとして特典を付けてインタラクティブビジネスとしての効果を上げる事もできる。持ち込みにより資源ごみの様に雑に扱われず傷や損傷を最小限に抑え寿命も長くできる。化粧品の容器は、もともと小さい容器が多いので顧客が持込むのも負担にはならない。
【０１６５】
現在の飲料用容器のリサイクやリターナブルに加熱飲料のボトルや缶に使用する断熱性素材であるが本、発明では保温性を重視する必要が無い。保温性を高めると密封状態で加熱する時に缶やボトルに熱が伝導する事を妨げてしまう。湯せんや温蔵庫での加熱提供を主としている為、持ち手の機能を添付着させる事であり展着状に載設や敷置や嵌入や嵌合や埋設してから接着やラベルによる捲着や捲回により容器の円柱部に周設し付着させて固定させる事を目的とする。これにより断熱部分を素手で掴持しても熱い思いから解放される。
【０１６６】
金属製の熱伝導が高い素材の容器でも気軽に手で掴んで飲める。ゴムやコルクや衝撃吸収用のビニールに沢山の数の円を溶着と圧着して表面は円柱状に空気を入れて膨らませて裏面は平らな構造を有する梱包材（お菓子や電気製品の梱包に使われ暇潰しにプチプチ潰す事からプチプチシートとも言う）を平らな面に印刷する事で缶に印刷する効果と同じにして接着や粘着させたり発砲スチロール（スチレンペーパー）の硬さを利用して嵌合させたり嵌着させて持着させて固定できたら発砲スチロール事前に印刷したり文字やマークを立体的に成形しておく事も可能である。これはゴムやコルクや樹脂にも行える。缶入り飲料や缶詰やレトルトパウチ食品を熱湯から取り出したり加熱したまま飲んだりする為に発泡スチーロールや発泡インクや発泡ゴムインクを使って断熱効果によって熱い状態を改善する。
【０１６７】
樹脂の場合は飲料と容器の外側で手で持つ部分に空気を入れて断熱部分を作る。容器内部に作る場合はペットボトルの缶胴に該当する部分を二重構造にして構造内部は膨張しない様に多角形か円形の対流防止構造にした空気の層を作る事で空気の層の部分が断熱効果を有する事でホット飲料の入った容器を素手で持っても厚くない構造を有するペットボトルにする。ガラスのコップに入ったホットレモネードのグラスをはめ込む持ち手の付いた金属製グラスホルダーの役割を使い捨てにされる缶詰や缶入り飲料やペットボトルやアルミボトル製飲料にリサイクル容易なように加える。紙コップにコーヒーを注いでダンボール紙をカップに巻いて持つ時に手が熱くないカップホルダーの代用品ではお湯で加熱する事の多い缶飲料では紙製のダンボール紙では使い物にならない。特に保存可能の飲料には保存の温度変化によって大気中の飽和水蒸気により濡れる事もある。樹脂製のダンボール紙構造の場合は使用可能である。発泡スチロールは、ポリエチレンというプラスチック樹脂をブタンなどの発泡剤ガスを用いて膨張させた物である。発泡スチロールは大きく分けて、魚箱や緩衝材に使われるビーズ法発泡スチロールと食品トレイに使われる「ポリスチレンペーパー（発泡トレイ）」と断熱建材に使われる「押し出しボート」に分類される。発泡スチロールは気体を含んでおり体積が増している為、熱や溶剤で溶かして体積を減らします。中には微粉砕する事もあります。発泡スチロールの溶剤にはオレンジ廃物利用として柑橘系果実の皮に含まれるレモネンが使われます。リモネンと発泡スチロールの混合液を分離して再利用処理して再生ペレットからポリスチレンとなり発泡スチロールとして加工される。
【０１６８】
缶詰とレトルトパウチ食品の中身が同じであればゴミとして捨てやすいのはレトルトパウチ食品となる。牛乳やジュースなど飲料も同様である。紙パックにも種類がある。牛乳パックは紙に薄くポリエチレンをコートとしてる。ジュースは紙に樹脂製フィルムをコートしている。お酒のパックは紙にアルミニウムフィルムを貼り樹脂でコートしている。液体の浸透力と保存期間で紙パックは容器の強度を変えているが燃えるゴミに出せる利点は大きい。分別が必要だが再資源可能なゴミは、焼却可能なゴミより収集回数が２分の１から３分の１しかない為であるが資源ゴミの収集回数を増やすと再資源化のコストが跳ね上がる。リサイクルの為のコストや環境負荷で輸送の為に走り回るトラックが出す排気ガスが大気汚染を引き起こすなら本末転倒である。空気清浄機の維持コストは高く安全な空気の維持は水よりコストが高いのが都市部の実体である。
【０１６９】
レトルト食品の場合は、アルミ箔入り容器の場合は外気側にポリエステルやナイロンのフィルムを使い間にアルミ箔やアルミシートをポリエチレンかポリプロピレンで挟む。内容物（加工食品）に触れるのはポリエチレンかポリプロピレン部分となる。ヒートシール方法で熱を加えた状態で圧着される。遮光タイプのレトルト食品は、更に厚紙の箱に入れることで袋にキズが付いてピンホールを防止している。小さい穴が開いて腐敗が起こる事を防止する目的である。透明タイプの場合は光と酸素を通すので短期間の保存しか出来ない。ただし中身が見えるので販売しやすいメリットがある。袋の材質は、内層がポリエチレンかポリプロピレンで外層がポリアミドが一般的である。さらに外層にポリエステルを貼合わせたものもある。ポリエステルの内側にガラス成分である酸化ケイ素の膜をつくる事で酸素の進入を２０分の１に減らし二酸化炭素の放出を４分の１に押さえる加工もできる。紫外線はＵＶコーティングすれば良い。プレスコートやビニール引きやＰＰフィルム貼りといったコーティング加工を行えば良い。アルミの蒸着加工と言う方法もある。ＵＶインクを塗装したり全面に印刷しても紫外線の防止は可能でありインクの種類も沢山ある。用途に応じて加工すれば良いがコストを考えると透明タイプに紫外線防止加工するよりアルミ箔入り容器を使用する方がコストは押さえられる。但し湯せん（ボイル）による加熱でなく電子レンジでの加熱を目的にすると透明容器にアルミなどの金属を蒸着させたり金属を含むインクを使用する事も出来ない。厚手のポリプロピレンやポリカーボネイトの袋と言うよりトレイに入った電子レンジ化のレトルト食品が必要になる。これでも冷凍保存が必要な物もある。
【０１７０】
お総菜用の食品用トレイを発泡スチロールでも生分解性を有する樹脂にする方法もある。生分解性プラスチック（Ｂｉｏｄｅｇｒａｄａｂｌｅ ｐｌａｓｓｔｉｃｓ）の種類は、（１）微生物産生型（例＝ＰＨＢおよびその誘導体）（２）天然高分子型（例＝酢酸セルロース、ニトロセルロース）（３）合成高分子型（例＝ポリエステル・ナイロン共重合体）（４）天然合成高分子複合型（例＝アミロース・ポリエステル共重合体）と生物崩壊性プラスチック（Ｂｉｏｄｉｓｉｎｔｅｇｒａｂｌｅ ｐｌａｓｔｉｃｓ）（５）でん粉／ＰＥ  ブレンド体（６）脂肪族ポリエステル／汎用プラスチック  ブレンド体がある。じゃがいもを原料にした皿やトウモロコシを使った発泡スチロールもあるので食品に合わせて最適な物を選ぶ。資源ゴミに出す時にペットボトルの容器は蓋をしておけば部屋に置いておいても臭わないし飲料なので食品が中にこびりついていないので洗わないでも資源として分別して出せる。本当は洗わないとならないが手間をかけられる人は少ないと思われる。缶入り飲料も同様であるがプルオンタイプの蓋を開けると長く放置は出来ない。缶の中が乾燥して臭わない事が多いからリサイクル率が良いとも思える。
【０１７１】
食品の缶詰は臭いが強いので部屋に洗わないと置いておけないので捨てやすいレトルトや紙パックが便利である。保存を考慮しないで良い、お惣菜は紙パック入りもあれば昔ながらの木の薄皮に包んで新聞紙で包みビニール袋に入れるタイプも残っている。これだと食器を使う事にはなるが梱包は燃えるゴミとして出せる。これに比較すると家電の使用済みプラスチックや梱包用の発泡スチロールはリサイクルが容易である。但し食品に直接触れる食品トレイに使うのは安全性で疑問が残る。ＰＣＢは使われていないかハンダの鉛の影響は無いかなどである。安全性があれば缶入り飲料の持ち手の断熱部分に使える可能性もある。直接、口には触れないが湯せんでの加熱時に有害物質が溶け出さないかや温度変化による大気中の水分が飽和水蒸気となって容器を濡らした場合に影響が無いかと言う点である。
【０１７２】
本、発明では保温より手で持つ部分の断熱に使用する事が前提であり設置場所は容器の表面なので缶の内容物が例えオレンジでも影響は受けない。例え内容物がオレンジジュースであり加熱して飲料にするとしても熱でビタミンＣが減少する事と熱い状態が美味しいか疑問なのでお奨めでないが例として説明した。ビーズ法発泡スチロールよりスチレンペーパー（発泡トレイ）に加工された物の方が薄く丈夫で耐水性に優れているので本、発明を実施するにあたり適正である。
【０１７３】
ペットボトルの場合なら透明ポリエステルに空気を封じ込めた梱包材構造部分をボトル自体に作る方法もある。ボトルを作る時にブロー成形して作る時に金型に事前に内設した空気を封じ込めた断熱材を所定位置に敷設しておいてブロー成形時の圧力でブローされて風船みたいに膨らむ程に溶かされている樹脂に溶着させる方法である。この製法ならリサイクルも容易である。スチール缶に付ける断熱材の候補の一つである塩化ビニールで立体シールを作って貼る必要も無い。但しポリエステルの素材自体が金属と比較して熱伝導が低いから可能であり金属には適さない方法である。又、ペットボトルで加熱飲料を提供されてもハンカチやテイッシュでくるまないと持てない程に現状でも熱くない。ポリエステル表面の温度が外気で下がるから中の飲料との温度に差が出来るからである。
【０１７４】
ほ乳瓶の内部に温度により色が変わるサーモクロミズム機能を有する樹脂が付属している物も市販されている。但し６５度以上の高温で洗うと機能が低下する為に煮沸消毒は出来ないのが難点であるがほ乳瓶の外側と内側の温度差が出る為に内部の温度が外部より高い為に手でほ乳瓶の外側を持っても適温かどうか判断出来ず火傷の危険もあった事から付けられている機能である。
それほど内部の飲料と外部のボトルの温度は異なる点からもペットボトルも同様の状態となり手で持てない程にボトル表面は熱くならないがコストを抑えられれば機能を持ったデザインや商品のイメージ戦略に使える。
【０１７５】
インスタントラーメンの生タマゴが綺麗に収納されるポケットも機能がタマゴを美しく具材として乗せる事で盛りつけを美しくする点である。飲料もボトルや缶のデザインが食材の盛りつけに当たる部分でありブランデーやウイスキーなどの高価な酒の瓶はデザインに機能性に装飾性も取り入れられているが経済性の部分は化粧品の容器のようにコストをかけて上質な物を作っている。道具のデザインの場合は基本的に実用性・審美性・独創性・操作性・経済性・秩序性を重視する。発明の進歩性もこれらに裏付けされないと製品どころか図面にも出来ない。確実性がなければ購入者や利用者の期待を裏切る為に商品にも出来ない。
【０１７６】
安全性が無ければＰＬ法で責任を問われる。中には購入者や利用者以外の無関係な人に害をなす物もある。特に自動車に多く、社会が当たり前の様に容認している。交通事故は事故だから起こるのが当然で排気ガスも構造上出るのが当然という状態である。ＳＰＭ（浮遊上粒子物質）のＰＭ２，５はナノメートルの世界であり空気清浄機のヘパフィルターより小さい有様である。ウルパフィルターでやっと濾し取れる。東京土産にペットボトルにＳＰＭを入れて市販しているらしいが本、発明は飲料用容器としてのペットボトルの機能の発明である。商品を購入しないでも被害を受ける事もあり第３者は証拠となる商品も持っておらず危険への遭遇を選択した訳でも無いので逆に因果関係が立証出来ない状況になる。商品の基本は、安全性と確実性であり最低条件である。安定した素材で再生地金や樹脂のペレットを作ったりガラス瓶を再利用する事など環境への配慮やコヒーのフェアトレードなども考慮する必要がある。リサイクルマーク同様にフェアトレードによって取引されたコヒーの容器にはフェアトレードマークを付けると良い。周知させるにはマークと説明を付けると良い。マークは知っていても意味が正確に伝わっていない事も多い。ブランドを作るのと同様に消費者に知らせる努力が必要である。
【０１７７】
飲料は液体であり安定した容器が必要である。外部から有毒な物が混入しないように封かんをして開封したかどうか明確にする必要もある。容器の材料から有害物質が溶け出さない素材を選ぶ必要もある。賞味期間の保存状態が確認できるように温度の変化した回数に反応して色が変わるインクも実用化されたので金属製容器やラベルやレトルトパウチ食品の袋や容器や外箱の印刷に使用する事で温蔵庫で加熱されていたが冷蔵庫に移されて保管された物なのか常温保存により著しい温度変化の影響を受ける事なく保存されていた物なのかを見分ける事も可能となる示温インクを業務用にのみ使うのでなく家庭で保存する場合の一つ一つに付ける。示温インクが保存状態を記憶している状態で安心である。示温インクみたい物で感熱インクもありレシートやＦＡＸには感熱紙が使われている。
【０１７８】
熱により黒く変わるのは二層構造にした状態で色素をカプセルに封じ込めて熱によってカプセルが破れて無色染料と色を出すための顕色剤が解け合い発色する方式である。ノーカーボン紙の場合は筆圧でカプセルを潰して発色させる仕組みである。両面に印刷できる感熱紙やフルカラーの感熱紙も実用化されている。示温インクも、この原理に近いインクである。コンビニ弁当をレンジにで加熱すると値段の表示されている部分が黒くなるのは、この影響である。この機能を有するインクを容器や袋に加えるには感熱紙より低い温度で変色する物を使えば良い。温蔵庫は６５度なので低い温度で色を変えれば良い。示温インクは無機系・有機系の両方が市販されており温度別にマイナス４５度から２００度まで用途に応じて揃っている。
【０１７９】
有名な物で商品名ダイサーモとサーマルカラーＯＩ（不可逆性タイプ）とサーマルカラーＯＲ（可逆性タイプ）などがある。温度を測定するには古くは水銀温度計・アルコール温度計・磁気センサー・半導体サーミスター等を使った温度測定技術が日常生活にも工業技術として利用されている。示温インキは、温度の変化を色彩の変化で表す方法で正確な測定器具より精度は劣るがメンテナンスしないで良く色温度計は壊れず値段は安く温度計の機能を加える事ができる。インキを塗るだけで良いのだから印刷インキとして使うだけで機能を加えられる。初期の頃はテルモカラーというヨウ化銀塩を使用した物だった。戦後は塗料用展色材の開発で品質も向上し耐久性のある示温塗料としてサーモペイントとして市販され現在に至っている。
【０１８０】
１９６０年代から液晶が海外から導入されて、その中で温度変化する液晶のコレステリック化合物として普及して色温度計と呼ばれている。現在では、天然物、化学合成物とも国産が多く利用されている。１９６０年頃から感圧色素として利用されていたロイコ体染料を感熱記録材料に利用する開発も行われ、この素材に温度的に制御可能な第三物質を添加する事により、好みの温度で変色させられる示温インクが開発されて応用範囲も広くなった。これらの示温インキは、温度の昇降により変色する事から環境条件が暖かい、寒い、熱い、冷たいを色の変化で表現する事で応用される事が多い。
【０１８１】
示温インキの種類は大きく分けて不可逆性タイプという温度の昇降により変色したら、再び温度の昇降があっても変色することが無いタイプがあり食品の保存されていた環境が温度変化のあった状態であればインキの色が変化したまま表示されるので一度、加熱されたのかや冷凍されたのか温度に合わせたインキを使って印刷すれば食品の管理ができる。レトルトパウチ食品とその箱やパッケージに使える。可逆性タイプは温度の昇降により何度でも変色と復色が行われるので色温度計としてメンテナンスしないで使える。スプーンやレンゲやサジや吸い飲みに印刷して適温を色で見る事ができる。樹脂に混入や混練や混合させる塗着以外の方法もある。加熱用飲料の容器の破裂防止に８５度で示温インクの色を変えて余熱で中の飲料に熱が伝わる時間を常温２５度と冷蔵１０度から加熱した場合の時間を表示してあると便利である。沸騰させるお湯の量も関係するし一度に入れる本数で影響が出るが目安は無いより有った方が良い。
【０１８２】
示温度インクの変色機能は多種多様である。（１）固相間反応（２）熱分解（３）結晶移転（４）ＰＨ変化（５）結晶構造の変化（６）電子の授受（７）結晶水の脱水・吸水などがある。示温インキの不可逆タイプには無機系として金属塩類ＮｉＣＯ３＋ＣｂＳとＣＯＳｉＦ６、ＣｂＣｏ３（３と６は小さい化学記号の小さい数字）有機系として感熱記録方式はロイコ染料、フェノール、化合物の分散体がある。温度−時間の函数タイプにも無機系と有機系がある。準可逆性タイプＣＯＣｉ２（化学記号で２は小さい数字）、２Ｃ６Ｈ１２Ｎ４（化学記号で２Ｃの後の１・２・４は小さい数字）、１ＯＨ２Ｏ（化学記号で２は小さい数字）可逆性タイプも無機系−金属錯塩類Ａｇ２Ｈｇｌ４（化学記号で２と４は小さい数字）Ｃｕ２Ｈｇｌ４（化学記号で２と４は小さい数字）Ｈｇｌ２（化学記号で２は小さい数字）と有機系には縮合芳香環置換＝スピロピラン類、エチレン誘導体はアントロンがある。液晶はコレステリック液晶がある。サーマルカラーはロイコ染色体、酸性物質（顕色材）、溶剤（高級アルコール）（高級脂肪酸エステル）（りん酸エステル）の種類がある。機能性インクにはフォトロジック機能を有する感光材料として使用されている物が多いが光による反応を空気に触れる事で酸化すると色が変化する顔料を使ったインクを印刷する事で賞味期限や消費期限を過ぎるとパッケージや容器に印刷したインクの色が変化して食べられるか捨てるかの判断の目安にする方法もある。
【０１８３】
最近の表現では、チップに機能性インクを閉じこめたと言うがチップとカプセルは同じ構造である。シリコンに対して樹脂製チップならクリンルームで繊細な素材や危険な化学物質を使う率を減らせる。プラスチック・チップであれば素材表面に印刷するだけで良くコンピューターのＣＰＵに使うシリコンチップをプラスチックに変える事も技術的に可能である。機能性インキを例にするとニスタイプ香料インクとカブセルタイプ香料インクがある。
【０１８４】
示温インクでの印刷や色温度計を熱い状態で提供されるみそ汁やスープやお茶などを、すすって飲めない人の介助で機能を果たせる。熱い飲み物を飲む場合は、すすって飲む事で空気と熱い液体を混合させて液体の温度を下げる事で火傷しない。外国のスープの適温と日本の汁の適温は異なる。金属製のスプーンを使う外国ではスプーンが熱くなるので日本のスープには適さない。日本の場合は木製の匙や陶磁器のレンゲを使用するのでレンゲや匙に熱い汁が入っていても、すすって飲む事ができる。同じ用途の道具でも素材が異なると口に流し込んでも火傷しないスープのマナーは音を立てない文化となり日本は木製の匙とお椀と瀬戸物の文化なので音を立てても飲みながら冷ますと言う根拠があるので作法に反しない。
【０１８５】
自分で匙を持てる状態ならスープや汁の温度をスプーンや匙の上で調節して口に運べるが出来なくなると適温で無い状態で口に食べ物や飲み物が運ばれる。丁度、ほ乳瓶の内部に使用されている温度に反応して色が変わる樹脂でスプーンやレンゲや匙を作って安全な温度か確認して食べさせる必要も出てくる。特に自分で匙を持てない程なら呼吸にも影響が出て、レンゲや匙に熱い汁が入っていても、すすって飲む事で空気と熱い液体を混合させて液体の温度を下げる事が出来ない。いきなり口に流し込まれたら火傷をしないで済んでも拷問状態である。
【０１８６】
好きな食事は美味しい物から熱くて辛い物へと変わる。匙を持つ方は赤ちゃんのほ乳瓶に色温度計が内設されていなくても自分の口で温度を確認して与えたが病人や高齢者の介護では肉親や配偶者でも自分の口で温度を確認しない。その為、食事がスムーズに行えず匙を投げたくなる
状態が続いている。ほ乳瓶に色温度計は付いているが匙にもスプーンにもレンゲにも色温度計の機能を付けた物は存在しない。実用新案登録第３１０５１８０号を考案し実用新案技術評価請求を行い評価通知を受け取り確認しているから先願があれば検索されている筈である。そこでコレステリック型液晶構造を色温度計のフィルム状から樹脂状にするには練り込むように中に取り入れるかマイクロカプセルに入れたインクを使ってプリントすれば色温度計が出来る。
【０１８７】
ほ乳瓶用のポリプロピレン性の空気孔に使用されている色の変わるヒートセンサーをポリプロピレン樹脂に入れた物も市販されている。ＵＳＡのＰＡＴ＃５．５７０７９６＃５．７７９．０７１の構造のほ乳瓶に使われている。温度が３８度位まで色がパープルで熱すぎる位だとピンクに変わる。ポリプロピレンの樹脂表面近くに機能性顔料を練り込んでも良い。
【０１８８】
これを育児用から介護用品の材料として色温度計の機能を有する匙・レンゲ・スプーンと吸い飲みを発明した。当然、みそ汁を入れるお椀にも同様の機能を付ける。熱に反応して色が変化する樹脂で作られた匙・レンゲ・スプーンと飲み物を入れる容器の内部に熱に反応して色が変化する樹脂を使い透明容器で内部の樹脂の色が確認できる吸い飲みである。他にもフィルム状やテープ状の温度変化により色が変わる素材もあるので全体に使用しないでスプーンや匙やレンゲのスープや汁に触れる部分に接着や溶着や粘着させて使用する。又は嵌着や嵌装させたりして固定して使用可能にする。インクであればスープや汁に触れるスプーンやレンゲや匙の凹側に塗着や塗布や塗装しても良い。吸い飲みもスープや汁に触れる部分であり外から見える部分に塗着しても良い。
【０１８９】
この場合の器具は自分の口に運ぶ為でなく、運んで貰う為の物なので自助具では無いので介助者が使いやすい形状とする。自助具の箸やスプーンが使える間は自分の好みのタイミングで口に運べるので色温度計は無くても良い。杖は自助用で自走式車椅子も自助具であるし電動車椅子でも自分で操作出来れば自助具である。車椅子を押してもらう程なら介助用車椅子となり自助具と異なる。自助出来る部分と介助必要な部分を明確に捉える事が大切である。この発明により身体機能の低下による飲料やスープの適温の変化に対応する。
【０１９０】
食事介助される人の場合は、歯や歯茎が弱って熱い物と同時に冷たい物が滲みる状態である事も考慮しないといけない。通常の場合、水は１０度が適温で冷蔵庫の温度も１０度以下である。虫歯があれば冷蔵庫で冷やした水でも歯に滲みる。これらの好みを意志を伝達できる状態なら良いが会話が出来ない状態なら表情を観察するしか方法が無かった。色温度計を付ける事で温度が表示されたり目安の色によって人肌の温度で提供する事が出来れば安全である。咀嚼機能が衰えても液体で口から流し込む事で適温となる温度で飲料や流動食を提供できる。口から栄養が取れるうちは、口から取る事が出来る。
【０１９１】
キッチンタイマーに印字機能を付けて食品を冷蔵庫に入れた日をラベルに印字して食品に張り付けて管理する。賞味期限や消費期限や製造年月日の表示されていない食材を入れたビニール袋やラップや容器に張り付ける事で何日保存していたか明確にできる。キッチンタイマーに時計機能が付いていれば、それだけでも便利である。出来る人間は時間に正確である。時計は正確な方が良い。
【０１９２】
時計は時間合わせ不要の電波時計にして電池を入れると使えるようにすれば初期設定の手もを省略できる。
【０１９３】
時計の００：００の「：」の部分を点滅させるサブマリン特許の期間は秒を表示してクレームを避ける事で電池の有無を確認するか白色ダイオードをバックライトにしてバックライトボタンを押して光ると電池の残量を確認する方法も取られるだろう。ラベル用シールは取り替えやすい構造にするなど操作は極力、容易にする。デザイン的にバランスが良ければ点滅特許の実施を交渉して決めれば良い。クレームを避けるだけが発明ではない。別の発明を組み合わせて活用する事も大切である。蒸気機関車にピストンが特許権の関係で使えないので遊星歯車を使用するみたいに不便にならない事が理想的である。
【０１９４】
食品の保存の為の道具では無かった。しかし冷蔵庫に付けて使う事が多く冷蔵庫の食品保存と調理時間を知らせるだけの機能のキッチンタイマーに時計機能と印字機能を加えて食品の保存や保存食でツイスト・オフ・キャップびんやサイドシール・キャップびんに入った海苔の佃煮やなめたけや鮭フレークや塩からやピクルスなどの開封日の表示にマジックペンで日時を書かなくても本、発明の機能を有するタイマーのシールをビンに貼る事で開封したまま冷蔵庫に忘れて食べられなくなっている事を減らす。冷蔵庫の入庫日の年月日や時間とビン入り保存食の開封日時の印字の色で識別したり入庫と開封と印字するなどで識別できると便利である。ラベルの大きさは値札大でも良いしキッチンタイマーの大きさと重さは現在、市販されている物と同じに出来ると違和感が無く使える。印字機能付きキッチンタイマーが大きくならない程度の大きさのラベルで高齢者が見える大きさで印字できると良い。ガラス瓶の蓋はスポンジやゴムで滑らなくして開け閉めするか蓋を開ける器具が市販されているので使いやすい物を容易しておけば良い。
【０１９５】
乾燥している食品にもレトルトパウチ食品の技術が使われている。レトルトパウチ食品は内容物だけを袋状の容器に真空状態に封じ込めて酸化防止するがスナック菓子の場合は、袋に入っている空気も衝撃緩和に使用する為に酸化しないように窒素を充填して容器を膨らませている。高水分食品用（生もちや生麺など）と低水分食品（ナッツや米菓子）の中には酸化防止剤（鉄分とアスコルビ酸とカテコール）を入れている煎餅などの食品もある。この技術を一般の家庭で食品で酸化させない事で保存期間が長く出来る物に応用する。ビニールに入れた餅に使用するとカビの防止になる。餅を水に浸してカビと酸化を防止する保存法もあるが水と食品自体に酸素を含んでいる為、保存期間が若干伸びる程度である。真空パックなら空気に触れず食品自体が含む酸素による腐食だけとなり保存期間が伸びる。食品自体が持つ酸素もパック内で酸化防止剤を入れると減少させられるので保存期間を延ばせる。食品自体は加熱殺菌して空気に触れないようにすれば長期保存が可能となる。そこで家庭でも窒素を使えれば窒素で膨らませたビニールなどの袋を絞る感じでエアを抜きながら縛ったりゴムで結んだり。電気のコードを結線して束ねる針金の入った平たいビニールをネジって止めれば良い。食パンのプラスチックの四角い留め具でも良い。
【０１９６】
食品を入れた袋の酸素濃度が下がり酸化と細菌の呼吸を止める事で常温保存の効く食品には更に保存期間を延ばす事が出来て特に便利である。但し食品内部にも酸素を持っているので日持ちが良くなる程度である。食品の保存の為に家庭用の注射器状の構造の真空ポンプを使って空気を抜く事で酸化を防止する方法もあるが器具を使って空気を抜くにも限度がある。特にポテトチップを例として、これに使用すると食品の形状が保てず割れてしまう。そこで形状を保てる程度に空気を抜いて窒素を充填して袋を閉じる時に充填して膨らんだ窒素を抜くことで酸素濃度を下げる方法が家庭で手軽に出来る窒素缶を発明した。簡易式の消火器にも使用可能である。
【０１９７】
スナック菓子には、最初から窒素が充填されているが開封するとヌケてしまう。洗濯バサミやクリップで封をする前に窒素スプレーで充填すると開封前に近い状態で保存できる。そのまま洗濯バサミで封をするより長持ちする。同様の理論から酸化防止剤を同封して梱包している食品に使用すると保存期間が伸ばせる。食品に限らず酸化により劣化するプリントした写真や現像した後のフィルムにも使用可能である。本や書類などの気密性容器やビニール袋に入れる時に酸素濃度を下げる事で効果がでる。窒素ガスの場合は、酸素と違い燃えないので通常のスプレー缶より安全である。中身の入った缶を熱すると破裂するのは他と同じだが火に向けて吹きかけても燃え上がらない。
【０１９８】
缶入り酸素や酸素とヘリウムを混ぜて声を変えるパーティーグッズが市販されている。その従来技術を食品保存用の窒素スプレーに置き換えた。実用新案公開平５−３９６３４の携帯簡易空気分離器では、普及にコストが高くなる。スプレー缶方式なら片手で噴出口を押して窒素充填できるのでビニール袋を一人で密閉できる。分離器はポンプ式なので一人で密封出来ない。一人がポンプを動かして窒素を作り同時に、もう一人が食品に窒素を入れて密閉する必要がある。二人かがりの作業になるので単身者は使えず不便である。コンプレッサーで窒素缶に充填してもらって使うだけのほうが手軽である。バケツに水を一人で入れようとするとホースが水圧でバケツから出る事がある。保持具をバケツに付けてホースを固定すれば済む問題
である。食品容器に窒素を充填する時に一人で行えるように延長用チューブと保持具も発明した。
【０１９９】
充填の値段は安く抑えられる。その為、実用新案公開平５−３９６３４の分離技術を使用して電力で空気を送り分離した窒素の充填と空気の吸引が出来る装置を発明した。冷蔵庫や電子レンジや食器洗い器のように食品の鮮度を保つ機械として普及させたい。同時に冷蔵庫の内部に窒素を充填させて空気を抜く事で食品の酸化を防止する冷蔵庫も発明した。冷蔵庫を真空にするとドアが開けられなくなるので酸素を含む空気と窒素を入れ替えて室内の気圧と冷蔵庫内部の気圧を同じにする事でドアの開閉を容易にする。
【０２００】
市販のスナック菓子には、保存期間を長くする為に窒素を充填する技術が使われている。実用新案登録第３０９０６７６号の合単位米パックも家庭で安い米をビニール袋に入れる事で転用可能である。家庭で主婦が小分けにして家族で食べる為に保存するので販売目的ではない。業として行わないので特許権などの権利侵害に該当しないしミシン目の入った専用の袋を使う事もない。元々、食品が入っていたビニールを密封するとして輪ゴムを捲回して閉じたり紐や結線用の細い針金を内設しているビニールで捲回して閉じる方法もある。
【０２０１】
袋によっては開封後もビニールファスナーで容器を、こうし（金へんに交わると書き止・チャックで物体を止める）出来る構造の袋も使われている事がある。家庭用食品保存用パックと溶着や圧着する器具も市販されている。スナック菓子にしても窒素充填や酸化防止剤を使用して酸化を防いでいる食品は開封すると同時に酸化がはじまってしまう。開封後はスグに食べなければならない。食べきれず残した食べ物を棄てるには精神的にもったいないと言う意識が働いて棄てられない人も多い。無理して食べて肥満になると棄てるよりコストがかかると知っていても吹っ切れない。食べたい量だけ食べて残りを保存すると酸化に限らず湿度も加わり傷んでしまう事が多かった。湿度についてはシリカゲルなどの乾燥剤を入れればシケってしまう事も防止出来る。
【０２０２】
本や書類ですら長年、空気にさらすと酸化してしまう。中性紙の表面の色が変色するのはこの為である。米に虫がわく環境ならビニール袋に米を小分けにして窒素充填して虫が混入しても窒息死させられる。米の酸化も防止できる。米用の低温保冷庫に入れる必要が無く電気代も節約できる。酸化（オゾン）によって傷む紙や写真にも窒素充填による保存は便利である。但し、紫外線によって色彩が劣化するので写真の額縁に充填するにはＵＶコートされたガラスを使用している市販品が良い。ミュージアムガラスなら光の反射を防止して額の中も良く見える。額縁の場合は、メガネのコーティング技術を使ったガラスを使用する事で紫外線による色の劣化を防止する。印刷物はイエロー（黄）・シアン（青）・マゼンタ（赤）の原色からなりブラック（黒）で文字とコントラストとしている。印刷物で気に入ったポスターを日当たりの良い場所に額に入れて飾るとまずイエローが退色し次にマゼンタが退色する。街頭で見かける青っぽいポスターは、この現象による。その事から美術品を入れる額のガラスは紫外線防止する。
【０２０３】
昔は写真の時にレンズやガラスのコーティングの技術が無くメガネのレンズの反射で写した写真が台無しになった。額縁のガラスは、写真のストロボの反射も紫外線同様に抑える現在のメガネレンズのコーティング加工がされると見やすく保存性も高まるミュージアムガラスとして実用化されている。
【０２０４】
この状態に窒素を充填すれば絵や写真とガラスが密着を防止する額の中に入れるトリミング効果もある厚紙のマット部分（額縁の絵とガラスの間に入れてガラスと絵の圧着を防止する）の空間に残った酸素を除去し窒素に取り替えられる。酸素がなければ紙を虫に喰われない。虫食いの古文書化の防止になる。気密性の高い衣装箱にも窒素充填して無臭でしかも無毒で酸化と虫食いやカビの繁殖を防止できる。但し湿度は窒素充填では取り除けないので衣料用乾燥剤を入れると安心である。
【０２０５】
美術館や図書館より保存が難しい博物館の金属の出土品を保存する場合に温度２０度で湿度５５％に保つ事で金属を乾燥させすぎて崩さないように１０％の水分が内部に残る状態で保存している。現在は酸化による腐食を防止する為の窒素充填は、行われていない。展示ケースや保存容器内の酸素濃度を０％に近づけると錆の防止が出来る。液体や食品や物体自体が酸素を含んでいるので０％にはできないが近づける事は可能である。
【０２０６】
家庭用のムースの缶やプッシュ式シャンプーの形状をベースにしたボンベに窒素を充填する。後は、開封した食べかけのスナック菓子や酸化させたら傷む食品をビニール袋に入れて窒素ガスを充填する。酸化すると傷む本（印刷物）や写真に書類なども同様である。スナック菓子の食べる量を保存が出来るようになるとセルフコントロールできる。ダイエットが容易になる。窒素の使用コストと食品の値段のバランスが難しいが
食べ物を大切に出来たと言う精神的満足度も考慮できる。
【０２０７】
保存期間を長くする事で食品の無駄が減る。食品が傷みずらいので何もしないよりは風味を損なわない。菓子によっては酸化防止剤や乾燥剤が入っているので開封後に即、窒素充填する事で効果は高くなる。通常の保管方法で酸化して傷む物は、気密性の高いビニール袋や容器に入れると長く保管しても傷まない。使いやすい大きさと機能のスプレー缶に入れて市販する。食品の中には汁を含む物もあるので窒素充填口は容易に洗えるかフレキシブルストロー状のディスポーザーを容易のアタッチメントにすると便利かつ衛生的になる。効果はスナック菓子の実施例もあり一般にかなり周知している。
【０２０８】
スプレー缶や小型ボンベで窒素を充填しやすい形状の食品保存用の袋や気密性容器があれば最良だが、有り合わせのビニール袋でも十分に活かす事ができる。気密性の高い容器の場合エア抜きで真空に近くして保存するタイプに窒素を充填すると酸素濃度が下がりより長持ちする。袋も出来るだけ空気を抜いて窒素充填して少ない窒素使用量で酸素濃度を下げて食品を長持ちさせる。空気中の酸素濃度が約２１％なら窒素濃度は約７８パーセントである。残り１％に一酸化炭素や水素などが混ざっている。成人一人あたり１万リットルの空気を一日に吸い込む。
【０２０９】
スプレー缶は、使い捨てでなくリターナブル可能と言うより水筒みたいに何回も補給充填して使う。ボンベの小さい物みたい感じで充填式ガスライターの巨大な感じのイメージもので空になったら窒素だけ充填して使えば使いきったヘアスプレー缶みたいにゴミにならない。リピーターを確保するため顧客と店舗のインタラクティブ商法としてスーパーの店頭に「浄水スタンド」を設置し顧客は水の専用容器を買ってアルカリイオン水・マイナスイオン水・ピュアウオーターを顧客に無料提供して来店回数を増やす努力をしているが、このサービスは、すでに一般化したので新しいジャンルとして「窒素充填サービス」を行う。有料か無料化は普及度や顧客来店回数でバランスを取れば良い。現在は、業務用や医療用としてすでに大きな壺みたいボンベで実施されている。これを子供でも片手で持てる大きさと重さにして家庭で手軽に使えるようにしたのが本、発明の新規性である。
【０２１０】
現在は家庭での窒素充填の実施例はない。類似したサービスを探したら家電量販店の自転車置き場に自転車用の空気入れが固定されて設置されており自由にタイヤに空気を入れられるサービスをしている所があったが食品保存や窒素には関係ない。
【０２１１】
家庭で食品の保存期間を伸ばすには冷蔵庫に入れると言う大規模な設備が必要だったが本発明で、食品の酸化防止を手軽に行えるスプレー缶なのでヘアスプレーより中身が窒素なので安い価格で市販可能である。食品保存と無害の防虫効果も期待できる。一般に普及して家庭での食品の保存期間が延びれば飢餓の問題も改善方向に向かう。電気冷蔵庫が使えない状態での食品保存方法は、（１）塩蔵（２）糖蔵（３）酸蔵（４）燻煙によって酸化や腐敗を防ぐ方法での常温保存法に加えてより保存期間を延ばす。
【０２１２】
本、発明の手動ポンプ式窒素充填の器具とペットボトル用の蓋を改造したジョイントやアタッチメントと繰り返し使えるスプレー缶については、ＷＴＯの「国家的緊急事態には命にかかわる薬についてはパテントを無視して良い。」のルール適用に準じて、貧困と飢餓が起こっている国で軍事予算より国民の社会保障を中心に予算を組んでいる国や武力を持たない国のみ本、発明者の名前と技術思想を尊重すれば実施料を免除する。湿度が高く食品の傷みやすい地域や虫が発生しやすい地域での需要が期待できる。電気の無い地域では、冷蔵庫は役にたたない。実用新案公開平５−３９６３４の携帯用簡易空気分離器が安値で提供されれば、いったん窒素を気密性の袋や容器に通常気圧で溜めてから自転車の空気入れの構造のポンプの吸い込み口から窒素の入った袋から窒素だけを充填することで高気圧でスプレー缶に保存する。
【０２１３】
窒素缶は家庭用バケツだと思ってほしい。バケツで水を入れて家に持ち帰ると重く辛い。本、発明は片手で使う事を前提にした軽いスプレー缶である。この方法なら難民キャンプでの食品保存に役立つ。スプレー缶の普及が困難な程の貧困地域へは、清涼飲料のペットボトルに窒素充填して使える窒素充填に使える太さと長さの筒状の形状を窒素充填口と蜂蜜やメイプルシロップの容器のフタみたいな細くて長い筒状の注入口の構造を持ったボトルキャップを提供する。ペットボトルに窒素を充填する場合は軽く潰してから窒素充填して又ペットボトルを軽く潰して酸素を抜いて濃度を下げて窒素を充填することで窒素濃度を上げないと効果が弱まる。その点も考慮してビニール袋に取り付けられる構造にも窒素充填口のキャップを対応させた。
【０２１４】
この場合は、ビニール袋から空気は、ほぼ全部出せるので窒素充填が一度で済む。スーパーマーケットが行っている「浄水スタンド」のサービスは専用容器を使う為に冷蔵庫で冷やすにはペットボトルに移す手間が必要である。そこでペットボトルのキャップを使い上のペットボトルの底に穴をあけてエア抜きパイプを備えた「じょうご」を発明した。上のボトルに入れた水が砂時計のように落ちる。これなら水汲みが楽になる。この発明は水道や安全な井戸といったインフラが整えられていない地域でのペットボトルを利用した浄水器としても使用可能である。水の供給が無く濁った川の水か泥水しか無い状況になれば簡易式の濾過装置として使用する事で不純物を取り除きく事が出来るようにも使える。海水の場合は設備が必要となり本、発明では無理であるが既存の装置がある。蒸発法と電気透析法と逆浸透法で淡水化できる。逆浸透法の原始的な方法は半透膜である牛の膀胱膜に食塩水を入れて水に浸しておけば浸透圧で塩水の容積が増えるが浸透圧以上の圧力をかけると塩分を食塩水に残して水が増える。真水だけ通して塩水を通さない薄膜を使った装置も実用化されている。浄水・整水・活水で意味は違う。整水はミネラルなどを加えてバランス良い水にする事であり活水はイオン効果などを加える事である。浄水は不純物を取り除き飲める水にする事として必要である。
【０２１５】
浄水の方法は、基本的には最初に小石を入れて次ぎに木炭をいれる。その上に砂利を入れて上に枯れ葉を乗せた地層の断層面状の濾過装置を作るが小石の下に綿のシャツかタオル地を敷いた方が良いと思う。濾過した水は沈でんさせて上澄みをナベか代用になる缶に入れて加熱して細菌を殺して冷ましたら飲める。但し、科学物質などの影響で酸性やアルカリ性になっていたり有害物質は残るので注意する。浄水用のカートリッジを作って中空糸や活性炭入りカートリッジを提供出来るのが理想だがコスト的に高くなる。中空糸によっては細菌も濾過する。手軽に浄水する方法をキヤップにマニュアルとして添えると啓蒙にもなる。壊れたハードディスクに入っている磁石をジョイントに向かい合わせに磁極を合わせて固定すると活水にする事もできる。濾過するペットボトルのジョイントにも空気抜き構造の付いたボトルキヤップと同じ溝のジョイントを発明した。二つのペットボトルを接続して砂時計状となる中心の細くなった部分にあたる箇所にジョイントとして使用する。
【０２１６】
給水車による水の供給が受けられる時は、便利な「じょうご」になる。上のペットボトルに一気に水を入れてもらったら受け側にボトルに水が落ちるまでの間に次の人が給水を受ければ水を手にした人が列から外れるので効率的な作業が出来る。一度に運べるのは一人４本で一本２リットルで８リットルとして８ｋｇだろう。なんとか１日分の飲料水と調理用の水にはなる。文房具として書類や美術品に写真の保存にも使える。家庭用品として衣類の無毒の防虫剤としても利用できる。食品保存用なら家庭での大量消費が期待できる。
【０２１７】
文房具では使用量と使用機会も少なく個人所有の文化財の保存状態の向上になる。家庭用の衣類の場合も、呼吸させないと劣化する毛皮・革・ウールがあるので定期的に風通しを良くする方が良い。通常は機密性容器に窒素充填して入れて虫喰いを防止と酸化防止状態で保存する。湿度を取る薬剤も同梱する。都心の大気汚染地域の場合は汚れた空気や浮遊状粒子物質による汚れを守る事ができる。掃除機の布団に利用されている真空パック保存は収納スペース拡大にはなるが型崩れや湿度の事は念頭に置かれていない。繊維製品の中にはポテトチップを保存するみたいにデリケートに扱うべき高額高級品や文化的価値のある着物まで色々ある。大気汚染による呼吸器疾患で医療用の酸素濃縮器の需要は増加している。ドラム吸着型が主流である。この器械の排気口から出る酸素を分離した窒素を酸化防止用窒素として使用する事ができる形状を有する酸素濃縮器兼窒素充填装置も発明した。空気取り入れ口から屋内の空気を吸い込み内部で酸素を電気的にドラムに吸着させて取り出す構造であり分離後の空気は酸素を除いて室内を循環する。この窒素を排気口にチューブを付けて窒素充填可能にした。水と空気と安全で空気が一番高いので窒素もムダにしない。人類の生存に必要最低限の生き延びる為の水から食品の保存により飢餓の改善と飲料の適温で安全に飲む事を中心に「文化・芸術」の伝承や継承の為に適切な保存方法と展示方法と提供方法及び容器と各種道具や器具を本、発明で提供する。保存食や飲料も２１世紀には皿に盛りつけないで販売用トレイのまま食べて飲料はガラスのコップやグラスを使わず熱い飲料も陶磁器のカップを使わず宇宙食みたいゼリーの入った袋や缶やボトルに直接、口を付けて飲むのも生活様式の変化による新しい文化として受け入れる時代である。デザートは容器に盛りつけられていて容器から皿に移して食べることなどは想定しないデザインである。そのまま食べる事を前提に容器のデザインに力を入れている。マナーや倫理観は社会システムに影響される。保存すべき作品は適切に保存して後世に残し時代が望む物は適量を適価で優れたテクノロジーを駆使して提供する。
【発明の効果】
【０２１８】
各種の保存可能な飲料と食品を最適な温度と清潔な状態で快適に摂取する事た容器と器具を提供する。
加熱して飲む飲料用はスチール缶の手に持つ部分に断熱素材を取り付けたり保持具を使用して熱くない状態にした。また、湯せん用の取り出し用器具により缶入り飲料に缶詰にレトルト食品の加熱を容易にした。これで皿を汚す事を激減させて水道水の節約にもなる。容器は使用後のゴミの分別も想定して現在のリサイクル設備の使用を可能にして設備投資を抑えている。実施にあたり従来の自動販売機などの資産を活かし設備投資を抑える。デザインも、あまり変えず今まで宣伝に費やしたイメージも守ると同時に愛用者の混乱を防止する。一見、いつもと同じデザインと銘柄の飲料を消費者に購入してもらい目立った変化は無いのに持ちやすい構造になっていて手が熱くて味より缶を持つのに気を取られず本来の美味しさを堪能できて飲みやすかったと言う印象を感じてもらいリピーターを商品の愛好者になってもらう事がロングライフ商品の長期的ピジョンには大切である。過去に費やした広告費とブランドイメージを無駄にしない。
【０２１９】
人間の欲求の第一は、苦痛を避ける事である。娯楽や快楽より生命維持を優先させる行動をとる。提供する飲料が如何に美味しい物であっても人間の生存本能が持つ苦痛を避ける行動様式から考えると熱いと火傷するから手に持ちたくない暖かい状態と言うアメニティー（快適さ）を求める部分を満足させる。熱いと手を引っ込めるのが人間である。火傷から学ぶのが人間である。食品の入った缶詰をレトルト食品と同様の方法で湯せん、つよりボイルして加熱しても取り出すのに便利な器具が無いので破裂防止に缶を開封してからお湯の入った鍋で煮て温めると鍋の熱湯だけ捨てて開封された缶を取り出せずタオルなどの布で缶だけ掴む前に熱湯に入ってしまうので大変である。これについては本、発明の器具を使う事で解決した。レトルトパウチ食品自体も熱湯から取り出して皿に盛りつける時に袋が熱くて内容物を完全に絞り出せないので本、発明の器具を使って絞り出せるようにした。
【０２２０】
缶やペットボトルのフィルムを剥がす習慣自然に付けるようにもなる。またペットボトルのキャップは外すとジャマなので固定方法と場所も容易した。キヤップを床に落とさないで済む。
栓抜き機能を有し外した王冠をビンに掛ける形状と大きさを有する穴を指で引き抜いて開けるプルオープン式の王冠を開けたらビンに掛けておく。リターナブルビンとしてリユースする環境面での負担が無いくビンの回収とリンクする。
【０２２１】
高価な酒の入ったガラス製や陶磁器製ボトルに応用する場合は、キャップの型に合わせて保持具を高級感ある木製から豪華な金属製や陶磁器製やプラスチック製などガラスビンに合わせて作ると良い。マイグラスやマイカップを店に預けるのと同じにマイボトルに高級で高価なキャップホルダーを実用を兼ねた装飾品として付ける。従来の缶やビンの形状やデザインを活かして、しかもイメージに夜のネオン街の華やかさを取り入れる機能性インクを装飾に使うことで光らせたり発光させたり薄暗くなると光るインクで金属製容器やガラス製容器又は、そのラベルにプリントする。ライブハウスでは缶入りでドリンクを提供するので雰囲気を高める。新蓄光インクを使用した薬剤容器があれば病人自分で夜間の発作時に手探りで周囲の物を散らかす事が減る。電気を付けて家族の安眠を妨げないで済む。スグに気管支拡張剤の吸入ができて苦しむ時間が短くできる為、病状の悪化を抑える機会が増える。暗闇でも薬の場所が分かると精神的に安心できる。ティッシュペーパーも暗闇で使う機会が多い。喘息患者に限らず元気な人達の夜の生活で布団を汚さずに済み大変に便利な機能である。ティッシュに限らず暗闇でゴミ箱の位置が把握できれば電気をつけず寝たままゴミをゴミ箱に投入できる。大部屋に入院している時など深夜の発作時にタンを出すのに使ったティッシュを棄てるのにゴミ箱の中に投入しやすく便利である。タバコとライターに灰皿のセットも暗闇で使えるので便利である。本、発明の目的と反対に肉体的健康を害するが中には、精神安定を重視して喫煙する人もいる。但し火事には気をつけてほしい。ホタル族ならずカチカチ山のタヌキになってはシャレにならない。
【０２２２】
ボトルに粘着テープで張り付ける事で使用可能である。アルミ缶は炭酸飲料が多いのでアルミ製のボトル型も増えており従来の缶型の様に鼻にぶつからず飲み残したら蓋が出来るので炭酸をあまり逃がさない利点もある。本、発明では、このボトルに円柱状の蓋を冠着させる為の溝を横設して咬合状態で固定され使用時に抜脱できる円柱状の蓋の中にベタ付けされるオマケを入れる事で自動販売機でもベタ付けのオマケを付ける機能を付けて玩具や、つまみ（乾き物）や宣伝用試供品を入れたり蓋をコップの代用にも使用出来る発明もした。アルミ缶への直接印刷とフィルムラベルに印刷した場合のリサイクル時の手間とコストを押さえる事が出来れば熱水剥離可能なラベルの使用も考慮して良いが現在の工程ではラベルを剥がす設備投資が必要があれば従来通りに直接印刷する方法を続ける。
【０２２３】
樹脂の場合は飲料と容器の外側で手で持つ部分に空気を入れて断熱部分を作る。保存可能の飲料には保存の温度変化によって大気中の飽和水蒸気により濡れる事もある。
缶詰とレトルトパウチ食品の中身が同じであればゴミとして捨てやすいのはレトルトパウチ食品となる。牛乳やジュースなど飲料も同様である。紙パックにも種類がある。牛乳パックは紙に薄くポリエチレンをコートとしてる。ジュースは紙に樹脂製フィルムをコートしている。お酒のパックは紙にアルミニウムフィルムを貼り樹脂でコートしている。液体の浸透力と保存期間で紙パックは容器の強度を変えているが燃えるゴミに出せる利点は大きい。分別が必要だが再資源可能なゴミは、焼却可能なゴミより収集回数が２分の１から３分の１しかない為であるが資源ゴミの収集回数を増やすと再資源化のコストが跳ね上がる。
【０２２４】
ペットボトルの場合なら透明ポリエステルに空気を封じ込めた梱包材構造部分をボトル自体に作る方法もある。ボトルを作る時にブロー成形して作る時に金型に事前に内設した空気を封じ込めた断熱材を所定位置に敷設しておいてブロー成形時の圧力でブローされて風船みたいに膨らむ程に溶かされている樹脂に溶着させる方法である。この製法ならリサイクルも容易である。スチール缶に付ける断熱材の候補の一つである塩化ビニールで立体シールを作って貼る必要も無い。但しポリエステルの素材自体が金属と比較して熱伝導が低いから可能であり金属には適さない方法である。又、ペットボトルで加熱飲料を提供されてもハンカチやテイッシュでくるまないと持てない程に現状でも熱くない。ポリエステル表面の温度が外気で下がるから中の飲料との温度に差が出来るからである。
【０２２５】
内部に温度により色が変わるサーモクロミズム機能を有する樹脂や示温度インキで適温を知る事もできる。
飲料は液体であり安定した容器が必要である。外部から有毒な物が混入しないように封かんをして開封したかどうか明確にする必要もある。賞味期間の保存状態が確認できるように温度の変化した回数に反応して色が変わるインクも実用化されたので金属製容器やラベルやレトルトパウチ食品の袋や容器や外箱の印刷に使用する事で温蔵庫で加熱されていたが冷蔵庫に移されて保管された物なのか常温保存により著しい温度変化の影響を受ける事なく保存されていた物なのかを見分ける事も可能となる示温インクを業務用にのみ使う。この機能を有するインクを容器や袋に加えるには感熱紙より低い温度で変色する物を使えば良い。温蔵庫は６５度なので低い温度で色を変えれば良い。示温インクは無機系・有機系の両方が市販されており温度別にマイナス４５度から２００度まで用途に応じて揃っている。ゼリーやアイスリームに使用されているチアパックはマイナス８度〜１２度の冷凍保存なので不可逆性示温インクを使用する事で適正に保存されていたか確認できる。チョコレートも一度溶けて再度、固まると表面にファットブルームになる。常温保存でも保存状態で影響を受けるのでチョコレートの箱や包み紙に不可逆性の示温度インクを使用して管理すれば保存状態を確認できる。
【０２２６】
示温インキの種類は大きく分けて不可逆性タイプという温度の昇降により変色したら、再び温度の昇降があっても変色することが無いタイプがあり賞味期限や消費期限を過ぎるとパッケージや容器に印刷したインクの色が変化して食べられるか捨てるかの判断の目安にする方法もある。飲食物の保存状態が確認できるように温度の変化した回数や時間に反応して電子的に記録できるＩＣダグを金属製容器やラベルやレトルトパウチ食品の袋とチアパックの袋と保存用食品容器と外箱と缶とボトルと瓶に使用する事で在庫状態から販売実績に加えて保存状態（期間と温度変化）を管理できるＩＣタグによっても管理できる。但し家庭では電子タグ情報を読みとれないので現状は店頭までの管理となる。家庭用のＩＣタグ読みとり装置を本、発明のキッチンタイマーの機能に加えたり冷蔵庫に加えることで使用可能にできる。示温インクなら装置を付ける必要は無く実施と普及は容易である。示温インクでの印刷や色温度計を熱い状態で提供されるみそ汁やスープやお茶などを、すすって飲めない人の介助で機能を果たせる。熱い飲み物を飲む場合は、すすって飲む事で空気と熱い液体を混合させて液体の温度を下げる事で火傷しない。外国のスープの適温と日本の汁の適温は異なる。金属製のスプーンを使う外国ではスプーンが熱くなるので日本のスープには適さない。日本の場合は木製の匙や陶磁器のレンゲを使用するのでレンゲや匙に熱い汁が入っていても、すすって飲む事ができる。
【０２２７】
自分で匙を持てる状態ならスープや汁の温度をスプーンや匙の上で調節して口に運べるが出来なくなると適温で無い状態で口に食べ物や飲み物が運ばれる。丁度、ほ乳瓶の内部に使用されている温度に反応して色が変わる樹脂でスプーンやレンゲや匙を作って安全な温度か確認して食べさせる必要も出てくる。特に自分で匙を持てない程なら呼吸にも影響が出て、レンゲや匙に熱い汁が入っていても、すすって飲む事で空気と熱い液体を混合させて液体の温度を下げる事が出来ない。キャブレターみたいにスープを吸い込めない人に対して熱いスープをいきなり口に流し込んだら火傷までいかなくても不快感は与える。人肌の温度を基準にできれば火傷をしないように提供できる。
【０２２８】
ほ乳瓶用のポリプロピレン性の空気孔に使用されている色の変わるヒートセンサーをポリプロピレン樹脂に入れた物も市販されている。ＵＳＡのＰＡＴ＃５．５７０７９６＃５．７７９．０７１の構造のほ乳瓶に使われている。温度が３８度位まで色がパープルで熱すぎる位だとピンクに変わる。ポリプロピレンの樹脂表面近くに機能性顔料を練り込んでも良い。
温度が表示されたり目安の色によって人肌の温度で提供する事が出来れば安全である。咀嚼機能が衰えても液体で口から流し込む事で適温となる温度で飲料や流動食を提供できる。口から栄養が取れるうちは、口から取る事が出来る。
【０２２９】
キッチンタイマーに印字機能を付けて食品を冷蔵庫に入れた日をラベルに印字して食品に張り付けて管理する。賞味期限や消費期限や製造年月日の表示されていない食材を入れたビニール袋やラップや容器に張り付ける事で何日保存していたか明確にできる。キッチンタイマーに時計機能が付いていれば、それだけでも便利である。出来る人間は時間に正確である。時計は正確な方が良い。
冷蔵庫に付けて使う事が多く冷蔵庫の食品保存と調理時間を知らせるだけの機能のキッチンタイマーに時計機能と印字機能を加えて冷蔵庫の入庫日の年月日や時間とビン入り保存食の開封日時の印字の色で識別したり入庫と開封と印字するなどで識別できると便利である。ラベルの大きさは値札大でも良いしキッチンタイマーの大きさと重さは現在、市販されている物と同じに出来ると違和感が無く使える。印字機能付きキッチンタイマーが大きくならない程度の大きさのラベルで高齢者が見える大きさで印字できると良い。ＩＣタグを読みとり食品や飲料の保存状態を確認する機能はＩＣタグが普及する事と装置のコストがかなり安値で付けられれば付ける。この方法を食品から薬剤の保存と管理に応用する事も可能である。
【０２３０】
食品を入れた袋や容器の酸素濃度を下げて酸化と細菌の呼吸を止める事で常温保存の効く食品には更に保存期間を延ばす事が出来る。家庭用の注射器状の構造の真空ポンプを使って空気を抜く事で酸化を防止する方法もあるが器具を使って空気を抜くにも限度がある。特にポテトチップを例として、これに使用すると食品の形状が保てず割れてしまう。そこで形状を保てる程度に空気を抜いて窒素を充填して袋を閉じる時に充填して膨らんだ窒素を抜くことで酸素濃度を下げる方法が家庭で手軽に出来る窒素缶を発明した。簡易式の消火器にも使用可能である。酸化防止剤を同封して梱包している食品に使用すると保存期間が伸ばせる。食品に限らず酸化により劣化するプリントした写真や現像した後のフィルムにも使用可能である。本や書類などの気密性容器やビニール袋に入れる時に酸素濃度を下げる事で効果がでる。窒素ガスの場合は、酸素と違い燃えないので通常のスプレー缶より安全である。中身の入った缶を熱すると破裂するのは他と同じだが火に向けて吹きかけても燃え上がらない。
【０２３１】
食品容器に窒素を充填する時に一人で行えるようにもした。冷蔵庫の内部に薄膜技術か電気分離により酸素を除いた窒素を充填させて酸素濃度約２３％の空気を抜く事で食品の酸化を防止する冷蔵庫も発明した。冷蔵庫を真空にするとドアが開けられなくなるので酸素を含む空気と窒素を入れ替えて室内の気圧と冷蔵庫内部の気圧を同じにする事でドアの開閉を容易にする。本や書類ですら長年、空気にさらすと酸化してしまう。中性紙の表面の色が変色するのはこの為である。米に虫がわく環境ならビニール袋に米を小分けにして窒素充填して虫が混入しても窒息死させられる。米の酸化も防止できる。米用の低温保冷庫に入れる必要が無く電気代も節約できる。酸化（オゾン）によって傷む紙や写真にも窒素充填による保存は便利である。窒素充填と活性炭式冷蔵庫脱臭剤と同様の使用方法で冷蔵庫や米櫃に内接して化学反応で気密容器内で酸素をケース内の鉄分を酸化させて減少させる酸化防止剤も発明した。酸化時に使い捨てカイロに類する発熱があるので容器内の袋は薄い状態の袋を容器内部で袋同士の空間を開けてコンピューターのシートシンクのような放熱版機能を持たせて高温化を防止すると同時に袋の通気性を調整できるように現在の煎餅の気密袋に入っている酸化防止剤の袋の素材を活用する。酸化防止剤の厚さは変えずに面積を容器内に収まるようにして空間を作り何層にも重ねて効果を高め冷蔵庫や米櫃内部の容積に対応する。但し、紫外線によって色彩が劣化するので写真の額縁に充填するにはＵＶコートされたガラスを使用している市販品が良い。ミュージアムガラスなら光の反射を防止して額の中も良く見える。額縁の場合は、メガネのコーティング技術を使ったガラスを使用する事で紫外線による色の劣化（色焼け）を防止する。この状態に窒素を充填すれば絵や写真とガラスが密着を防止する額の中に入れるトリミング効果もある厚紙のマット部分の空間に残った酸素を除去し窒素に取り替えられる。酸素がなければ紙を虫に喰われない。虫食いの古文書化の防止になる。気密性の高い衣装箱にも窒素充填して無臭でしかも無毒で酸化と虫食いを防止できる。但し湿度は窒素充填では取り除けないので衣料用乾燥剤を入れると安心である。
【０２３２】
博物館の金属の出土品を保存する場合に温度２０度で湿度５５％に保つ事で金属を乾燥させすぎて崩さないように１０％の水分が内部に残る状態で保存している。現在は酸化による腐食を防止する為の窒素充填は、行われていない。展示ケースや保存容器内の酸素濃度を０％に近づけると錆の防止が出来る。液体や食品や物体自体が酸素を含んでいるので０％にはできないが近づける事で酸化防止する。
家庭用のムースの缶やプッシュ式シャンプーの形状をベースにしたボンベに窒素を充填する。後は、開封した食べかけのスナック菓子や酸化させたら傷む食品をビニール袋に入れて窒素ガスを充填する。酸化すると傷む本（印刷物）や写真に書類なども同様である。スナック菓子の食べる量を保存が出来るようになるとセルフコントロールできる。ダイエットが容易になる。窒素の使用コストと食品の値段のバランスが難しいが
食べ物を大切に出来たと言う精神的満足度も考慮できる。
【０２３３】
保存期間を長くする事で食品の無駄が減る。食品が傷みずらいので何もしないよりは風味を損なわない。窒素充填して少ない窒素使用量で酸素濃度を下げて食品を長持ちさせる。スプレー缶は、何回も補給充填して使う。新しいジャンルとして「窒素充填サービス」を行う。有料か無料化は普及度や顧客来店回数でバランスを取れば良い。現在は家庭での窒素充填の実施例はない。窒素缶は家庭用バケツだと思ってほしい。バケツで水を入れて家に持ち帰ると重く辛い。本、発明は片手で使う事を前提にした軽いスプレー缶である。この方法なら難民キャンプでの食品保存に役立つ。スプレー缶の普及が困難な程の貧困地域へは、清涼飲料のペットボトルに窒素充填して使える窒素充填に使える太さと長さの筒状の形状を窒素充填口と蜂蜜やメイプルシロップの容器のフタみたいな細くて長い筒状の注入口の構造を持ったボトルキャップを提供する。ペットボトルに窒素を充填する場合は軽く潰してから窒素充填して又ペットボトルを軽く潰して酸素を抜いて濃度を下げて窒素を充填することで窒素濃度を上げないと効果が弱まる。その点も考慮してビニール袋に取り付けられる構造にも窒素充填口のキャップを対応させた。
【０２３４】
この場合は、ビニール袋から空気は、ほぼ全部出せるので窒素充填が一度で済む。スーパーマーケットが行っている「浄水スタンド」のサービスは専用容器を使う為に冷蔵庫で冷やすにはペットボトルに移す手間が必要である。そこでペットボトルのキャップを使い上のペットボトルの底に穴をあけてエア抜きパイプを備えた「じょうご」を発明した。上のボトルに入れた水が砂時計のように落ちる。これなら水汲みが楽になる。この発明は水道や安全な井戸といったインフラが整えられていない地域でのペットボトルを利用した浄水器としても使用可能である。水の供給が無く泥水しか無い状況になれば簡易式の濾過装置として使用する事で不純物を取り除きく事が出来るようにも使える。使用方法は、基本的には最初に小石を入れて次ぎに木炭をいれる。その上に砂利を入れて上に枯れ葉を乗せた地層の断層面状の濾過装置を作るが小石の下に綿のシャツかタオル地を敷いた方が良いと思う。濾過した水は沈でんさせて上澄みをナベか代用になる缶に入れて加熱して冷めたら飲める。但し、科学物質などの影響で酸性やアルカリ性になっていたら毒性は残るので注意する。浄水用のカートリッジを作って中空糸や活性炭入りカートリッジを提供出来るのが理想だがコスト的に無理である。手軽に浄水する方法をキヤップにマニュアルとして添えると啓蒙にもなる。濾過するペットボトルのジョイントにも空気抜き構造の付いたボトルキヤップと同じ溝のジョイントを発明した。二つのペットボトルを接続して砂時計状となる中心の細くなった部分にあたる箇所にジョイントとして使用する。
【０２３５】
給水車による水の供給が受けられる時は、便利な「じょうご」になる。上のペットボトルに一気に水を入れてもらったら受け側にボトルに水が落ちるまでの間に次の人が給水を受ければ水を手にした人が列から外れるので効率的な作業が出来る。文房具として書類や美術品に写真の保存にも使える。家庭用品として衣類の無毒の防虫剤としても利用できる。食品保存用なら家庭での大量消費が期待できる。個人所有の文化財の保存状態の向上になる。医療用の酸素濃縮器の排気口から出る酸素を分離した窒素を酸化防止用窒素として使用する事ができる形状を有する酸素濃縮器兼窒素充填装置も発明した。空気取り入れ口から屋内の空気を吸い込み内部で酸素を電気的にドラムに吸着させて取り出す構造であり分離後の空気は酸素を除いて室内を循環する。この窒素を排気口にチューブを付けて窒素充填可能にした。
【０２３６】
水と空気と安全で空気が一番高いので窒素もムダにしない。人類の生存に必要最低限の生き延びる為の水から食品の保存により飢餓の改善と飲料の適温で安全に飲む事を中心に「文化・芸術」の伝承や継承の為に適切な保存方法と展示方法と提供方法及び容器と各種道具や器具を本、発明で提供する。販売促進効果の向上と資源の継続活用が可能になる。保存すべき作品は適切に保存して後世に残し食料や飲料も保存期間を延ばし適温で最適の状態で容易に飲食できる。また飲み物を提供する場所によって雰囲気を盛り上げる事もできる。災害や非常時の生存にも活用できる。
【発明を実施するための最良の形態】
【０２３７】
缶入り飲料と食品の容器はＪＩＳ規格の範囲内で専門の業者が実施する。日本食料新聞社から出版されている缶詰入門の規格表は参考になる。取り出し器具は台所用品を作っている業者か文房具を作る技術がありば可能である。ペットボトル入り飲料は、飲料メーカーで実施できる。販売についても自動販売機や店頭販売も従来の輸送・流通・販売を活用して実施可能である。風俗営業店でのアルコール飲料の提供やサービスも現在の流通ルートで実施できる。色温度計機能の付いたスプーンは台所用品や介護用具会社が製造して色温度計機能の付いたスプーンは介護施設で使用される。印字機能付きキッチンタイマーは時計や電卓などの電子機器メーカーが作ると良い。窒素充填は冷蔵庫は家電メーカーやギフト品メーカーが作る事ができる。窒素と酸素の分離技術は酸素業者であれば容易である。容器は缶スプレーのメーカーが作るかボンベのメーカーが作るのが良い。ボンベの色で入れるガスが決まっているので基本は崩さないようにして製造から販売から消費からリサイクルに至る循環型での実施を想定している。
【０２３８】
実施にあたって容器や器具や電気製品から流通や販売そして社会貢献としての飢餓対策や文化財の保存は国や自治体やＮＰＯやＮＧＯ活動に至るまで、既存の技術を活かして専門の企業や団体が得意分野の物を実施する事が望ましい。容器や器具と機材や器械を作るのは、大規模な設備投資を行わないで既存の物へ若干の変更を加えて実施することで経費を節約する。販売方法や流通システムも従来の資産を活かして実施する。容器のデザインも今まで市場に浸透したイメージを継続しブランドイメージを変える事なく市場に自然な形で供給され自然に消費されリサイクルについても環境対策として万全に行われる。夜間の喘息などの呼吸困難の発作時に気管支拡張剤の場所が識別できると電気を付けて家族を起こしたりしてしまう。蛍光灯の夜行部分を探して電気を付けてから気管支拡張剤を吸入して処置するまでの時間は呼吸困難で苦しい。１秒でも早い対応が求められる。患者は日常生活でも気管支拡張剤は手放せない。夜間はスグに手を伸ばすと取れる所に置いてくらしているが手探りでは心もとない。いちいち市販のマーカーで患者が使い捨て容器に印を付けるのは手間である。シールも同様である。探しに行くのも大変である
。薬の副作用で指先が小刻みに震える患者も多いので製薬メーカーが使いよい状態にするべきである。現在はノウハウとして個人で実施している。医療器具（薬）なのでデザインや色を変えるのに認可の手続きが必要である。ティッシュペーパーの箱も暗闇では素早くテイッシュを使う事が出来なかった。所定位置に置いておいても寝返りで場所が変わって見つけられず電気を付ける事は日常でおこる。電気をつけると目が冴えて眠りに戻るのに時間を無駄にしてしまう。紙の箱に初めから印刷して蓄光機能を付ける。箱の口の部分をメーカーの企画に合わせた蓄光素材のアタッチメントを付けて光らせる。暗闇でテイッシュを使ったらゴミ箱の中に正確にすてるにはゴミ箱の口の回りが光っていないと難しい。暗闇でゴミ箱が見えなければ電気を付ける。人によってはゴミ箱が所定の位置にある事を前提にして入らなくても後で拾う予定で投げる。それではゴミ箱の近くにゴミが溜まる。中に入らないとゴミ箱の意味がない問題を減少させた。
【０２３９】
気管支拡張剤のキャップやプラスチックカバーに溜光素材で印刷したり溜光素材のテープ（ラベル）を貼る。または、蓄光素材のストラップをカバーに取り付ける。夜間に電気を消しても気管支拡張剤の置いてある場所が光って把握できるようにする。医療器具（薬）なので製薬会社が光る機能を加える手続きを関係官庁に行い許可や認可を得て実施する。テイッシュペーパーの箱を蓄光素材のインクで印刷する。取り出し口の周辺を光らせると暗闇でティッシュを探さないですむ。暗くても使いたい時、瞬間的に使える。最初から箱に印刷してあると便利である。テイッシュペーパーを入れる木箱や金属ケースにプラスチックケース。手芸で作る布やビニール製テイッシュカバーに蓄光機能をつける方法もある。テイッシュケースに収納スペースを付けて、テイッシュ取り出し口と同じように避妊具取り出し口に蓄光印刷したりテープやシールラベルを貼る。布のビニール製カバーにはポケット状の避妊具入れのポケットを付けると同様の効果を得られる。このように避妊具を入れる収納スペースを付けて避妊具を入れておけるようにすると便利である。避妊具を自然なかたちで便利に使える環境を整えるとＳＴＤ（性感染症）の防止にもつながる。避妊具のゴム自体が蓄光製の商品は市販されているが、それを入れるアルミとビニール素材（インスタントラーメンの粉スープの袋みたい素材）を使った小分け用の袋には蓄光機能がないので避妊具のゴムを光らせるより暗闇で避妊具の位置が分かるように袋に蓄光印刷すると便利である。避妊具の袋は切り込みノッチ部分が目立つと便利である。テイッシュの箱は購入時に蓄光印刷されているの便利さにはかなわない。しかし蓄光インクは高価なので取り出し口に金属かプラスチックの蓄光性のアタッチメントを付けて付け替えて使用する方法もある。蓄光素材の糸でレースを編んで布製のティッシュカバーの取り出し口に付けると女性が好むデザインになる。蓄光素材のステッカーを作り中心をテイッシュ取り出し口に型抜きして貼ると装飾にも利用する。夜間にテイッシュを使用するとゴミ箱に棄てる。ゴミ箱の口が光っていれば投入が用意になる。家族を起こさない為や夜の生活をひらけらせない為に電気を付けたくない事もある。
【０２４０】
ゴミ箱の口が蓄光素材であれば暗闇での動作が便利になる。新蓄光素材による機能の追加は各、気管支拡張剤を取り扱うメーカーが標準的な機能として取り入れる。現行のデザインを変更しないで徐々に機能付きタイプに切り替えていけば混乱も避けられる。医療器具に大きな変化は混乱をもたらす。自然に浸透するかたちで蓄光機能を加える。デザインは親しみある馴染んだタイプをベースにして溜光素材で光る機能を追加するだけである。ラベルシール・直接プリント・プラスチック樹脂のカバー部分を溜光樹脂素材にして作る。光るヒモを取り付ける。この方法の中から様々な条件を加味して最良の方法を取る。口の汚れ防止キャップと噴霧口を兼ねたカバーの全体か一部分を光らせるかは各・製薬会社が医療ミスが無い安全で伝わりやすい機能を持ったデザインをすれば最良のかたちで提供できる。テイッシュペーパーを製紙メーカーが市販している紙箱の取り出し口に蓄光印刷して機能を加える。紙箱の取り出し口の下に付いているビニール部分を蓄光素材に変える。取り出し口部分の印刷インクの変更なら今まで広告で市場に浸透させたデザインやイメージは変えずに蓄光機能を加えられる。印刷コストを考慮して５箱でワンパックにアタッチメントをサービスで付けたり別売にする。テイッシュを使うとゴミ箱に棄てる。暗闇でゴミ箱の口が発光していたら使い終わったテイッシュは中心を狙って投げると中に入る。暗闇でゴミ箱の位置が解ると蹴飛ばして倒すことも防止できる。ゴミ箱を倒してしまうとゴミが散乱して掃除するハメになる。その危険を減らせる。不可視インクを新聞紙に社名と発行年月日を刷り込んだ地紋にする事で何処を切り抜いてスクラップにしてもニュースソースを後からブラックライトを照射する事で判別できる新聞紙も発明した。この場合は製紙会社が実施するのが良い。
【実施例１】
【０２４１】
缶入り飲料や缶詰は日常生活で消費しているので湯せんしたり温冷蔵庫で保持具となるスチロールを付けて実験した。ポットボトルも同様に試した。王冠は市販の物にスチール缶の缶胴部分を材料として付けて試した。取り出し器具はほ乳瓶つかみの柄の部分を切断して長くしてゴームを貼って形状を変えて缶詰と缶入り飲料とレトルト食品でそれぞれ実験した。芽摘み長柄ばさみと言う枝葉を痛めず芽を摘むハサミの形状で刃の部分を掴む道具にした物である。缶入り飲料用のカップホルダーは物干し竿用のピンチを改造して試した。ボトルキヤップは両面テープで実験した。示温インクはほ乳瓶用のテープをレンゲに張り付けて実験した。程良い温度だった。窒素充填は大きなビニール袋の中の酸素を脱酸素剤で抜いた後で蝋燭で酸素が残っていないか火で確認して実験用にした。窒素ボンベを借りて行う経費を節約したため多少はロウの臭いが残ったが食品自体の鮮度を延ばす事に成功した。キッチンタイマーについては冷蔵庫に円盤式磁気記憶媒体用のラベルが余っていたので日付を手書きして実験した。やっぱり日時の印字機能が必要である。台所に時計もカレンダーも無くて不便だった。冷蔵庫での実験は窒素を充填した食品をビニール袋に入れて冷蔵する事で鮮度を調べた。リンゴを塩水に付けないで酸化防止して変色時間を何もしないで皿に乗せた物と比較して確認した。
【０２４２】
書類や衣類はビニールに入れた物と入れない物で実験した。書店の本はビニールに入っていると古本でも劣化しないが空気に曝されると変色するのは、周知の通りである。ジョイント用キャップは接着剤で作って実験した。充填用キヤップも園芸のフランター用のキヤップを改造して実験した。実験的に実施したが産業上の実施例は無いので新規性は高い。新蓄光インキやテープは、気管支拡張剤の樹脂製アタッチメントに夜行テープを貼って実施した。新蓄光素材にしてからは、深夜でも光る時間が延びて大変便利になった。大変便利である。蛍光灯のヒモの先に夜行素材を使うのと同じくらい当たり前の機能だと感じた。シルクスクリーンの印刷方法も公知である。いまだに実施しされていないのは蓄光塗料が高価な点だと思われる。ティッシュペーパーは、取り出し口に市販のルミノマーカーで印を付けて使用した。便利だが空箱にティッシュを詰め替えるのは面倒であった。１００円シップでプラスチック製テイッシュケースを購入してルミノマーカーで取り出し口をペイントした。やはり空になったら交換が手間である。テイッシュをまとめ買いしたら取り出し口に事前に蓄光剤でペイントしておくのが便利である。便利なので最初から厚紙の箱の取り出し口に印刷するかテイッシュ箱を開封すると口の内側に付いているビニールを蓄光にした方が便利で機能的である。ビニール全体を蓄光にするとコストが高くなるので機能として必要な部分に加工することでコストダウンを計れる。
【産業上の利用可能性】
【０２４３】
人間が生きる上で食は衣食住で大切な産業である。特に飲み水に類する飲料は大切な分野である。酒は値段が高く好きな人が多いので売り上げも大きい。空気に関しては生きている人で息をしていない人はいない。気体を分離して利用するのは高度な技術である。空気中に窒素が多くても純水（完全な水を作るのは水蒸気で不純物を減らした蒸留水は出来ても純水を作るのは難しい）を作るのに近い程、手間がかかる。薄膜による分離か電気的分離になる。食品加工業に飲料業界と容器製造業から器具製造業による利用が期待できる。介護機器製造業や家電メーカーや電子機器メーカーから特殊印刷業にゲームソフト開発業やＩＴ産業に玩具からリサイクル業や社会貢献に至る商品が作られ売られ消費され捨てられて再加工される流れに加えて被災した場合まで想定した発明であり以上の流れに関係する産業は実施すれば、従来品を応用して今までに無い機能が加わった商品展開が今までの販売ルートを活かして実施できる。
【０２４４】
イメージと販売力がアップするシステムとして発明しているので各分野で利用可能である。食品に限らず長期保存する際に酸化を防止して劣化を防ぐ意味は大きい。文化財は壊れる直せないし変わりは無いので壊れないように保存するのが良い。社会貢献は企業イメージを高めしかもパブリシティー効果で宣伝となる。自動車メーカーの中には公害訴訟の被告状態のままで問題解決をせずに国内や海外でスポーツや文化のスポンサーになっている所まであるぐらいにパブリシティー効果は宣伝力が強い。エンゾンの電気自動車の市販がエンジンを使用する車より早くモーターリゼイションと電気をエネルギーとするモーター＝車の動力と言う認識が出来ていた程である。燃料電池に至っては１８世紀に解放特許になっている。
【０２４５】
飲食物は人の口に入れる物だけに食品は盛りつけで飲料は演出が大切である。美味しそうと言うイメージや清潔感は大切である。それだけ容器の持つ意味は大きい。それに冠する器具の利便性と安全性や衛生面も重要である。飲食物より空気の方が口から体内に入るので環境負荷を軽減してゴミになってもリサイクルやリュースで資源化される流れがある事で消費しても罪悪感を消費者に与えない事も大切である。食べ物をムダにして物も使い捨てにするのは精神的満足が得られず満腹感も得られない。飲んだり食べた後の後かたづけについての安心感も生活のリズムとして大切である。新蓄光インクで暗闇での使用を補助する気管支拡張剤はディスポーザータイプの吸入として処方される。患者さんの不安を場所が光って分かる事で和らげる。必要な時に電気を付けたり手探りしないでスグに頓服として吸入治療できるメリットは大きい。喘息患者は一ヶ月に多くて４本も気管支拡張剤を使いきる。喘息患者は全国で１００万名はいると推定される。都内で５０万人である。一人あたり年間１２本平均処方されると需要は年間で数千万個となる。使い捨て容器が最初から蓄光になっていてこそ清潔で便利だ。
【０２４６】
個人レベルで蓄光テープやマーカーで加工したものを洗って金属製薬剤容器を拳銃のマガジンみたいに取り替えて使う手間がいらない。通常の使用はプラスチックカバーと薬剤はセットで使い捨てにする。テイッシュペーパーは痰を出す時の必需品である。暗闇で使えると便利である。現在は取り出し口を蓄光させているメーカーは無いが価格競争ばかりてなく付加価値としての使いやすさを加えて売り上げを上げる事が可能である。しかも使い捨てなので蓄光機能付きのメーカーはユーザーをリピーターにできる。テイッシュ取り出し口のアタッチメントを蓄光にする事でユーザーはアタッチメントに合った商品を購入するのでユーザーを固定する事もできる。テイッシュ箱をテイッシュケースに入れたりカバーをかける人も多いので、それを作って販売したりノベルティーで付ける事もできる。蓄光アタッチメント方式は、実施企業の商品に形状や仕様を合わせるので他社との差別化ができる。蓄光素材のタバコの箱への印刷も見つけ易さや便利さと言う点では、良いと思うがこの発明でタバコの消費が増える事は、喫煙者が便利だから喫煙量を増やす結果では社会の為にならない。いつでも吸える安心感で喫煙を控える効果となれば成功に近いが個人の意志の問題になってしまう。タバコ産業の利益にしかならないのでは本末転倒である。タバコの箱に窓を付けて残り本数が見えると機能的である。タバコの箱の窓には紙の変色防止フィルムを使う。こんなに残っているからいつでも吸えるので今は控えようとか残り少ないから控えようと喫煙を抑える方向になるメッセージで対応するしかないだろう。「健康を害します」「吸うと死にます」みたいメッセージを蓄光素材でプリントかるのはいかがだろう。タバコを吸っていなくても喫煙用具を持っているだけ安心出来て喫煙量や喫煙機会が減れば良いとおもう。
【０２４７】
寝タバコで火事になる話も聞くので灰皿も蓄光素材でフチを光らせればタバコの灰を落とす危険は少なくなると思うが火を扱うから明るい電気の下が望ましい。火を付けるライターにも蓄光素材を使うと便利である。不本意ではあるがデザイナーとして依頼されれば、この蓄光と本数確認穴を使ったアイデアでタバコのパッケージデザインをしてみた。タバコと塩の博物館で機関車から口紅までのレイモンド・ローウィ展を観てタバコのパッケージに機能を持たせると蓄光機能とタバコの色焼け防止機能付きフィルムで残り本数を確認出来る機能だとアイデアが湧いた。化粧品容器のリターナブルは化粧品売り場に空の容器を持ち込む事で様々な特典を顧客に提供できるのでインタラクティブビジネスも行える。本発明は容器に機能を加えた物であり出荷量と再利用量をリサイクルを想定して明細書に書いたが本、発明を実施すると市場規模が大きい中での実施企業への流れの変化を作り出し膨大な金額の売り上げが上がる。つまり市場占拠率（シェア）が変わる。
【図面の簡単な説明】
【０２４８】
【図１】加熱した缶を素手で持っても熱くない構造を缶胴に有する飲料缶詰の容器
【図２】加熱した缶に取り付けて熱くない持ち手付き保持具
【図３】湯せんした飲料缶詰やレトルトパウチ食品を取り出し絞り出す器具
【図４】ペットボトルのキヤップをボトルにはめ込められるボトル容器
【図５】キャップを粘着させ一時、固定する為のシールラベル
【図６】鼻に当たらない形状の飲料缶詰の容器
【図７】鼻に当たらない形状の容器にベタ付けしていたオマケを入れて冠着させる容器
【図８】容器表面にストローを埋設収納できる飲料容器
【図９】ペットボトルに埋設させる事を目的に成形されたストローと容器
【図１０】クローズド懸賞の応募券を付けた（印刷した）ラベルフィルム
【図１１】二次元コードにより各種特典を得られるフィルムラベル
【図１２】資源の分別時に切る為のテープを有するフィルムラベル
【図１３】ボトル型飲料缶詰に円柱状の蓋を冠着してベタ付けで付けるオマケを中に入れられる容器
【図１４】冷たいデザート用樹脂製容器に使用する熱湯剥離機能を有するラベル
【図１５】栓を抜いた後でビンに懸吊可能な王冠
【図１６】開封口を目立たせた紙パック容器
【図１７】保存状態や期間と在庫状態や販売実績の管理が可能なＩＣダグ
【図１８】空のペットボトルをジョウゴや濾過器として使用する為のジョイント器具（エア抜き一体構造）
【図１９】薄めて飲む飲料を素早く冷やす方法
【図２０】アルコール飲料用のキヤップ保持具
【図２１】素手で持って熱かったり冷たかったりしないように捲着して固定して使う断熱材を使った容器
【図２２】素手で持っても熱くないように容器に捲着して使用する断熱材
【図２３】発泡インクか発泡ゴムインクを使用してインクの断熱効果で素手で持って熱かったり冷たかったりしない容器やパック
【図２４】ペットボトル容器の缶胴に該当する部分に断熱の為の空間を作った容器
【図２５】示温インク（不可逆性タイプ）で保存状態を確認できるラベルと容器と袋（パック）
【図２６】示温インク（可逆性タイプ）やフィルム状の色温度計を有するレンゲ・スプーン・お椀・吸い飲みと育児用飲料を入れたペットボトルに請求項４８の状態で埋設して提供する事を目的とした乳首と固定用の蓋
【図２７】片手で開封できて片手で開閉出来る金属製又は樹脂製容器
【図２８】日付シール印字機能付きキッチンタイマー
【図２９】冠着可能な樹脂製ペットボトル専用コップ
【図３０】窒素を家庭で使う為に充填したスプレー式の缶
【図３１】窒素を充填して使えるスプレー缶と小型ボンベ
【図３２】家庭で窒素の充填と吸引が出来る電気式食品保存器具
【図３３】家庭で窒素の充填と吸引が出来る食品保存パック用器具（フードセーバー）
【図３４】内部の空気を抜いて窒素を充填して酸化を防止する機能付き冷蔵庫
【図３５】空の炭酸飲料用ペットボトルに窒素を充填して使う為のアタッチメント
【図３６】大きな袋に窒素を充填して使う為のアタッチメント
【図３７】空のペットボトルを上戸や濾過器として使用する為のジョイント器具（ストローをエア抜きに使用）
【図３８】芸術作品や骨董品や古文書などを窒素を充填したり脱酸素剤との併用で酸化防止する保存容器
【図３９】博物館や図書館で展示や保管時に酸化を防ぐ方法
【図４０】家庭で衣類・書類・絵画・写真・フィルム・磁気記憶媒体を酸化を防ぎ紫外線を防止出来る容器や袋
【図４１】銀行の貸金庫に保管する証券や貴金属や宝石を酸化から守り劣化を防ぐ容器とサービス
【図４２】新蓄光インクやブラックライトで発光する蛍光インクや不可視インクで装飾したアルコール飲料用容器（缶・ビン）とチアパックとこれに使用するラベル
【図４３】医療用酸素濃縮器の排気口から出る窒素を酸化防止用に使用する為の窒素充填装置
【図４４】冷蔵庫に脱臭剤の様に設置して酸化を防止する脱酸素剤を入れる薄い袋と通気性の高い容器
【図４５】米櫃に内設して酸素濃度を下げて虫の発生を防止する為に脱酸素剤を入れる薄い袋と通気性の高い容器
【図４６】香水や化粧品やヘアケア用品を新蓄光インクやブラックライトで発光する蛍光インクや不可視インクで装飾した容器とラベル
【図４７】酸素を通すシリコンをプラスチックに混入させて酸素を通過させるコンタクトレンズの様にした樹脂製ワイン用コルク栓
【図４８】ベタ付け作業を工場出荷時に行い陳列時の手間を省く事ができる様にオマケを埋設可能にした容器
【図４９】新蓄光インクや夜光インクや蛍光インクで印刷した缶詰式の容器と盗難防止の為にナンバープレートか車体番号を不可視インクでボディーや部品に印字した車とバイクと防犯登録番号を印字した自転車
【図５０】缶詰の巻締部分の長さを使ってＣＤやＤＶＤやコースターをオマケに入れた円柱型の金属製か樹脂製容器
【符号の説明】
【０２４９】
１＝正面図
２＝側面図
３＝上面図
４＝底面図
５＝断面図
６＝アルミ製飲料缶詰（炭酸飲料を入れる事が多い）
７＝スチール製飲料缶詰（冷たい物から熱い物まで幅広く入れる）
８＝金属製
９＝フィルムラベル（熱収縮性ポリエステル）
１０＝発泡スチロールや樹皮やゴムやコルク等の断熱材（厚みを利用してロゴやマークを立体的にデザイン出来る）
１１＝巻締部分（缶詰の加工用語）
１２＝絞り（金属加工の技術）により成型した缶（アルミ製が多い）
１３＝フィルムラベルの張りによって出来た空間を断熱に使う（空間の形状は飲料に合わせてデザインする）
１４＝フィルムラベルを巻いて発泡スチロールなどの断熱材を固定する（ラベルの下になる断熱材の形は飲料に合わせてデザインする）
１５＝発泡スチロールなどの断熱材を嵌入する（嵌入の形状と断熱材の形状は飲料に合わせてデザインする）
１６＝発泡スチロールなどの断熱材を接着か粘着する。（貼る断熱材の形は飲料に合わせてデザインする）１７＝ペットボトル断面
１８＝捲着する
１９＝飲料缶詰の断面図
２０＝斜面図
２１＝線加工品のリング状スプリング
２２＝樹脂製の缶入り飲料用保持具
２３＝スプリングを貫通させる穴
２４＝スプリングの先端をはめ込む溝
２５＝洗濯ばさみと似た構造
２６＝摘むと缶を挟む部分が広がる
２７＝湯せんした缶詰やレトルト食品を取り出す器具
２８＝長い柄にゴムかソフトな樹脂のレトルト絞り出し用スクイージーを付ける
２９＝缶やレトルトを熱湯から掴み出す部分
３０＝収納時に器具が広がらない様に止める部分
３１＝マグネットか両面粘着テープで取り出し器具の柄を所定位置に固定して収納する留め具
３２＝鍋
３３＝ガスコンロを使用する時は、缶の破裂防止にフタを開けてから温める。
３４＝お湯
３５＝鍋の縁に当たらない様にお玉（レードル）の様に角度を付ける
３６＝レトルトパウチ商品の袋
３７＝矢印の方向に絞る
３８＝例としてカレーイスやハヤシライス
３９＝１，５リットルペットボトル（炭酸飲料用）
４０＝２リットルペットボトル（お茶やサプリメントを入れる事が多い）
４１＝ペットボトル１リットル〜３５０ミリリットル（５００ミリリットルのボトルが多い）
４２＝キヤップ
４３＝キャップをはめ込む凸部
４４＝キヤップを埋め込む凹部
４５＝キャップを粘着させて固定させるシール
４６＝両面テープ部分
４７＝シール部分
４８＝シールの糊部分
４９＝クローズド懸賞用のポイントを印刷しても良い
５０＝シールの上を一枚剥がしてキャップを固定出来る様にした状態
５１＝開き缶をリサイクルの為に上から圧力をかけた時に潰し易く付けた角度
５２＝開き缶をリサイクルの為に上から圧力をかけた時に竹を切った様な鋭角では倒れて潰すのに支障がある
５３＝鼻が缶の蓋にぶつからないカット
５４＝カップは蓋が無いのでカップ内の空間があり鼻はジャマにならない
５５＝後面図
５６＝冠着するとき中にオマケを入れる事が出来る蓋
５７＝缶に蓋を付ける事で口を付ける部分の汚れを防ぐ
５８＝蓋を冠着してフィルムラベルを捲着して固定する。この場合はフィルムラベルに飲料のデザインをプリントできる。ラベルを剥がすと缶にも印刷すれば印刷可能面積を増やせるので販売促進や消費者への情報サービスとして占いやイラスト広告などを入れても良い。印刷コストを抑えるならラベルだけの印刷でも良い。
５９＝フィルムラベルを素手で切りやすくミシン目を入れて目立つ色のガイドテープを付ける
６０＝蓋を、かぶせると従来の自動販売機で販売可能な円柱になる
６１＝フィルムラベルを捲着して固定しない場合は、蓋と缶をしっかり咬止させるかシールやテープで固定する。但し飲むときに蓋を外しやすい様にシールやテープの縁には糊を付けないで剥がす場所を色分けして明確にする。この場合の容器のデザインは缶に直接印刷する。
６２＝ロッド式ストローを埋設する為の溝
６３＝フィルムラベルを捲着した上にストローを付けるかラベルの内側に着座させるかはフィルムラベルの収縮率と工程で調整する。
６４＝ロッド式ストローはロングライフ牛乳の紙パックみたいにビニールか透明樹脂の袋に入れる
６５＝ロッド式ストロー（ＦＭラジオのロッドアンテナみたいに伸ばせる）
６６＝ストローを入れた袋の上下に糊や両面粘着テープで固定する。
６７＝フィルムラベルの内側にストローを付ける場合はミシン目を入れて素手でラベルを切る事が出来るようにする
６８＝フレキシブルストロー（容器の丸みに添わせる為とストローを使いやすい長さにする為にジャバラ部分を２箇所か３箇所にする）
６９＝ストローを埋設する溝
７０＝素手でフィルムラベルを切る為のミシン目
７１＝クローズド懸賞の応募券をラベルに印刷して消費者自ら自然に資源の分別をする様にする
７２＝ラベルに二次元コードやＳＰコードを印字する
７３＝二次元コードの上にスクラッチインクを印刷して隠す
７４＝二次元コードの上に感熱接着フィルムを貼って隠す
７５＝フィルムラベルが透ける場合はラベルの裏に透け防止のベタ印刷をする
７６＝金属製の缶の場合は缶胴に直接印刷してスクラッチインクか感熱接着フィルムで隠す
７７＝蓋を冠着する時に咬合する為の溝
７８＝冷たい食品（フルーツやデザートなどのスウィーツ）用の透明樹脂製容器
７９＝熱湯によって剥離する糊を使ったシールラベル（熱燗には普通のノリを使う）
８０＝ガラスのコップ型容器
８１＝酒が入る部分
８２＝飲み口
８３＝升の中心を、つまみ入れにする（符号８８や８９を入れる）
８４＝升の周囲の厚み部分に酒を入れる
８５＝王冠を止めるシール（図５と同じ機能である）
８６＝封かん兼王冠の引き抜き部分の固定用フィルム
８７＝王冠をビンに懸吊した状態
８８＝ビーフジャーキーやスルメイカ
８９＝ナッツや柿のタネ
９０＝王冠
９１＝素手で栓を抜ける王冠
９２＝ガラスビン
９３＝スプーン
９４＝フォーク
９５＝レンゲ
９６＝お椀
９７＝吸い飲み
９８＝スープ皿
９９＝埋設用の凹状の溝（埋設する物に形を合わせる）
１００＝アルミ製の王冠（密接状態で固定され通常の王冠のギザギサは無い）
１０１＝紙パック
１０２＝開け口
１０３＝窪みを開封側の印にする
１０４＝突起を開封側の印にする
１０５＝テープをヒートシール圧着部分に挟んで開封側の印にする
１０６＝樹脂製の蓋が付いた現行の紙パックなら開封側を間違えないがコストがかかる
１０７＝開け口の矢印を目立つ色にする（現在のパックは賞味期限や製造年月日の文字と同じ色である）
１０８＝開け口の矢印を点字みたいに立体的になる樹脂インクを使うか雄雌の型に挟んで名刺のマーク状に凹凸を付ける
１０９＝開封した状態
１１０＝ＩＣタグ
１１１＝紙箱（レトルトパウチ食品の袋のピンホール防止用）
１１２＝飲料缶詰
１１３＝食品缶詰
１１４＝チアパック
１１５＝ストローかチューブ
１１６＝ストローを差し込んでエア抜きする穴
１１７＝ペットボトルを切って濾過器やジョウゴに使う
１１８＝ペットポトルを砂時計状に接続するアタッチメント
１１９＝円柱タイプ
１２０＝六角形タイプ（ねじる時に力を入れやすくスパナも使える）
１２１＝水を通して下のボトルに落とす穴
１２２＝濾過した水（飲む前に加熱消毒する）
１２３＝布
１２４＝小石
１２５＝木炭
１２６＝砂利
１２７＝枯葉
１２８＝冷凍庫内に入れて凍らせる状態
１２９＝空間
１３０＝凍らせる水
１３１＝ジョウゴ
１３２＝冷やして飲む飲料や水を入れる
１３３＝氷
１３４＝ペットボトルの口を氷で房がないように（凍った時の膨張で塞がらないように）傾斜を付ける
１３５＝ボトルキャップ用保持具
１３６＝キャップはめ込み嵌脱させる
１３７＝ガラス製アルコール容器
１３８＝ダンボール（紙又は樹脂製）
１３９＝咬止する
１４０＝パチパチ（プチプチ）シートを巻いて粘着テープで止めるかシートを粘着させて止める
１４１＝断熱材（ゴム・スポンジ・コルク・発泡スチロールなど）を包み込んで密封した立体シール状のシールラベル（ソフトな樹脂やビニール）
１４２＝フィルムラベル（熱収縮性ポリエステル）を断熱材（ゴム・スポンジ・コルク・発泡スチロールなど）ごと巻着して固定させる
１４３＝容器の印刷に発泡インク又は発泡ゴムインクを使い素手で持つための断熱部分にする。（手で持つ部分を広い面積にするなど考慮したデザインにする。）
１４４＝ハニカムや小さな円を作り空気の対流を最小限に抑えて断熱効果を高める
１４５＝シールやラベルの印刷に不可逆性示温インクを使い保存状態を表示する
１４６＝不可逆性示温インクで製造年月日や賞味期限などを印刷する
１４７＝可逆性示温インクや色温度計を使い適温表示する
１４８＝実用新案登録３１０５１８０号の機能と形を活かし使い捨てにしないレンゲ
１４９＝実用新案登録３１０５１８０号を応用したスプーン
１５０＝跳ね上げ式キヤップ
１５１＝閉じた状態
１５２＝跳ね上げた状態（口が開いている状態）
１５３＝蓋を片手で図のように跳ね上げて開封する
１５４＝右手親指
１５５＝このように飲むことが出来る
１５６＝印字機能付きキッチンタイマー
１５７＝バックライト付き液晶
１５８＝数字型ボタン（視力障害者用に凸状である。四角いボタンなら電話機の配列で５に基準の突起を付ける）
１５９＝印字用ロール式シールラベル（開封日や買って冷凍・冷蔵庫に入れた日を印字する）
１６０＝電池を入れる部分のフタ（ボタン電池や単四のオキシライドで小型化させる）
１６１＝冷蔵庫に吸着させるマグネット（磁石が付かない冷蔵庫には両面テープで粘着させる）
１６２＝バックライトは操作の為にボタンを押すと適度な秒数だけ自動点灯し数秒で自動消灯させる（通常のキッチンタイマーと異なりクロックを動かして日付を管理するので電源スイッチは時計同様に不要）
１６３＝印字用ロール式シール・ラベルを補充する時は図の様に開けて取り替える
１６４＝感熱紙に熱膨張する樹脂のマイクロカプセルを加えて印字した文字を立体的（凸）に浮き上がらせて視力障害者が指で認識できる様にするとかＳＰコードの印刷機能を付けて日常生活用具として給付されている読み上げ装置を使えるようにする。感熱紙の感熱により黒んなるのではなくマイクロカプセルで浮き上がらせて点字を印字する。（一部の視力障害者は点字が読めるが中途障害の人が多く殆どは読めない）
１６５＝ペットボトル専用コップ（氷を買って飲む時に便利である。ジュースの濃度は氷を入れると丁度良くなるのでラッパ飲みでは味が濃くなる。回しのみでなく一人がボトルで飲んで、もう一人がコップを使い二人で分けて飲む事も出来るので衛生的である）
１６６＝水
１６７＝コップをボトルに冠着した状態
１６８＝窒素を充填した缶
１６９＝フタを開けたら缶の底に、はめ込める
１７０＝押すと窒素が出る
１７１＝樹脂の弾性と窒素の気圧で閉じる
１７２＝機能を巻締部分
１７３＝窒素注入口
１７４＝ボトルへの窒素充填口（自転車の虫ゴムの付いたチューブを入れたタイヤと同じ構造かバスチットボールやバレーボールの空気注入口と同じ構造にする）
１７５＝ボンベの材質はアルミかＦＲＰ
１７６＝プラスチック製
１７７＝窒素充填口に付ける延長チューブ
１７８＝ボンベの底面図
１７９＝重点（テコの原理では作用点）
１８０＝支点
１８１＝力点
１８２＝埋設したストローを取り出しやすいよに指先を入れて掴む為に図のように溝を大きくする。
１８３＝加圧送風機
１８４＝吸い込み口
１８５＝吸引力を調節する穴（窒素充填の時は空気取り込み量を増やす為に開く）
１８６＝矢印の方向にズラして穴と隙間を調節する
１８７＝電池を入れるか家庭用電源のコードを収納する蓋
１８８＝プレフィルター
１８９＝中空糸フィルター
１９０＝富化膜（窒素と酸素を分離する膜）
１９１＝斜めに内設する事でフィルターの面積を広くする
１９２＝内部構造
１９３＝フィルターの掃除と交換用のフタ
１９４＝押すと吸引する
１９５＝ヒートシールの圧着面
１９６＝ヒートーシールのスイッチ
１９７＝電源の状態を確認するＬＥＤ
１９８＝フードセイバー
１９９＝紐や針金で縛って固定するか粘着テープを巻いて固定する
２００＝窒素分離の内部構造は図３２を参考に内設する
２０１＝冷凍冷蔵庫
２０２＝冷蔵室
２０３＝冷凍室
２０４＝フリーザー蒸発器
２０５＝バルブ
２０６＝放熱ひれ
２０７＝ワイヤー凝縮器
２０８＝補助凝縮器
２０９＝毛細管
２１０＝圧縮機
２１１＝ドア
２１２＝窒素充填用の管
２１３＝凝縮器
２１４＝蒸発器
２１５＝窒素循環用の穴
２１６＝電子式冷蔵庫（温蔵庫としても使える）
２１７＝上面からの断面図
２１８＝吸熱
２１９＝放熱
２２０＝冷却部接合板
２２１＝ペルチェ効果を利用
２２２＝引き出し式ドア
２２３＝ペットボトル用アタッチメント
２２４＝押した状態（窒素が出る）
２２５＝図２２４の状態で窒素をボトルに圧力をかけて充填する
２２６＝窒素注入口と合わさるキャップのように螺着固定できる充填器具（空気入れみたい物）を使う
２２７＝大きな（ゴミ袋の大きさ４５リットル〜８０リットルぐらい）ビニール袋やアルミ製風船と同じ素材で丈夫に作った袋（窒素を入れて袋から絞り出すので圧力は考慮しないで良い）
２２８＝袋を図のように螺着させ挟み込み咬み合わせる
２２９＝ねじ部分
２３０＝マグネットの磁力で水を活性化させる
２３１＝磁石
２３２＝巻物や掛け軸
２３３＝古文書
２３４＝フロッピディスクや光磁気ディスク
２３５＝ビデオテープ
２３６＝気密性の高いジュラルミンケース
２３７＝酸化防止剤を入れた容器
２３８＝宝箱型容器
２３９＝鍵付きの箱型容器
２４０＝缶型容器（映画のフィルム用）
２４１＝筒型容器（賞状を入れる）
２４２＝フタ
２４３＝容器内に窒素を吹き込んだり充填して中の空気を入れ換える事で酸素濃度を下げて酸化防止剤と併用する事で効果を高める
２４４＝中に入れる物の参考例
２４５＝額
２４６＝ガラス（保存にはＵＶカットが良いが作品を見えやすくする反射防止コーティングしてあるミュージアムガラスの両方の機能を併せ持っているのが最適である）
２４７＝マット（写真や絵がガラスに密着して張り付く事を防止する為の空間を作る為の厚紙）
２４８＝額のフタ
２４９＝絵や写真
２５０＝窒素を充填する空間
２５１＝展示品
２５２＝酸素が含まれていない場所に人が入って窒息死しない為の注意を書いたプレートやステッカーを付ける
２５３＝液体窒素の入ったボンベ（ガス会社から入手できる）
２５４＝ガラス又は透明樹脂の戸が付いた本棚
２５５＝額の後ろのフタの留め具
２５６＝絶版や廃盤などの貴重な書籍や歴史的な人物の書簡
２５７＝衣装箱
２５８＝書類用ロッカー
２５９＝ビニール袋
２６０＝手持ちや市販の容器や袋に窒素を入れて保存する
２６１＝窒素充填用のボンベ（図３１タイプ）
２６２＝図３２のデザイン違い
２６３＝衣装箱やロッカー自体に気密性がなければビニール袋に入れて密封して保管する
２６４＝貸金庫のロッカー部分
２６５＝ロッカーの引き出しから取り出した保管用の箱
２６６＝カギ穴
２６７＝従来のベタ付けの状態
２６８＝乳首
２６９＝ペットボトルに螺着できる
２７０＝ベタ付けのオマケを埋設
２７１＝三点固定
２７２＝オマケのケース
２７３＝フィルムラベルを巻着してオマケを固定
２７４＝育児用飲料を入れて市販する時に付属させる
２７５＝シリコンを配合した樹脂製のコルク栓（天然のコルク杉の皮は日本に無く輸入しないとならないので合成して作る）
２７６＝開封（栓を引き抜く）用の太いテグス
２７７＝耐火構造
２７８＝貸金庫の窒素充填口
２７９＝窒素充填口が無い箱をそのまま使う場合
２８０＝貸金庫と違和感の無いスクエア型
２８１＝取っ手
２８２＝紙の箱（ダンボールなど衝撃を吸収するもの）に入れて販売する（ガラスの破損防止）
２８３＝封かんフィルム
２８４＝ミシン目
２８５＝ＴＭと（Ｒ）は飲料メーカーのマークやロゴ（登録商標が良い）を装飾として新蓄光インクやブラックライトで発光する蛍光インクや不可視インクでボトルやラベルや缶に印刷する。明るい照明では、これらのインクは目立たないので現行のデザインを活かす事ができる。
２８６＝酸素濃縮器
２８７＝酸素を鼻から吸う為のカニューラ
２８８＝加湿器
２８９＝酸素を分離して窒素を出す排出口に加圧送風機を内接したユニットを外付けで固定する
２９０＝ポテトチップや餅や煎餅など（ポテトチップの油は光で変質劣化するので注意する）
２９１＝脱酸素剤を入れた縦置き容器
２９２＝脱酸素剤を入れた横置き容器
２９３＝脱酸素剤を入れた袋に空間を作り発熱しても温度が下がり酸素を減らす為に薄い袋に入れて空気に触れる面積が広くなるように内設する
２９４＝米櫃
２９５＝計量カップ（一合）
２９６＝計量ボタン
２９７＝電気釜
２９８＝容器後ろ
２９９＝吸盤
３００＝吸盤やマグネットをはめ込む
３０１＝米櫃の中に固定して内設する
３０２＝容器前
３０３＝マット裏面
３０４＝額縁斜め断面図
３０５＝この溝に脱酸素剤を内設する（効果を得られる２種類の溝の位置）
３０６＝額の表側
３０７＝額裏側
３０８＝マット裏側に溝を作り空気を脱酸素剤に触れる通り道にする
３０９＝マット表面
３１０＝マット断面
３１１＝額の側面
３１２＝オードトワレのビン
３１３＝オードトワレのビンのフタを外した状態
３１４＝アイシャドウの容器
３１５＝容器のフタを開けた状態
３１６＝ファンテーションやチークの容器
３１７＝鏡
３１８＝パフ
３１９＝容器を１８０度回転させた図
３２０＝香水ビン
３２１＝美容液や乳液の容器
３２２＝オーデコロンのビン
３２３＝整髪料のビン
３２４＝口紅の容器
３２５＝シャンプーやリンスの容器
３２７＝トリートメントの容器
３２８＝ガスライター
３２９＝ライターの容器
３３０＝ワインオープナーを使って開けられる硬さの樹脂
３３１＝テグスを引っ張っても耐えられる補強の為の樹脂
３３２＝テグスを引っ張っても耐えられる補強の為の樹脂を内設したタイプ
３３３＝ワインオープナー
３３４＝各種ＣＤやＤＶＤなどを透明樹脂と不織布を合わせた缶の底に埋設できる円形の袋に入れてオマケにする
３３５＝透明樹脂と不織布（データ記録面の保護用）を合わせた円形の袋
３３６＝透明樹脂
３３７＝不織布
３３８＝コースターやマグネットシート（オマケ用）
３３９＝厚みのある樹脂や厚紙にメモリーカードやメモリースティックをはめ込んでオマケにする
３４０＝袋の口
３４１＝ポリエステル製の熱収縮フィルムで特に収縮率の高いフィルムで包み込んで固定する
３４２＝スチール缶（缶切りで開けるタイプ）
３４３＝自動車
３４４＝バイク
３４５＝不可視インクでＮＯの部分に防犯の為にナンバープレートや車体番号を印刷する。自転車も同様に防犯登録番号を印刷する。
３４６＝不可視インクを印刷した後でインクの凹凸を無くす為に厚めにコーティングして平らにする（磨くなどで）
３４７＝窒素排出口
３４８＝ティッシュペーパーの箱
３４９＝ティッシュペーパーに内設されているビニール
３５０＝ゴミ箱
３５１＝タバコの箱
３５２＝透明樹脂製の紫外線防止フィルム
３５３＝新蓄光インクで暗闇で正確に位置を知る事が出来る
３５４＝薬剤入りの小型ボンベ
３５５＝灰皿
３５６＝気管支拡張剤用アタッチメント部分（エアゾルを噴出する）
３５７＝内部にフィルムを貼る
３５８＝押し下げると飲み口が上がって片手で開封できる。
３５９＝前
３６０＝後ろ
３６１＝フタの開け閉めができる程度に内部のフィルムを可動量に合わせて、浮き上がらせてゆとりを持たせる。
３６２＝開封した状態
３６３＝フィルムラベルを気密状態に密着させる
３６４＝空気に触れると変化するインク
３６５＝ツィスト・キャップ瓶の瓶詰めのキャップの封かんを気密状態でキャップを覆い封かんを開け空気に長く触れる事でキャップの色が変化して鮮度を知らせる蓋
３６６＝フォークや楊子で刺すと崩れスプーンに乗せるより摘んで食べるのに適している食品には樹脂製の使い捨てピンセットや小型トング（樹脂の弾性を活かす）を取り付ける事で箸でお菓子やデザートを箸で摘まないですむ
３６７＝化粧品用容器の中でリターナブル容器として再利用する為に印刷や刻印される識別記号やＱＲコードやバーコードなどの二次元コードを駆使して容器の素材や様々な用途やデザインに対応して分類を可能にする事で再利用を支援する。
【図１】
2005138906.tif 000003
【図２】
2005138906.tif 000004
【図３】
2005138906.tif 000005
【図４】
2005138906.tif 000006
【図５】
2005138906.tif 000007
【図６】
2005138906.tif 000008
【図７】
2005138906.tif 000009
【図８】
2005138906.tif 000010
【図９】
2005138906.tif 000011
【図１０】
2005138906.tif 000012
【図１１】
2005138906.tif 000013
【図１２】
2005138906.tif 000014
【図１３】
2005138906.tif 000015
【図１４】
2005138906.tif 000016
【図１５】
2005138906.tif 000017
【図１６】
2005138906.tif 000018
【図１７】
2005138906.tif 000019
【図１８】
2005138906.tif 000020
【図１９】
2005138906.tif 000021
【図２０】
2005138906.tif 000022
【図２１】
2005138906.tif 000023
【図２２】
2005138906.tif 000024
【図２３】
2005138906.tif 000025
【図２４】
2005138906.tif 000026
【図２５】
2005138906.tif 000027
【図２６】
2005138906.tif 000028
【図２７】
2005138906.tif 000029
【図２８】
2005138906.tif 000030
【図２９】
2005138906.tif 000031
【図３０】
2005138906.tif 000032
【図３１】
2005138906.tif 000033
【図３２】
2005138906.tif 000034
【図３３】
2005138906.tif 000035
【図３４】
2005138906.tif 000036
【図３５】
2005138906.tif 000037
【図３６】
2005138906.tif 000038
【図３７】
2005138906.tif 000039
【図３８】
2005138906.tif 000040
【図３９】
2005138906.tif 000041
【図４０】
2005138906.tif 000042
【図４１】
2005138906.tif 000043
【図４２】
2005138906.tif 000044
【図４３】
2005138906.tif 000045
【図４４】
2005138906.tif 000046
【図４５】
2005138906.tif 000047
【図４６】
2005138906.tif 000048
【図４７】
2005138906.tif 000049
【図４８】
2005138906.tif 000050
【図４９】
2005138906.tif 000051
【図５０】
2005138906.tif 000052